(57)【要約】  本発明は、とりわけ、疾患および／または美容上の状態の治療および／または予防および／または診断のための機能物質に関する。機能物質は、発光素子としてファイバーを含む発光デバイスの製造に用いることができる。【選択図】図１
2013524864.tif 000002
【特許請求の範囲】
【請求項１】
疾患および／または美容上の状態の治療および／または予防および／または診断のためのデバイスを製造するための、ホスト物質、発光物質（ＥＭ）、正孔注入物質（ＨＩＭ）、正孔輸送物質（ＨＴＭ）、正孔阻止物質（ＨＢＭ）、電子注入物質（ＥＩＭ）、電子輸送物質（ＥＴＭ）、電子阻止物質（ＥＢＭ）、励起子阻止物質（ＥｘＢＭ）、金属錯体およびリン光物質から選択される機能物質の使用であって、前記デバイスが少なくとも１つの有機発光ファイバーを含むことを特徴とする使用。
【請求項２】
前記ファイバーが、外側の第１の電極を有するファイバーコアと、前記第１の電極の外側表面上に配置された少なくとも１つの有機発光層と、前記有機発光層上に配置された光透過性の第２の電極とを含むことを特徴とし、前記少なくとも１つの有機発光層が、前記第１および第２の電極を通して電圧が印加されると発光する少なくとも１つの有機物質を含む請求項１に記載の使用。
【請求項３】
前記デバイスが軟質であり、または前記ファイバーが軟質であり、または前記デバイスおよび前記ファイバーの両方が軟質であることを特徴とする請求項１または２に記載の使用。
【請求項４】
前記デバイスが移動式デバイスであり、前記デバイスをヒトまたは動物対象に取り付けるための取り付け手段を含むことを特徴とする請求項１から３の何れか１項に記載の使用。
【請求項５】
前記デバイスが、プラスター、包帯、毛布、寝袋、スリーブ、植込み型プローブ、経鼻胃管、胸腔ドレーン、パッド、ステント、パッチ、キャンバス、および任意の種類の衣服、ならびに口中の少なくとも１つの歯を覆うデバイスであることを特徴とする請求項１から４の何れか１項に記載の使用。
【請求項６】
前記発光ファイバーが有機発光ダイオード（ＯＬＥＤ）であることを特徴とする請求項１から４の何れか１項に記載の使用。
【請求項７】
皮膚疾患および／または美容上の皮膚状態の治療および／または予防および／または診断のための請求項１から６の何れか１項に記載の使用。
【請求項８】
ざ瘡、乾癬、湿疹、皮膚炎、アトピー性皮膚炎、浮腫、白斑、ボーエン病、腫瘍、前癌性腫瘍、悪性腫瘍、基底細胞癌、扁平上皮癌、二次転移、皮膚Ｔ細胞リンパ腫、日光角化症、ヒ素角化症、放射線皮膚炎、およびセルライトから選択される皮膚疾患および／または美容上の皮膚状態の治療および／または予防および／または診断のための請求項１から７の何れか１項に記載の使用。
【請求項９】
感染症、ならびに炎症性、神経学的、および心理学的な疾患および／または状態の治療および／または予防および／または診断のための請求項１から８の何れか１項に記載の使用。
【請求項１０】
ソフトドリンク、飲料、水、飲用水、食料品、および栄養物の消毒のための請求項１から９の何れか１項に記載の使用。
【請求項１１】
光線力学的治療（ＰＤＴ）における適用のための請求項１から１０の何れか１項に記載の使用。
【請求項１２】
黄疸およびクリグラーナジャーの治療および／または予防のための請求項１から１１の何れか１項に記載の使用。
【請求項１３】
疾患および／または美容上の状態の治療および／または予防および／または診断のためのデバイスを製造するための、ホスト物質、発光物質（ＥＭ）、正孔注入物質（ＨＩＭ）、正孔輸送物質（ＨＴＭ）、正孔阻止物質（ＨＢＭ）、電子注入物質（ＥＩＭ）、電子輸送物質（ＥＴＭ）、電子阻止物質（ＥＢＭ）、励起子阻止物質（ＥｘＢＭ）、金属錯体、およびリン光物質から選択される少なくとも１つの機能物質と、少なくとも１つのさらなる化合物とを含む組成物の使用であって、前記デバイスが少なくとも１つの有機発光ファイバーを含むことを特徴とする使用。
【請求項１４】
少なくとも１つの有機発光ファイバーを含むことを特徴とする、疾患および／または美容上の状態の治療および／または予防および／または診断のためのデバイス。
【請求項１５】
前記発光ファイバーが、ホスト物質、発光物質（ＥＭ）、正孔注入物質（ＨＩＭ）、正孔輸送物質（ＨＴＭ）、正孔阻止物質（ＨＢＭ）、電子注入物質（ＥＩＭ）、電子輸送物質（ＥＴＭ）、電子阻止物質（ＥＢＭ）、励起子阻止物質（ＥｘＢＭ）、金属錯体、およびリン光物質から選択される機能物質を含むことを特徴とする請求項１４に記載のデバイス。
【請求項１６】
ざ瘡、乾癬、湿疹、皮膚炎、アトピー性皮膚炎、浮腫、白斑、ボーエン病、腫瘍、前癌性腫瘍、悪性腫瘍、基底細胞癌、扁平上皮癌、二次転移、皮膚Ｔ細胞リンパ腫、日光角化症、ヒ素角化症、放射線皮膚炎、セルライト、皮膚脱感作、感染症、炎症、神経学的および心理学的な疾患および／または状態、光線力学的治療（ＰＤＴ）、黄疸、ならびにクリグラーナジャーから選択される皮膚疾患および／または美容上の皮膚状態の治療および／または予防および／または診断のための請求項１４または１５に記載のデバイス。
【請求項１７】
疾患および／または状態の治療および／または予防および／または診断のための有機発光ファイバーの使用。
【請求項１８】
美容上の状態の治療および／または予防および／または診断のための有機発光ファイバーの使用。
【発明の詳細な説明】
【発明の概要】
【０００１】
本発明は、とりわけ、治療上の疾患および／または美容上の状態の治療および／または予防および／または診断のための、化合物、組成物、およびこれらを含むファイバーデバイスに関する。
【０００２】
光線療法（光療法とも呼ばれる）は、広範囲の治療上の疾患および／または美容上（美的とも呼ばれる）の状態において用いることができる。ＬＥＤまたはレーザーいずれかの光を用いる治療法は、例えば、創傷、傷害、頸部痛、骨関節炎、化学療法および放射線治療の副作用を治療するのにすでに用いられている。
【０００３】
治療上の適用と美容上の適用との間の境界は曖昧であることが多く、個々の状況および医師の評価に依存する。治療上の状態は美容上考慮すべきことにしばしば関連する。例えば、ざ瘡の治療および予防には、状態の程度に応じて治療的構成要素および美容的構成要素の両方があり得る。同じことが、乾癬、アトピー性皮膚炎、ならびに他の疾患および／または状態に当てはまる。多くの疾患および状態は、例えば、対象の皮膚の目に見える変化によって表されることが多い見かけ上推測されるものに関連する。これら美容上の、または美的な変化は、少なくとも部分的に重症の疾患をもたらす心理学的な変更をしばしばもたらし得る。
【０００４】
状態または疾患は、治療上の要素も役割を果たし得る場合でさえも、美容上の構成要素を強調することがある。これらのいくつかは、抗加齢、抗しわ、ざ瘡および白斑の防止および／または治療法から選択される。
【０００５】
多くの診断用のツールまたはデバイスはまた、例えば、ビリルビン、酸素、またはＣＯなどの血液の特性を決定するために、光源を必要とすることが多い。
【０００６】
化粧品および医薬品の両方において、皮膚は照射すべき主な標的であるが、ヒトまたは動物の身体の他の標的も光線療法によってアクセスすることができる。これらの標的には、それだけには限定されないが、眼、創傷、爪、および身体の内部が含まれる。光は、例えば、創傷、幾分固形である物体の表面、液体、および飲料の消毒を促進または支持するために用いることもできる。本明細書で用いられる幾分固形である物体の表面には、液体ではない、可塑性または弾性を有する任意の表面が含まれる。多くの物体がこの範疇に入り、例えば、栄養物、カトラリー、病院および外科手術において用いるための機器、ならびに消毒を必要とする任意の他の物体を含んでいる。ヒトおよび動物の創傷でさえ、この定義の下に含めることもできる。
【０００７】
光線療法の主要な効果の一つは、ミトコンドリアにおける代謝の刺激である。ある波長の光は、アデノシン三リン酸（ＡＴＰ）の形態の本質的な細胞エネルギーの生成を担う酵素である、チトクロームｃ酸化酵素を刺激する。ＡＴＰは、熱力学的に都合の悪い生化学反応を駆動するために、および細胞のエネルギー貯蔵として、細胞のエネルギー輸送に必要とされる。ＡＴＰは、加齢および細胞死（酸化ストレス）をもたらす他の生化学的分子（例えば、活性酸素種および一酸化窒素）をモジュレートするために、シグナル分子として働くこともできる。光線療法後、細胞は代謝の増大を示し、細胞はより良好に連絡し、細胞はストレスの多い状態をよりよい方法で生存する。
【０００８】
この原理は、創傷治癒、結合組織の修復、組織の修復、組織死の防止、炎症、疼痛、急性傷害、慢性疾患、代謝障害、神経原性疼痛、および季節的影響障害の軽減など、多くの医学的治療および美容上の適用に応用することができる。
【０００９】
光の適用の別の一分野は様々な癌の治療である。癌治療において、光線力学的治療（ＰＤＴ）は重要な役割を果たす。ＰＤＴにおいて、光は薬剤と組み合わせて用いられ得る。これらの治療法は、様々な皮膚および内科の疾患を治療するのに用いることができる。ＰＤＴにおいて、光化学療法剤として知られている光感受性の治療薬を、治療する身体の領域に外部的または内部的に供給する。次いで、この領域を適切な周波数および強度の光に曝露して光化学療法剤を活性化する。様々な光化学療法剤の薬剤が現在利用できる。例えば、５−アミノレブリン酸塩酸塩（Ｃｒａｗｆｏｒｄ  Ｐｈａｒｍａｃｅｕｔｉｃａｌｓ）、メチルアミノレブリン酸（Ｍｅｔｆｉｘ（登録商標）、Ｐｈｏｔｏｃｕｒｅ）などの局所薬剤が存在する。Ｐｈｏｔｏｆｉｎ（登録商標）（Ａｘｃａｎから）およびＦｏｓｃａｎ（登録商標）（Ｂｉｏｌｉｔｅｃｈ社から）を含めた、体内の悪性腫瘍に主に用いる注射薬も存在する。薬物は、光感受性の光化学療法剤に代謝される非活性型で適用されることが多い。
【００１０】
光線力学的治療において、光化学療法剤に光を供給するための主な技術は、レーザーまたはフィルターを通したアークランプなどの独立型の光源から適切な波長の光を投影することである。これらの光源は扱いにくく高価であり、したがって病院における使用にしか適さない。そのため患者にとって不便であり、治療の費用は高い。１日あたり許容できる数の患者を治療するために（治療が費用効果的であるために）、また患者に過度に不便を感じさせるのを避けるために、高い光照射量が必要とされる。
【００１１】
ＷＯ９８／４６１３０およびＵＳ６０９６０６６は、光線力学的治療において用いるためのＬＥＤのアレイを開示している。これらにおいて教示されている小型のＬＥＤ源は、患者に対して不均等な光の入射をもたらす。多数の接続が必要とされるので、アレイの製造は複雑である。これらに示されるデバイスは病院の治療用に設計されている。
【００１２】
ＧＢ２３６０４６１は、光ファイバーによってその後透過される光を生成する、従来の光線力学的治療の光源を用いる軟質の衣服を開示している。このような光源は重いため、デバイスは移動性ではなく、病院の使用に限られる。
【００１３】
ＵＳ５６９８８６６は過励振型無機ＬＥＤを用いた光源を開示している。得られた光の出力は均等ではない。ヒートシンクの仕組みを必要とし、デバイスは病院の治療のみに適する。
【００１４】
ＷＯ９３／２１８４２は無機ＬＥＤを用いる光源を開示している。デバイスは可搬性であるが、患者が家庭で移動的に使用するのに適さず、臨床治療が想定される。
【００１５】
上記で言及した分野における光の広範囲の適用に対する不可欠な必要条件はデバイスである。今日では市販のシステムは殆どがレーザーに基づくものである。しかし、これらのシステムは病院ベースの、すなわち据え置き型のデバイスである。費用を下げ、利便性およびコンプライアンスを上げるために、携帯型の家庭使用の技術が必要とされる。実際、いくつかの研究がこの方向につぎ込まれている。
【００１６】
有機発光ダイオードには、本質的に軟質であり、例えばインクジェット印刷およびスクリーン印刷などの印刷技術によって広い面積上をコーティングすることができる点で、その無機の対応物（発光ダイオード−ＬＥＤ）を上回る利点が多くある。さらに、有機発光ダイオードは、ＬＥＤと比べてより均一な照射が可能である。
【００１７】
Ｒｏｃｈｅｓｔｅｒらは、ＧＢ２４０８２０９２において、軟質の基体上に軟質の発光ダイオードを含むＯＬＥＤなどの軟質な医薬用の光源、ならびに結果として得られる、血液の特徴（例えば、ＣＯ、酸素、またはビリルビンのレベル）をモニタリングするための診断デバイスおよび病気を治療するための光線療法デバイスを開示した。
【００１８】
Ｖｏｇｌｅ  ＫｌａｕｓおよびＫａｌｌｅｒｔ  Ｈｅｉｋｏは、ＥＰ０１８１８０７７３において、皮膚を治療するためのデバイスを開示した。このデバイスは、光源として潜在的に軟質の有機発光ダイオード（ＯＬＥＤ）を備えている。このデバイスは、衣服またはプラスターに組み入れることができる。
【００１９】
Ａｔｔｉｌｉら（Ｂｒ．Ｊ．Ｄｅｒｍａｔｏｌ．、１６１巻（１）、１７０〜１７３頁、２００９年）は、非メラノーマ皮膚癌の治療において着用できる低照射量のＯＬＥＤを用いた移動式光線力学的治療（ＰＤＴ）の、公開の臨床予備試験を発表し、ＯＬＥＤ−ＰＤＴは従来のＰＤＴよりも苦痛が少なく、軽量であるという付加的な利点があり、したがって家庭でのより便利なＰＤＴに対する可能性があることを示唆している。
【００２０】
Ｓａｍｕｅｌらは、ＥＰ１４４４００８Ｂ１５において、治療上および／または美容上の治療において用いるための移動式デバイスを開示しており、デバイスはＯＬＥＤを備えており、ポリ（ｐ−フェニレンビニレン）（ＰＰＶ）が一例として用いられている。
【００２１】
ＥＰ１４４４００８は光線力学的療法の治療のためのＯＬＥＤを含むデバイスを開示している。
【００２２】
しかし、最先端のＯＬＥＤは陰極としてＢａおよびＣａなどの活性金属を用いており、それゆえこれらは貯蔵および操作両方に関して許容できる寿命を確実にするための優れたカプセル化を必要とする。平坦な大面積のデバイスには好適なカプセル化がより重大である。これは、小面積における欠陥はデバイス全体の全体的な故障をもたらすためである。治療上および／または美容上の適用において、デバイスに必要とされる寿命は、表示の適用に必要とされる寿命に比べて、概ね、ずっと短い。したがって、容易に生成することができ、軟質であり、局所的な損傷に対して程度の差はあれ感受性の低い、ＯＬＥＤをベースとするデバイスを見出すことが強く望まれている。
【００２３】
軟質のファイバーのエレクトロルミネセンス光源は、例えば、ＵＳ６０７４０７１、ＵＳ５４８５３５５、およびＵＳ５８７６８６３において記載されるように、当技術分野において知られている。化学発光ファイバーの光源も知られている。これらのデバイスは、これらを捻ってファイバー中に含まれている２つの化学物質をあわせると発光する。化学物質間の化学反応は、化学反応が数時間進行する間、光を生成する。しかし、これらの先行技術の化学発光ファイバーの光源は十分な明るさを欠いており、医薬上または美容上の使用に対する十分な必要要件を達成することができない。
【００２４】
ＯＬＥＤファイバーは、最近、ＵＳ６５３８３７５  Ｂ１、ＵＳ  ２００３／００９９８５８において、およびＢｒｅｎｎｄａｎ  Ｏ’Ｃｏｎｎｏｒら（Ａｄｖ．Ｍａｔｅｒ．、２００７年、１９巻、３８９７〜３９００頁）によって記載されている。単一のＯＬＥＤファイバーおよび採光におけるその使用は記載されている。しかし、現在までに開示されているＯＬＥＤファイバーは、ディスプレイおよび一般的な光の応用を目的としたものであった。治療上的および美容上の適用におけるＯＬＥＤファイバーの開発はいまだに開示されていない。
【００２５】
驚くべきことに、先行技術の問題を克服するためにＯＬＥＤファイバーを用いることができることが見出された。ＯＬＥＤファイバーは、疾患および美容上の状態の治療および／または予防および／または診断のためのデバイスに用いることができる。ファイバーは、対象の治療のための軟質で、好ましくは可塑性または延性のデバイスの製造を促進する。波長は目的に応じて容易に変更することができ、対象の均一な照射が可能である。さらに、発光ＯＬＥＤファイバーを用いることによって、特定の治療に必要とされる光の強度および波長（複数可）を、複数のファクターによって変更することができる。強度は、例えば、用いるファイバーの数（すなわち、ファイバーの密度）、これらのファイバーを処理加工し、または織る方法、および印加する電圧によって調節することができる。波長も、本発明内の他所で概略する通り容易に調節することができる。１つのファイバーが、様々な波長の放射ピークを有する複数のエミッターを含むことができる。ファイバーはまた、様々な放射ピークを有するエミッター物質を含む様々なセグメントを含むことができる。ＯＬＥＤファイバーを含むデバイスの使用は、医薬および美容上の必要性の高い多くの疾患または状態を治療する新たな方法を提供する。
【００２６】
本発明は、疾患および／または美容上の状態の治療および／または予防および／または診断のためのデバイスを製造するための、ホスト物質、発光物質（ＥＭ）、正孔注入物質（ＨＩＭ）、正孔輸送物質（ＨＴＭ）、正孔阻止物質（ＨＢＭ）、電子注入物質（ＥＩＭ）、電子輸送物質（ＥＴＭ）、電子阻止物質（ＥＢＭ）、励起子阻止物質（ＥｘＢＭ）、金属錯体、およびリン光物質から選択される機能物質の使用であって、デバイスが少なくとも１つの有機発光ファイバーを含むことを特徴とする使用に関する。
【００２７】
ホスト物質から選択される機能物質が好ましい。発光物質（ＥＭ）から選択される機能物質がさらに好ましい。正孔注入物質（ＨＩＭ）から選択される機能物質がさらに好ましい。正孔輸送物質（ＨＴＭ）から選択される機能物質がさらに好ましい。正孔阻止物質（ＨＢＭ）から選択される機能物質がさらに好ましい。電子注入物質（ＥＩＭ）から選択される機能物質がさらに好ましい。電子輸送物質（ＥＴＭ）から選択される機能物質がさらに好ましい。電子阻止物質（ＥＢＭ）から選択される機能物質がさらに好ましい。励起子阻止物質（ＥｘＢＭ）から選択される機能物質がさらに好ましい。金属錯体から選択される機能物質がさらに好ましい。リン光物質から選択される機能物質がさらに好ましい。
【００２８】
好ましい１つの態様において、機能物質という用語は有機機能物質を意味する。この用語は、有機伝導体、半導体、有機蛍光化合物、有機リン光化合物、遷移金属の有機金属錯体、希土類、ランタニド、およびアクチニドも意味する。
【００２９】
発光物質の用語は、本発明内の他所で概略する通りエレクトロルミネセンス発光物質を意味することが好ましい。
【００３０】
機能物質、特に有機機能物質は、小分子、ポリマー、オリゴマー、またはデンドリマー、これらのブレンドまたは混合物の群から選択することができる。
【００３１】
本明細書で用いられる小分子という用語は、ポリマー、オリゴマー、デンドリマー、またはブレンドではない分子と定義される。特に、小分子中に繰返し構造は非存在である。小分子の分子量は、繰返し単位が少数であるポリマー、オリゴマー、またはそれ未満の範囲であるのが典型的である。
【００３２】
小分子の分子量は好ましくは４０００ｇ／ｍｏｌ未満であり、特に好ましくは３０００ｇ／ｍｏｌ未満であり、極めて特に好ましくは２０００／ｍｏｌ未満である。
【００３３】
本発明のポリマーは、好ましくは１０から１００００の、特に好ましくは２０から５０００の、極めて特に好ましくは５０から２０００の繰返し単位を有する。本発明によるオリゴマーは、好ましくは２から９の繰返し単位を有する。ポリマーおよびオリゴマーの枝分れ指数は、０（分枝のない直鎖状ポリマー）から１（完全に分枝したデンドリマー）の間である。本明細書で用いられるデンドリマーという用語は、Ｍ．Ｆｉｓｃｈｅｒら、Ａｎｇｅｗ．Ｃｈｅｍ．，Ｉｎｔ．Ｅｄ．、１９９９年、３８巻、８８５頁）によって規定されている。
【００３４】
本発明のポリマーの分子量（ＭＷ）は、好ましくは１００００ｇ／ｍｏｌから２００００００ｇ／ｍｏｌの範囲、特に好ましくは１０００００ｇ／ｍｏｌから１５０００００ｇ／ｍｏｌの範囲、極めて特に好ましくは２０００００ｇ／ｍｏｌから１００００００ｇ／ｍｏｌの範囲である。ＭＷの決定は、当業者に知られている標準の技術にしたがって、例えば、ポリスチレンを内部標準としてゲル浸透クロマトグラフィー（ＧＰＣ）を用いることによって行うことができる。
【００３５】
ブレンドは、少なくとも１つのポリマーの、デンドリマーの、またはオリゴマーの成分を含んでいる混合物である。
【００３６】
本発明による有機機能物質は、分子のフロンティア軌道、すなわち、最高被占分子軌道（ＨＯＭＯ）（価電子帯とも呼ばれることもある）および最低空分子軌道（ＬＵＭＯ）（伝導帯とも呼ばれることもある）によってしばしば特徴付けられる。ＨＯＭＯおよびＬＵＭＯのレベルはルーチンで測定され（例えば、ＸＰＳ＝Ｘ線光電子分光法、ＵＰＳ＝紫外光電子分光法、またはＣＶ＝シクロボルタンメトリー（ｃｙｃｌｏｖｏｌｔａｍｍｅｔｒｙ））、または当業者には知られている（（時間依存性）ＤＦＴ＝密度の関数理論などの量子化学的方法によって）計算される。当業者であれば、これらのエネルギーレベルの絶対値は用いる方法に著しく依存するという事実にやはり気づいている。有機機能物質のＨＯＭＯおよびＬＵＭＯのエネルギーレベルの信頼できる比較には、同じ測定方法または計算方法の使用が必要とされる。本出願者らは、有機半導体のエネルギーレベルを決定するための一貫した組合せ方法を確立した。１セットの半導体（２０を超える異なる半導体）のＨＯＭＯ／ＬＵＭＯレベルを、ＣＶによって信頼できる評価方法で測定し、Ｇａｕｓｓｉａｎ０３ＷのＤＦＴによって同じ補正関数でやはり計算する（例えば、Ｂ３ＰＷ９１および同じベースのセット、例えば、６−３１Ｇ（ｄ））。次いで、計算値を、測定値にしたがって較正する。このような較正ファクターをさらなる計算に用いる。計算値と測定値との間の一致は極めて良好である。したがって、本発明のエネルギーレベルの比較をサウンドベース（ｓｏｕｎｄ ｂａｓｅ）上に設定する。エネルギーギャップまたはバンドギャップを、ＨＯＭＯとＬＵＭＯとの間エネルギーレベルの差によって得る。
【００３７】
有機機能物質は正孔注入物質（ＨＩＭ）から選択することができる。ＨＩＭは、陽極から有機層中に注入された孔（すなわち、正荷電）を促進することができる物質または単位を意味する。ＨＩＭが、陽極の仕事関数に匹敵し、またはそれより高いＨＯＭＯレベル、すなわち−５．３ｅＶ以上を有するのが典型的である。
【００３８】
有機機能物質は正孔輸送物質（ＨＴＭ）から選択することができる。ＨＴＭは、正孔注入物質または陽極から注入された孔（すなわち、正荷電）を輸送することができる物質または単位であることを特徴とする。ＨＴＭは通常高いＨＯＭＯを有し、典型的には−５．４ｅＶを超える。多くの場合において、隣接する層に応じて、ＨＩＭがＨＴＭとしても機能することができる。
【００３９】
有機機能物質は正孔阻止物質（ＨＢＭ）から選択することができる。ＨＢＭは、多層構造における放射層または正孔輸送層に隣接して沈着する場合、孔がそれを通して流れるのを防ぐ物質を意味する。通常、ＨＢＭは、隣接層におけるＨＴＭのＨＯＭＯレベルに比べると低いＨＯＭＯを有する。正孔阻止層は、ＯＬＥＤにおける発光層と電子輸送層との間に頻繁に挿入される。
【００４０】
有機機能物質は電子注入物質（ＥＩＭ）から選択することができる。ＥＩＭは、陰極から有機層中に注入された電子（すなわち、負電荷）を促進することができる物質を意味する。ＥＩＭは、通常、陰極の仕事関数に匹敵し、またはそれより低いＬＵＭＯレベルを有する。ＥＩＭが−２．６ｅＶ未満のＬＵＭＯを有するのが典型的である。
【００４１】
有機機能物質は電子輸送物質（ＥＴＭ）から選択することができる。ＥＴＭは、ＥＩＭまたは陰極から注入された電子（すなわち、負電荷）を輸送することができる物質を意味する。ＥＴＭは、通常、低いＬＵＭＯを有し、典型的には−２．７ｅＶ未満である。多くの場合において、ＥＩＭは、隣接層に応じて、ＥＴＭとしても働くことができる。
【００４２】
有機機能物質は電子阻止物質（ＥＢＭ）から選択することができる。ＥＢＭは、多層構造における放射層または電子輸送層に隣接して沈着した場合、電子がそれを通して流れることを防ぐ物質を意味する。通常、ＥＢＭは、隣接層におけるＥＴＭのＬＵＭＯに比べて高いＬＵＭＯを有する。
【００４３】
有機機能物質は励起子阻止物質（ＥｘＢＭ）から選択することができる。ＥｘＢＭは、多層構造における放射層に隣接して沈着した場合、励起子がそれを通して拡散することを防ぐ物質を意味する。ＥｘＢＭは、放射層または他の隣接層に比べて高い三重項準位または一重項準位のいずれかを有さなければならない。
【００４４】
有機機能物質はエミッターから選択することができる。エミッターという用語は、他の物質からの任意の種類のエネルギー輸送によって、または電気的もしくは光学的いずれかで励起子を形成することによって励起子のエネルギーを受け取ったときに、放射崩壊を経験して発光する物質を意味する。エミッターには、蛍光エミッターおよびリン光エミッターの２つのクラスが存在する。蛍光エミッターという用語は、励起一重項状態からその基底状態への放射遷移を受ける物質または化合物に関する。本明細書で用いられるリン光エミッターという用語は、遷移金属を含むルミネセンスの物質または化合物に関する。これには、スピン禁制遷移（複数可）、例えば、励起三重項状態からの遷移によって引き起こされる発光する物質が含まれるのが典型的である。
【００４５】
本明細書で用いられるドーパントという用語は、エミッターまたはエミッター物質という用語に対してやはり用いられる。
【００４６】
有機機能物質はホスト物質から選択することができる。ホスト物質は、通常エミッターとの組合せにおいて用いられ、一般的に、エミッター物質に比べてＨＯＭＯとＬＵＭＯとの間の大きなエネルギーギャップを有する。さらに、ホスト物質は、電子または正孔輸送物質のいずれかとして機能する。ホスト物質は、電子および正孔輸送の性質の両方を有することもできる。一重項転移が主にＯＬＥＤにおけるルミネセンスを担う場合、エミッターの吸収スペクトル間の、ホスト物質の光ルミネセンススペクトルとの最大の重複が望ましい。これにより、ホスト物質からエミッターへのエネルギー輸送が確実になる。
【００４７】
ホスト物質は、特にホストがリン光エミッターとの組合せにおいて用いられるものを意味する場合、マトリックスまたはマトリックス物質とも呼ばれる。エミッター単位を含む共重合体の場合、ポリマーのバックボーンがホストとして働く。
【００４８】
有機機能物質は金属錯体から選択することができる。量子力学によると、高スピン多重度を有する励起状態から、例えば、励起三重項状態から基底状態への遷移は禁止されている。
【００４９】
しかし、イリジウム、オスミウム、白金、およびユーロピウムなどの重原子の存在は、強力なスピン−軌道結合をもたらし、すなわち、三重項がいくつかの一重項の特性を得るように励起一重項と三重項とが混合され、一重項−三重項の混合が無放射のイベントよりも速い放射崩壊速度をもたらす場合、輝度が効率的であり得る。この種の放射は、Ｂａｌｄｏら、Ｎａｔｕｒｅ、３９５巻、１５１〜５４頁（１９９８年）によって最初に報告された通り、金属錯体を用いて達成することができる。
【００５０】
さらに本明細書の他所で言及するＨＩＭに対して、適切なＨＩＭは、フェニレンジアミン誘導体（ＵＳ  ３６１５４０４）、アリールアミン誘導体（ＵＳ  ３５６７４５０）、アミノ置換したカルコン誘導体（ＵＳ  ３５２６５０１）、スチリルアントラセン誘導体（ＪＰ昭和５４（１９７９）１１０８３７）、ヒドラゾン誘導体（ＵＳ  ３７１７４６２）、アシルヒドラゾン、スチルベン誘導体（ＪＰ昭和６１（１９８６）２１０３６３）、シラザン誘導体（ＵＳ  ４９５０９５０）、ポリシラン化合物（ＪＰ平成２（１９９０）２０４９９６）、ＰＶＫおよび他の導電性巨大分子、アニリンベースの共重合体（ＪＰ平成２（１９９０）２８２２６３）、導電性、巨大分子のチオフェンオリゴマー（ＪＰ平成１（１９８９）２１１３９９）、ＰＥＤＯＴ：ＰＳＳ（スピンコートしたポリマー（ｓｐｉｎ−ｃｏａｔｅｄ  ｐｏｌｙｍｅｒ））、プラズマ沈着したフルオロカーボンポリマー（ＵＳ６１２７００４、ＵＳ６２０８０７５、ＵＳ６２０８０７７）、ポルフィリン化合物（ＪＰ昭和６３（１９８８）２９５６９６５、ＵＳ４７２０４３２）、芳香族三級アミンおよびスチリルアミン（ＵＳ４１２７４１２）、ベンジジン型のトリフェニルアミン、スチリルアミン型のトリフェニルアミン、およびジアミン型のトリフェニルアミンである。フタロシアニン誘導体、ナフタロシアニン誘導体、またはブタジエン誘導体を用いることができるのと同じく、アリールアミンデンドリマーも用いることができ、これもまた適切である（ＪＰ平成８（１９９６）１９３１９１）。
【００５１】
ＨＩＭが、アミン、トリアリールアミン、チオフェン、カルバゾール、フタロシアニン、ポルフィリン、およびこれらの誘導体を含むモノマーの有機化合物から選択されるのが好ましい。
【００５２】
三級芳香族アミン（ＵＳ２００８／０１０２３１１  Ａ１）、例えば、Ｎ，Ｎ’−ジフェニル−Ｎ，Ｎ’−ジ（３−トリル）ベンジジン（＝４，４’−ビス［Ｎ−３−メチルフェニル］−Ｎ−フェニルアミノ）ビフェニル（ＮＰＤ）（ＵＳ５０６１５６９）、Ｎ，Ｎ’−ビス（Ｎ，Ｎ’−ジフェニル−４−アミノフェニル）−Ｎ，Ｎ−ジフェニル−４，４’−ジアミノ−１，１’−ビフェニル（ＴＰＤ２３２）および４，４’，４’’−トリス［３−メチルフェニル）−フェニルアミノ］−トリフェニルアミン（ＭＴＤＡＴＡ）（ＪＰ平成４（１９９２）３０８６８８）またはフタロシアニン誘導体（例えば、Ｈ２Ｐｃ、ＣｕＰｃ、ＣｏＰｃ、ＮｉＰｃ、ＺｎＰｃ、ＰｄＰｃ、ＦｅＰｃ、ＭｎＰｃ、ＣｌＡｌＰｃ、ＣｌＧａＰｃ、ＣｌＩｎＰｃ、ＣｌＳｎＰｃ、Ｃｌ２ＳｉＰｃ、（ＨＯ）ＡｌＰｃ、（ＨＯ）ＧａＰｃ、ＶＯＰｃ、ＴｉＯＰｃ、ＭｏＯＰｃ、ＧａＰｃ−Ｏ−ＧａＰｃ）が特に好ましい。
【００５３】
やはり置換されていてよい下記の式１（ＴＰＤ２３２）、２、３、および４のトリアミン化合物、ならびにＵＳ７３９９５３７Ｂ２、ＵＳ２００６／００６１２６５Ａ１、ＥＰ１６６１８８８Ａ１、およびＪＰ０８２９２５８６Ａに開示されているさらなる化合物が特に好ましい。
【００５４】
正孔注入物質として適するさらなる化合物は、ＥＰ０８９１１２１Ａ１およびＥＰ１０２９９０９Ａ１に開示されている。正孔注入層は一般的に、ＵＳ２００４／０１７４１１６に記載されている。
【化１】
2013524864.tif 000003
【００５５】
原則的に、当業者には知られている任意のＨＴＭを、本発明による構築において用いることができる。さらに、本明細書の他所で言及するＨＴＭに対して、ＨＴＭは、アミン、トリアリールアミン、チオフェン、カルバゾール、フタロシアニン、ポルフィリン、これらの異性体、および誘導体から選択されるのが好ましい。ＨＴＭが、アミン、トリアリールアミン、チオフェン、カルバゾール、フタロシアニン、およびポルフィリンから選択されるのが特に好ましい。
【００５６】
好ましくは、本発明によるデバイスまたは組成物の層が、３つ、特に好ましくは２つ、極めて特に好ましくは１つのＨＴＭを含む。
【００５７】
正孔輸送層に適する物質は、フェニレンジアミン誘導体（ＵＳ３６１５４０４）、アリールアミン誘導体（ＵＳ３５６７４５０）、アミノ置換カルコン誘導体（ＵＳ３５２６５０１）、スチリルアントラセン誘導体（ＪＰ  Ａ  ５６−４６２３４）、多環芳香族化合物（ＥＰ１００９０４１）、ポリアリールアルカン誘導体（ＵＳ３６１５４０２）、フルオレノン誘導体（ＪＰ  Ａ  ５４−１１０８３７）、ヒドラゾン誘導体（ＵＳ３７１７４６２）、スチルベン誘導体（ＪＰ  Ａ  ６１−２１０３６３）、シラザン誘導体（ＵＳ４９５０９５０）、ポリシラン（ＪＰ  Ａ  ２−２０４９９６）、アニリン共重合体（ＪＰ  Ａ  ２−２８２２６３）、チオフェンオリゴマー、ポリチオフェン、ＰＶＫ、ポリピロール、ポリアニリン、およびさらなる共重合体、ポルフィリン化合物（ＪＰ  Ａ  ６３−２９５６９６５）、芳香族ジメチリデン型化合物、カルバゾール化合物、例えば、ＣＤＢＰ、ＣＢＰ、ｍＣＰ、芳香族三級アミンおよびスチリルアミン化合物（ＵＳ４１２７４１２）、および単量体のトリアリールアミン（ＵＳ３１８０７３０）である。さらに、トリアリールアミノ基が分子中に存在してもよい。
【００５８】
少なくとも２つの三級アミン単位を含む芳香族三級アミン（ＵＳ４７２０４３２およびＵＳ５０６１５６９）、例えば、４，４’−ビス［Ｎ−（１−ナフチル）−Ｎ−フェニルアミノ］ビフェニル（ＮＰＤ）（ＵＳ５０６１５６９）またはＭＴＤＡＴＡ（ＪＰ  Ａ  ４−３０８６８８）、Ｎ，Ｎ，Ｎ’，Ｎ’−テトラ（４−ビフェニル）ジアミノビフェニレン（ＴＢＤＢ）、１，１−ビス（４−ジ−ｐ−トリルアミノフェニル）シクロヘキサン（ＴＡＰＣ）、１，１−ビス（４−ジ−ｐ−トリルアミノフェニル）−３−フェニルプロパン（ＴＡＰＰＰ）、１，４−ビス［２−［４−［Ｎ，Ｎ−ジ（ｐ−トリル）アミノ］フェニル］ビニル］ベンゼン（ＢＤＴＡＰＶＢ）、Ｎ，Ｎ，Ｎ’，Ｎ’−テトラ−ｐ−トリル−４，４’−ジアミノビフェニル（ＴＴＢ）、ＴＰＤ、Ｎ，Ｎ，Ｎ’，Ｎ’−テトラフェニル−４，４’’’−ジアミノ−１，１’：４’，１’’：４’’，１’’’−クアテルフェニル、同様にカルバゾール単位を含む三級アミン、例えば、４−（９Ｈ−カルバゾール−９−イル）−Ｎ，Ｎ−ビス［４−（９Ｈ−カルバゾール−９−イル）フェニル］ベンゼンアミン（ＴＣＴＡ）が好ましい。同様に、ＵＳ２００７／００９２７５５  Ａ１によるヘキサアザトリフェニレン化合物が好ましい。
【００５９】
置換されていてもよく、ＥＰ１１６２１９３  Ａ１  、ＥＰ６５０９５５  Ａ１、Ｓｙｎｔｈ．Ｍｅｔａｌｓ、１９９７年、９１巻（１〜３）、２０９頁、ＤＥ１９６４６１１９  Ａ１、ＷＯ  ２００６／１２２６３０  Ａ１、ＥＰ１８６００９７  Ａ１、ＥＰ１８３４９４５  Ａ１、ＪＰ０８０５３３９７  Ａ、ＵＳ６２５１５３１  Ｂ１、およびＷＯ２００９／０４１６３５に開示されている、以下の式５から１０のトリアリールアミン化合物が特に好ましい。
【化２】
2013524864.tif 000004
【００６０】
原則的に、当業者に知られている任意のＨＢＭを、本発明にしたがって用いることができる。さらに本明細書の他所に言及したＨＢＭに対して、適切な正孔阻止物質は、ビス（２−メチル−８−キノリノラト）（４−フェニルフェノラート）−アルミニウム（ＩＩＩ）（ＢＡＩＱ）などの金属錯体（ＵＳ２００３／００６８５２８）である。Ｆａｃ−トリス（１−フェニルピラゾラート（ｐｈｅｎｙｌｐｙｒａｚｏｌａｔｏ）−Ｎ，Ｃ２）イリジウム（ｌｌｌ）（Ｉｒ（ｐｐｚ）３）も、この目的で同様に用いられる（ＵＳ２００３／０１７５５５３  Ａ１）。ＢＣＰなどのフェナントロリン誘導体、またはＴＭＰＰなどのフタルイミドが同様に用いられる。
【００６１】
さらに、適切な正孔阻止物質は、ＷＯ００／７０６５５  Ａ２、ＷＯ０１／４１５１２、およびＷＯ０１／９３６４２  Ａ１に記載されている。
【００６２】
原則的に、当業者には知られている任意のＥＩＭを、本発明にしたがって用いることができる。さらに本明細書の他所で言及したＥＩＭに対して、８−ヒドロキシキノリン、複素環有機化合物、フルオレノン、フルオレニリデンメタン、ペリレンテトラカルボン酸、アントラキノンジメタン、ジフェノキノン、アンスロン、アントラキノンジエチレン−ジアミン、これらの異性体、および誘導体の金属錯体から選択される少なくとも１つの有機化合物を含む、本明細書の他所の適切なＥＩＭを、本発明にしたがって用いることができる。
【００６３】
例えば、Ａｌｑ３およびＧａｑ３などの、８ヒドロキシキノリンの金属錯体を、電子−注入層用のＥＩＭとして用いることができる。陰極に対するインターフェースの、例えば、Ｌｉ、Ｃｓ、Ｃａ、またはＭｇなどのアルカリ金属またはアルカリ土類金属との還元性ドーピングが有利である。Ｃｓを含む組合せ、例えば、ＣｓとＮａ、ＣｓとＫ、ＣｓとＲｂ、またはＣｓとＮａとＫとが好ましい。
【００６４】
複素環有機化合物、例えば、１，１０−フェナントロリン誘導体、ベンズイミダゾール、チオピランジオキシド、オキサゾール、トリアゾール、イミダゾール、またはオキサジアゾールが同様に適切である。適切な含窒素５員環の例は、オキサゾール、チアゾール、オキサジアゾール、チアジアゾール、トリアゾール、およびＵＳ２００８／０１０２３１１  Ａ１に開示されている化合物である。
【００６５】
好ましいＥＩＭは、置換されていても、または無置換でもよい、式１１から式１３を有する化合物から選択される。
【化３】
2013524864.tif 000005
【００６６】
有機化合物、例えば、フルオレノン、フルオレニリデンメタン、ペリレンテトラカルボン酸、アントラキノンジメタン、ジフェノキノン、アントロン、およびアントラキノンジエチレンジアミンを使用することができ、例えば、次の化合物を使用することができる。
【化４】
2013524864.tif 000006
【００６７】
原則的に、当業者に知られている任意のＥＴＭが、本発明にしたがって用いることができる。さらに、本明細書の他所で言及するＥＴＭに対して、適切なＥＴＭは、イミダゾール、ピリジン、ピリミジン、ピリダジン、ピラジン、オキサジアゾール、キノリン（ｃｈｉｎｏｌｉｎｅ）、キノキサリン（ｃｈｉｎｏｘａｌｉｎｅ）、アントラセン、ベンズアントラセン、ピレン、ペリレン、ベンズイミダゾール、トリアジン、ケトン、ホスフィンオキシド、フェナジン、フェナントロリン、トリアリールボラン、これらの異性体、および誘導体からなる群から選択される。
【００６８】
さらに適切なＥＴＭは、イミダゾール、ピリジン、ピリミジン、ピリダジン、ピラジン、オキサジアゾール、キノリン、キノキサリン、アントラセン、ベンズアントラセン、ピレン、ペリレン、ベンズイミダゾール、トリアジン、ケトン、ホスフィンオキシド、フェナジン、フェナントロリン、およびトリアリールボランから選択される。本発明によるデバイスまたは組成物の層は、好ましくは３つ、特に好ましくは２つ、極めて特に好ましくは１つのＥＴＭを含む。
【００６９】
電子輸送層にさらに適するＥＴＭは、８−ヒドロキシキノリンの金属キレート（例えば、Ｌｉｑ、Ａｌｑ３、Ｇａｑ３、Ｍｇｑ２、Ｚｎｑ２、Ｉｎｑ３、Ｚｒｑ４）、Ｂａｌｑ、４アザフェナントレン−５−オール／Ｂｅ錯体（ＵＳ５５２９８５３Ａ、例えば、式１６）、ブタジエン誘導体（ＵＳ４３５６４２９）、複素環蛍光増白剤（ＵＳ４５３９５０７）、ベンザゾール、例えば、１，３，５−トリス（２−Ｎ−フェニルベンズイミダゾリル）ベンゼン（ＴＰＢＩ）（ＵＳ５７６６７７９、式１７）、１，３，５−トリアジン、ピレン、アントラセン、テトラセン、フルオレン、スピロビフルオレン、デンドリマー、テトラセン、例えば、ルブレン誘導体、１，１０−フェナントロリン誘導体（ＪＰ２００３／１１５３８７、ＪＰ２００４／３１１１８４、ＪＰ２００１／２６７０８０、ＷＯ２００２／０４３４４９）、シルアシルシクロペンタジエン（ｓｉｌａｃｙｌ−ｃｙｃｌｏｐｅｎｔａｄｉｅｎｅ）誘導体（ＥＰ１４８０２８０、ＥＰ１４７８０３２、ＥＰ１４６９５３３）、ピリジン誘導体（ＪＰ２００４／２００１６２  Ｋｏｄａｋ）、フェナントロリン、例えば、ＢＣＰおよびＢｐｈｅｎ、またビフェニルもしくは他の芳香族基によって結合している数々のフェナントロリン（ＵＳ２００７／０２５２５１７  Ａ１）、またはアントラセンに結合しているフェナントロリン（ＵＳ２００７／０１２２６５６  Ａ１、例えば、式１８および式１９）、１，３，４−オキサジアゾール、例えば、式２０、トリアゾール、例えば、式２１、トリアリールボラン、例えば、Ｓｉを有するもの（例えば、式４８）、ベンズイミダゾール誘導体、および他のＮ複素環化合物（ＵＳ２００７／０２７３２７２  Ａ１を参照されたい）、シルアシクロペンタジエン（Ｓｉｌａｃｙｃｌｏｐｅｎｔａｄｉｅｎｅ）誘導体、ボラン誘導体、Ｇａオキシノイド錯体である。
【００７０】
２，９，１０−置換アントラセン（１−もしくは２−ナフチルおよび４−もしくは３−ビフェニルを有する）、またはアントラセン単位を２個含んでいる分子が好ましい（ＵＳ２００８．０１９３７９６  Ａ１）。
【化５】
2013524864.tif 000007
【００７１】
同様に、アントラセン−ベンズイミダゾール誘導体、例えば、式２２から式２４の化合物、および、例えば、ＵＳ６８７８４６９  Ｂ２、ＵＳ２００６／１４７７４７  Ａ、およびＥＰ１５５１２０６  Ａ１に開示されているものが好ましい。
【化６】
2013524864.tif 000008
【００７２】
原則的に、当業者には知られている任意のＥＢＭを、本発明にしたがって用いることができる。さらに、本明細書の他所で言及したＥＢＭに対して、遷移金属錯体、例えばＩｒ（ｐｐｚ）３（ＵＳ２００３／０１７５５５３）を電子阻止層用の物質として用いることができる。
【００７３】
ＥＢＭが、アミン、トリアリールアミン、カルバゾール、インドールカルバゾール、およびこれらの誘導体からさらに選択されるのが好ましい。
【００７４】
当業者には、本発明にしたがって用いるのに適するＥｘＢＭの選択は、隣接層のエネルギーギャップに依存することが知られている。適切なＥｘＢＭは、好ましくは放射層である隣接層における機能物質よりも一重項または三重項のいずれかである、より大きなエネルギーギャップを有すると想定される。さらに、本明細書の他所で言及するＥｘＢＭに対して、置換されているトリアリールアミン、例えば、ＭＴＤＡＴＡ、または４，４’，４’’−トリス（Ｎ，Ｎ−ジフェニルアミノ）トリフェニルアミン（ＴＤＡＴＡ）を、電子阻止層に対するＥｘＢＭとして用いることができる。置換されているトリアリールアミンは、例えば、ＵＳ２００７／０１３４５１４  Ａ１に記載されている。
【００７５】
ＴＣＴＡなどのＮ−置換されているカルバゾール化合物、またはＢＣＰなどの複素環も適切である。
【００７６】
Ｉｒ（ｐｐｚ）３またはＡｌｑ３などの金属錯体も、同様にこの目的に用いることができる。
【００７７】
原則的に、当業者には知られている任意のホスト物質を、本発明にしたがって用いることができる。用いるエミッターの種類に応じて、ホスト物質を、蛍光エミッター用のホスト、およびリン光エミッター用のホストの２つのカテゴリーに分けることができ、後者はしばしばマトリックスまたはマトリックス物質と呼ばれる。
【００７８】
アントラセン、ベンズアントラセン、インデノフルオレン、フルオレン、スピロビフルオレン、フェナントレン、デヒドロフェナントレン、チオフェン、トリアジン、イミダゾール、ケトン、カルバゾール、トリアリールアミン、およびこれらの誘導体から選択されるホスト物質が好ましい。
【００７９】
アントラセン、ベンズアントラセン、インデノフルオレン、フルオレン、スピロビフルオレン、フェナントレン、デヒドロフェナントレン、チオフェン、トリアジン、イミダゾール、ケトン、カルバゾール、インドロカルバゾール、およびトリアリールアミンから選択されるホスト物質が特に好ましい。
【００８０】
ＯＬＥＤまたは本発明による組成物の層は、１つを超えるホスト物質を含むこともでき、好ましくは３つのホスト物質を、特に好ましくは２つのホスト物質を、極めて特に好ましくは１つのホスト物質を含む。ＯＬＥＤまたは本発明による組成物の層が、少なくとも２つのホスト物質を含む場合、ホスト物質は、コ−ホスト（ｃｏ−ｈｏｓｔ）またはコ−ホスト物質とも呼ばれる。
【００８１】
蛍光エミッターに適する好ましいホスト物質は、アントラセン、ベンズアントラセン、インデノフルオレン、フルオレン、スピロビフルオレン、フェナントレン、デヒドロフェナントレン、チオフェン、トリアジン、イミダゾール、およびこれらの誘導体から選択される。
【００８２】
蛍光エミッターに適する好ましいホスト物質は、アントラセン、ベンズアントラセン、インデノフルオレン、フルオレン、スピロビフルオレン、フェナントレン、デヒドロフェナントレン、チオフェン、トリアジン、およびイミダゾールから選択される。
【００８３】
蛍光エミッターに特に好ましいホスト物質は、オリゴアリーレン（例えば、ｅｐ６７６４６１による２，２’，７，７’−テトラフェニルスピロビフルオレン、またはジナフチルアントラセン）、特に、縮合芳香族基を含んでいるオリゴアリーレン、例えば、フェナントレン、テトラセン、コロネン、クリセン、フルオレン、スピロフルオレン、ペリレン、フタロペリレン、ナフタロペリレン、デカシクレン、ルブレン、オリゴアリーレンビニレン（例えば、ｅｐ６７６４６１による、４，４’−ビス（２，２−ジフェニルエテニル）−１，１’−ビフェニル（ｄｐｖｂＩ）または４，４−ビス−２，２−ジフェニルビニル−１，１−スピロビフェニル（スピロ−ｄｐｖｂＩ））、ポリポダル（ＰＯＬＹＰＯＤＡＬ）金属錯体（例えば、ｗｏ２００４／０８１０１７による）、特に、８ヒドロキシキノリンの金属錯体、例えば、アルミニウム（ｉｉｉ）トリス（８−ヒドロキシキノリン）（アルミニウムキノレート、ａＬＱ３）またはビス（２−メチル−８−キノリノラト）−４−（フェニルフェノリノラト（ＰＨＥＮＹＬＰＨＥＮＯＬＩＮＯＬＡＴＯ））アルミニウム、またイミダゾールキレート（ｕｓ２００７／００９２７５３  ａ１）、およびキノリン−金属錯体、アミノキノリン−金属錯体、ベンゾキノリン−金属錯体、孔伝導性化合物（例えば、ｗｏ２００４／０５８９１１による）、電子伝導性化合物、特に、ケトン、ホスフィン、オキシド、スルホキシドなど（例えば、ｗｏ２００５／０８４０８１およびｗｏ２００５／０８４０８２による）、アトロプ異性体（例えば、ｗｏ２００６／０４８２６８による）、ボロン酸誘導体（例えば、ｗｏ２００６／１１７０５２による）、またはベンズアントラセン（例えば、ｄｅ  １０２００７０２４８５０）のクラスから選択される。特に好ましいホスト物質は、ナフタレン、アントラセン、ベンズアントラセン、および／またはピレンを含むオリゴアリーレンのクラス、あるいはこれらの化合物のアトロプ異性体、ケトン、ホスフィン、オキシド、およびスルホキシドから選択される。極めて特に好ましいホスト物質は、アントラセン、ベンズアントラセン、および／またはピレンを含むオリゴアリーレンのクラス、あるいはこれらの化合物のアトロプ異性体から選択される。本発明の目的では、オリゴアリーレンが、少なくとも３つのアリール基またはアリーレン基が相互に結合している化合物を意味すると理解されることが意図される。
【００８４】
蛍光エミッターにさらに好ましいホスト物質は、特に、式２５の化合物から選択され、
【化７】
2013524864.tif 000009
【００８５】
式中、
Ａｒ４、Ａｒ５、Ａｒ６は、各事象において、同一にまたは異なって、芳香環原子５個から３０個を有するアリールまたはヘテロアリール基（これらは、１以上の基によって置換されていてよい）であり、
ｐは、１、２、または３であり、
Ａｒ４、Ａｒ５、およびＡｒ６におけるπ電子の和は、ｐ＝１の場合は少なくとも３０であり、ｐ＝２の場合は少なくとも３６であり、ｐ＝３の場合は少なくとも４２である。
【００８６】
式２５のホスト物質において、Ａｒ５基に対してアントラセン（これは１以上のＲ１基によって置換されていてよい）を意味し、Ａｒ４基およびＡｒ６基に対して９位および１０位において結合しているのが特に好ましい。少なくとも１つのＡｒ４基および／またはＡｒ６基が、１−もしくは２−ナフチル、２−、３−、もしくは９−フェナントレニル、または２−、３−、４−、５−、６−、もしくは７−ベンズアントラセニル（これらの各々は１以上の基Ｒ１によって置換されていてよい）から選択される縮合アリール基であることが極めて特に好ましい。アントラセンベースの化合物は、ＵＳ２００７／００９２７５３  Ａ１およびＵＳ２００７／０２５２５１７  Ａ１に記載されており、例えば、２−（４−メチルフェニル）−９，１０−ジ−（２−ナフチル）アントラセン、９−（２−ナフチル）−１０−（１，１’−ビフェニル）アントラセン、および９，１０−ビス［４−（２，２−ジフェニルエテニル）フェニル］アントラセン、９，１０−ジフェニルアントラセン、９，１０−ビス（フェニルエチニル）アントラセン、および１，４−ビス（９’−エチニルアントラセニル）ベンゼンである。アントラセン単位２個を含んでいるホスト物質（ＵＳ２００８／０１９３７９６  Ａ１）、例えば、１０，１０’−ビス［１，１’，４’，１’’］テルフェニル−２−イル−９，９’−ビスアントラセニルも好ましい。
【００８７】
さらなる好ましいホスト物質は、アリールアミンの誘導体、スチリルアミンの誘導体、フルオレセインの誘導体、ペリノンの誘導体、フタロペリノンの誘導体、ナフタロペリノンの誘導体、ジフェニルブタジエンの誘導体、テトラフェニルブタジエンの誘導体、シクロペンタジエンの誘導体、テトラフェニルシクロペンタジエンの誘導体、ペンタフェニルシクロペンタジエンの誘導体、クマリンの誘導体、オキサジアゾールの誘導体、ビスベンズオキサゾリンの誘導体、オキサゾンの誘導体、ピリジンの誘導体、ピラジンの誘導体、イミンの誘導体、ベンゾチアゾールの誘導体、ベンズオキサゾールの誘導体、ベンズイミダゾールの誘導体（ＵＳ２００７／００９２７５３  Ａ１）、例えば、２，２’，２’’−（１，３，５−フェニレン）トリス［１−フェニル−１Ｈ−ベンズイミダゾール］、アルダジンの誘導体、スチルベンの誘導体、スチリルアリーレン誘導体の誘導体、例えば、９，１０−ビス［４−（２，２−ジフェニルエテニル）フェニル］アントラセン、およびジスチリルアリーレン誘導体（ＵＳ  ５１２１０２９）の誘導体、ジフェニルエチレンの誘導体、ビニルアントラセンの誘導体、ジアミノカルバゾールの誘導体、ピランの誘導体、チオピランの誘導体、ジケトピロロピロールの誘導体、ポリメチンの誘導体、メロシアニンの誘導体、アクリドンの誘導体、キナクリドンの誘導体、ケイ皮酸エステルの誘導体、および蛍光色素の誘導体である。
【００８８】
アリールアミンおよびスチリルアミンの誘導体、例えば、４，４’−ビス［Ｎ−（１−ナフチル）−Ｎ−（２−ナフチル）アミノ］ビフェニル（ＴＮＢ）が特に好ましい。
【００８９】
蛍光エミッターに対するホストとしてオリゴアリーレンとの好ましい化合物は、例えば、ＵＳ２００３／００２７０１６  Ａ１、ＵＳ７３２６３７１  Ｂ２、ＵＳ２００６／０４３８５８  Ａ、ＵＳ７３２６３７１  Ｂ２、ＵＳ２００３／００２７０１６  Ａ１、ＷＯ２００７／１１４３５８、ＷＯ２００８／１４５２３９、ＪＰ３１４８１７６  Ｂ２、ＥＰ１００９０４４、ＵＳ２００４／０１８３８３、ＷＯ２００５／０６１６５６  Ａ１、ＥＰ０６８１０１９Ｂ１、ＷＯ２００４／０１３０７３Ａ１、ＵＳ５０７７１４２、ＷＯ２００７／０６５６７８、およびＵＳ２００７／０２０５４１２  Ａ１に開示されている化合物である。特に好ましいオリゴアリーレンベースの化合物は、式２６から式３２を有する化合物である。
【化８】
2013524864.tif 000010
【００９０】
蛍光エミッターのためのさらなるホスト物質は、スピロビフルオレンおよびその誘導体、例えば、ＥＰ０６７６４６１に開示されているスピロ−ＤＰＶＢｉ、およびＵＳ６５６２４８５に開示されているインデノフルオレンから選択することができる。
【００９１】
リン光エミッター、すなわちマトリックス物質に好ましいホスト物質は、ケトン、カルバゾール、インドロカルバゾール、トリアリールアミン、インデノフルオレン、フルオレン、スピロビフルオレン、フェナトレン（ｐｈｅｎａｔｈｒｅｎｅ）、デヒドロフェナントレン、チオフェン、トリアジン、イミダゾール、およびこれらの誘導体から選択される。いくつかの好ましい誘導体を、以下により詳しく記載する。
【００９２】
例えば、有機発光ダイオード（ＯＬＥＤ）におけるエレクトロルミネセンス化合物としてリン光エミッターを用いる場合、ホスト物質は、蛍光エミッターに用いられるホスト物質に比べて多少異なる特徴を満たさなければならない。リン光エミッターに用いられるホスト物質は、エミッターの三重項準位に比べてエネルギーが高い三重項準位を有することが必要とされる。ホスト物質は、電子または孔またはその両方のいずれかを輸送することができる。さらに、エミッターは、一重項−三重項の混合を十分に促進するために、大きなスピン−軌道カップリング定数を有することが想定される。これは金属錯体の使用によって可能になり得る。
【００９３】
好ましいマトリックス物質は、Ｎ，Ｎ−ビスカルバゾリルビフェニル（ＣＢＰ）、カルバゾール誘導体（例えば、ＷＯ２００５／０３９２４６、ＵＳ２００５／００６９７２９、ＪＰ２００４／２８８３８１、ＥＰ１２０５５２７、またはＤＥ１０２００７００２７１４による）、アザカルバゾール（例えば、ＥＰ  １６１７７１０、ＥＰ１６１７７１１、ＥＰ１７３１５８４、ＪＰ２００５／３４７１６０による）、ケトン（例えば、ＷＯ２００４／０９３２０７による）、ホスフィンオキシド、スルホキシド、およびスルホン（例えば、ＷＯ２００５／００３２５３による）、オリゴフェニレン、芳香族アミン（例えば、ＵＳ２００５／００６９７２９による）、双極性マトリックス物質（例えば、ＷＯ２００７／１３７７２５による）、シラン（例えば、ＷＯ２００５／１１１１７２による）、９，９−ジアリールフルオレン誘導体（例えば、ＤＥ１０２００８０１７５９１による）、アザボロール、またはボロン酸エステル（例えば、ＷＯ２００６／１１７０５２による）、トリアゾール誘導体、オキサゾール、およびオキサゾール誘導体、イミダゾール誘導体、ポリアリールアルカン誘導体、ピラゾリン誘導体、ピラゾロン誘導体、ジスチリルピラジン誘導体、チオピランジオキシド誘導体、フェニレンジアミン誘導体、三級芳香族アミン、スチリルアミン、インドール、アンスロン誘導体、フルオレノン誘導体、フルオレニリデンメタン誘導体、ヒドラゾン誘導体、シラザン誘導体、芳香族ジメチリデン化合物、ポルフィリン化合物、カルボジイミド誘導体、ジフェニルキノン誘導体、フタロシアニン誘導体、８ヒドロキシキノリン誘導体の金属錯体、例えば、Ａｌｑ３であり、８ヒドロキシキノリン錯体は、トリアリールアミノフェノールリガンド（ＵＳ２００７／０１３４５１４  Ａ１）、金属フタロシアニンとの様々な金属錯体−ポリスチレン化合物、リガンドとしてベンズオキサゾールまたはベンゾチアゾール、孔伝導性ポリマー、例えば、ポリ（Ｎ−ビニルカルバゾール）（ＰＶＫ）、アニリン共重合体、チオフェンオリゴマー、ポリチオフェン、ポリチオフェン誘導体、ポリフェニレン誘導体、ポリフルオレン誘導体も含むことができる。
【００９４】
さらなる特に好ましいマトリックス物質は、例えば、ＤＥ１０２００９０２３１５５．２、ＥＰ０９０６９４７  Ｂ１、ＥＰ０９０８７８７  Ｂ１、ＥＰ９０６９４８  Ｂ１、ＷＯ２００８／０５６７４６  Ａ１、ＷＯ２００７／０６３７５４  Ａ１、ＷＯ２００８／１４６８３９  Ａ１、およびＷＯ２００８／１４９６９１  Ａ１に開示されている通り、インドロカルバゾールおよびその誘導体（例えば、式３３から式３９）を含む化合物から選択される。
【化９】
2013524864.tif 000011
【００９５】
好ましいカルバゾール誘導体の例には、１，３−Ｎ，Ｎ−ジカルバゾールベンゼン（＝９，９’−（１，３−フェニレン）ビス−９Ｈ−カルバゾール）（ｍＣＰ）、９，９’−（２，２’−ジメチル［１，１’，−ビフェニル］−４，４’−ジイル）ビス−９Ｈ−カルバゾール（ＣＤＢＰ）、１，３−ビス（Ｎ，Ｎ’−ジカルバゾール）ベンゼン（＝１，３−ビス（カルバゾール−９−イル）ベンゼン）、ＰＶＫ（ポリビニルカルバゾール）、３，５−ジ（９Ｈ−カルバゾール−９−イル）ビフェニル、および式４０から式４４の化合物がある。
【化１０】
2013524864.tif 000012
【００９６】
好ましいＳｉテトラアリール化合物は、例えば、（ＵＳ２００４／０２０９１１５、ＵＳ２００４／０２０９１１６、ＵＳ２００７／００８７２１９  Ａ１、ＵＳ２００７／００８７２１９  Ａ１）式４５から式５０の化合物である。
【化１１】
2013524864.tif 000013
【００９７】
リン光ドーパントに特に好ましいマトリックスは、式５１の化合物である（ＥＰ６５２２７３  Ｂ１）。
【化１２】
2013524864.tif 000014
【００９８】
リン光ドーパントにさらに特に好ましいマトリックス物質は、一般式５２の化合物から選択され（ＥＰ１９２３４４８  Ａ１）、
【化１３】
2013524864.tif 000015
【００９９】
式中、Ｍ、Ｌ、およびｎは、参照において定義される通りである。ＭがＺｎであり、Ｌがキノリナート（ｑｕｉｎｏｌｉｎａｔｅ）であり、ｎが２、３、または４であることが好ましい。［Ｚｎｑ２］２、［Ｚｎｑ２］３、および［Ｚｎｑ２］４が極めて特に好ましい。
【０１００】
金属オキシノイド錯体から選択されるコ−ホストが好ましく、リチウムキノレート（Ｌｉｑ）またはＡｌｑ３が特に好ましい。
【０１０１】
エミッター化合物は、ホスト化合物に比べて小さいバンドギャップを有することが必要とされる。一般的に、共役分子系のπ電子系を伸長させることによってより小さいバンドギャップを実現することができる。それゆえ、エミッター化合物は、ホスト分子よりも伸長したコンジュゲートπ電子系を有する傾向がある。ＪＰ  ２９１３１１６ＢおよびＷＯ２００１／０２１７２９  Ａ１に開示されているスチリルアミン誘導体、ならびにＷＯ２００８／００６４４９およびＷＯ２００７／１４０８４７に開示されているインデノフルオレン誘導体など、多くの例が公開されている。
【０１０２】
好ましくは、本発明によるデバイスまたは組成物の層は、３つの、特に好ましくは２つの、極めて特に好ましくは１つのエミッター物質を含む。１つを超えるエミッター物質を用いる場合、フェルスターエネルギー伝達を促進するために、１つのエミッター物質の放射スペクトルは別のエミッター物質の吸収スペクトルと重複する。
【０１０３】
好ましくは、本発明による化合物は、一重項エミッター（複数可）の場合、放射層の全質量に対して、０．１重量%から２０重量%の間の、好ましくは０．５重量%から１５重量％の間の、特に好ましくは１重量%から１０重量%の間の、極めて特に好ましくは１重量%から８重量%の間の範囲の濃度の１以上のエミッター物質を含み；リン光体エミッター（複数可）の場合、放射層の全質量に対して、０．１重量%から３０重量%の間の、好ましくは１重量%から２０重量％の間の、特に好ましくは５重量%から２０重量%の間の、極めて特に好ましくは１０重量%から２０重量%の間の範囲の濃度の１以上のエミッター物質を含む。
【０１０４】
本発明によるデバイスまたは組成物が２つのエミッター物質を含むことが好ましい。両方のエミッター物質がリン光エミッター物質から選択されることが特に好ましい。両方のエミッター物質が蛍光エミッター物質から選択されることが特に好ましい。
【０１０５】
青色蛍光エミッターが、多環芳香族化合物、例えば、９，１０−ジ（２−ナフチルアントラセン）および他のアントラセン誘導体、テトラセンの誘導体、キサンテンの誘導体、ペリレンの誘導体、例えば、２，５，８，１１−テトラ−ｔ−ブチルペリレン、フェニレンの誘導体、例えば、４，４’−（ビス（９−エチル−３−カルバゾビニレン）−１，１’−ビフェニル、フルオレンの誘導体、アリールピレンの誘導体（ＵＳ  ２００６／０２２２８８６）、アリーレンビニレンの誘導体（ＵＳ  ５１２１０２９、ＵＳ  ５１３０６０３）、ルブレンの誘導体、クマリンの誘導体、ローダミンの誘導体、キナクリドンの誘導体、例えば、Ν，Ν’−ジメチルキナクリドン（ＤＭＱＡ）、ジシアノメチレンピランの誘導体、例えば、４（ジシアノエチレン）−６−（４−ジメチルアミノスチリル−２−メチル）−４Ｈ−ピラン（ＤＣＭ）、チオピラン、ポリメチン、ピリリウムおよびチアピリリウム塩、ペリフランテン、インデノペリレン、ビス（アジニル）イミン−ボロン化合物（ＵＳ  ２００７／００９２７５３  Ａ１）、ビス（アジニル）メテン化合物、ならびにカルボスチリル化合物であることが好ましい。
【０１０６】
さらに好ましい青色蛍光エミッターは、Ｃ．Ｈ．Ｃｈｅｎら、「Ｒｅｃｅｎｔ  ｄｅｖｅｌｏｐｍｅｎｔｓ  ｉｎ  ｏｒｇａｎｉｃ  ｅｌｅｃｔｒｏｌｕｍｉｎｅｓｃｅｎｔ  ｍａｔｅｒｉａｌｓ」、Ｍａｃｒｏｍｏｌ．Ｓｙｍｐ．、１２５巻（１９９７年）、１〜４８頁、および「Ｒｅｃｅｎｔ  ｐｒｏｇｒｅｓｓ  ｏｆ  ｍｏｌｅｃｕｌａｒ  ｏｒｇａｎｉｃ  ｅｌｅｃｔｒｏｌｕｍｉｎｅｓｃｅｎｔ  ｍａｔｅｒｉａｌｓ  ａｎｄ  ｄｅｖｉｃｅｓ」、Ｍａｔ．Ｓｃｉ．ａｎｄ  Ｅｎｇ．Ｒ、３９巻（２００２年）、１４３〜２２２頁に記載されている。
【０１０７】
本発明による好ましい蛍光ドーパントは、モノスチリルアミン、ジスチリルアミン、トリスチリルアミン、テトラスチリルアミン、スチリルホスフィン、スチリルエーテル、およびアリールアミンのクラスから選択される。
【０１０８】
モノスチリルアミンは、１つの置換または無置換のスチリル基、および少なくとも１つの好ましくは芳香族の、アミンを含む化合物を意味すると理解される。ジスチリルアミンは、２つの置換または無置換のスチリル基および少なくとも１つの、好ましくは芳香族の、アミンを含む化合物を意味すると理解される。トリスチリルアミンは、３つの置換または無置換のスチリル基および少なくとも１つの、好ましくは芳香族の、アミンを含む化合物を意味すると理解される。テトラスチリルアミンは、４つの置換または無置換のスチリル基および少なくとも１つの、好ましくは芳香族の、アミンを含む化合物を意味すると理解される。スチリル基が、さらに置換されていてもよいスチルベンであるのが特に好ましい。対応するホスフィンおよびエーテルは、アミンに同様に定義される。本発明の目的では、アリールアミンまたは芳香族アミンは、窒素に直接結合している、置換または無置換の芳香族環系または芳香族複素環系を３つ含んでいる化合物を意味すると理解される。これらの芳香族環系または芳香族複素環系の少なくとも１つが縮合環系であるのが好ましく、少なくとも１４個の芳香族環原子を有するのが好ましい。この好ましい例には、芳香族アントラセン−アミン、芳香族アントラセン−ジアミン、芳香族ピレン−アミン、芳香族ピレン−ジアミン、芳香族クリセン−アミン、および芳香族クリセン−ジアミンがある。芳香族アントラセンアミンは、１つのジアリールアミノ基が、好ましくは９位で、アントラセン基に直接結合している化合物を意味すると理解される。芳香族アントラセン−ジアミンは、２つのジアリールアミノ基が、好ましくは９、１０位でアントラセン基に直接結合している化合物を意味すると理解される。芳香族ピレン−アミン、ピレン−ジアミン、クリセン−アミン、およびクリセン−ジアミンは、ピレン上のジアリールアミノ基が好ましくは１位または１、６位で結合している化合物と同様に定義される。
【０１０９】
さらに好ましい蛍光ドーパントは、例えば、ＷＯ２００６／１２２６３０にしたがって、インデノフルオレン−アミンおよびインデノフルオレン−ジアミンから、例えば、ＷＯ２００８／００６４４９にしたがって、ベンゾインデノフルオレン−アミンおよびベンゾインデノフルオレン−ジアミンから、例えば、ＷＯ２００７／１４０８４７にしたがって、ジベンゾインデノフルオレン−アミンおよびジベンゾインデノフルオレン−ジアミンから選択される。
【０１１０】
スチリルアミンのクラスからのドーパントの例には置換または無置換のトリスチルベン−アミン、またはＷＯ２００６／０００３８８、ＷＯ２００６／０５８７３７、ＷＯ２００６／０００３８９、ＷＯ２００７／０６５５４９、およびＷＯ２００７／１１５６１０に記載されているドーパントがある。ジスチリルベンゼンおよびジスチリルビフェニル誘導体は、ＵＳ  ５１２１０２９に記載されている。さらなるスチリルアミンはＵＳ２００７／０１２２６５６  Ａ１に見出される。
【０１１１】
特に好ましいスチリルアミンドーパントおよびトリアリールアミンドーパントは、式５３から式５８の化合物、およびＵＳ７２５０５３２  Ｂ２、ＤＥ１０２００５０５８５５７  Ａ１、ＣＮ１５８３６９１  Ａ、ＪＰ０８０５３３９７  Ａ、ＵＳ６２５１５３１  Ｂ１、およびＵＳ２００６／２１０８３０  Ａに開示されている通りである。
【化１４】
2013524864.tif 000016
【０１１２】
さらに好ましい蛍光ドーパントは、ＥＰ１９５７６０６  Ａ１およびＵＳ２００８／０１１３１０１  Ａ１に開示されているトリアリールアミンの群から選択される。
【０１１３】
さらに好ましい蛍光ドーパントは、ナフタレン、アントラセン、テトラセン、フルオレン、ペリフランテン、インデノペリレン、フェナントレン、ペリレン（ＵＳ２００７／０２５２５１７  Ａ１）、ピレン、クリセン、デカサイクレン、コロネン、テトラフェニルシクロペンタジエン、ペンタフェニルシクロペンタジエン、フルオレン、スピロフルオレン、ルブレン、クマリン（ＵＳ４７６９２９２、ＵＳ６０２００７８、ＵＳ２００７／０２５２５１７  Ａ１）、ピラン、オキサゾン、ベンズオキサゾール、ベンゾチアゾール、ベンズイミダゾール、ピラジン、ケイ皮酸エステル、ジケトピロロピロール、アクリドン、およびキナクリドン（ＵＳ２００７／０２５２５１７  Ａ１）の誘導体から選択される。
【０１１４】
アントラセン化合物の中では、例えば、９，１０−ジフェニルアントラセン、および９，１０−ビス（フェニルエチニル）アントラセンなどの９，１０−置換アントラセンが特に好ましい。１，４−ビス（９’−エチニルアントラセニル）ベンゼンも好ましいドーパントである。
【０１１５】
リン光エミッターの例は、ＷＯ００／７０６５５、ＷＯ０１／４１５１２、ＷＯ０２／０２７１４、ＷＯ０２／１５６４５、ＥＰ１１９１６１３、ＥＰ１１９１６１．２、ＥＰ１１９１６１４、およびＷＯ２００５／０３３２４４の出願によって明らかにされている。一般的に、リン光ＯＬＥＤに対する先行技術にしたがって用いられ、有機エレクトロルミネセンスの分野の技術者によって知られている全てのリン光複合体が適切であり、当業者であれば進歩性なしにさらなるリン光複合体を使用することができる。
【０１１６】
リン光エミッターは、好ましくは式Ｍ（Ｌ）Zを有する金属錯体であってよく、式中、Ｍは金属原子であり、Ｌは各場合において相互に独立して、１つ、２つ、またはそれを超える位置によってＭに結合し、または配位している有機リガンドであり、ｚは≧１の整数であり、好ましくは１、２、３、４、５、または６であり、任意に、これらの基は１以上の、好ましくは１つ、２つ、または３つの位置によって、好ましくはリガンドＬによってポリマーに連結している。
【０１１７】
Ｍは、特に、遷移金属から選択され、好ましくはＶＩＩＩ族、またはランタノイド、またはアクチニドの遷移金属から選択され、特に好ましくはＲｈ、Ｏｓ、Ｉｒ、Ｐｔ、Ｐｄ、Ａｕ、Ｓｍ、Ｅｕ、Ｇｄ、Ｔｂ、Ｄｙ、Ｒｅ、Ｃｕ、Ｚｎ、Ｗ、Ｍｏ、Ｐｄ、Ａｇ、またはＲｕから選択され、極めて特に好ましくは、Ｏｓ、Ｉｒ、Ｒｕ、Ｒｈ、Ｒｅ、Ｐｄ、またはＰｔから選択される金属原子である。ＭはＺｎであってもよい。
【０１１８】
本発明によるデバイスまたは組成物の層は、少なくとも１つの金属錯体を含むこともできる。好ましくは、本発明によるデバイスまたは組成物の層は３つの、特に好ましくは２つの、極めて特に好ましくは１つの金属錯体を含む。
【０１１９】
好ましいリガンドには、２フェニルピリジン誘導体、７，８−ベンゾキノリン誘導体、２（２−チエニル）ピリジン誘導体、２（１−ナフチル）ピリジン誘導体、または２フェニルキノリン誘導体がある。これらの化合物は全て、青色に対してフルオロ−またはトリフルオロメチル置換によるなど、置換されていてよい。補助的なリガンドがアセチルアセトネートまたはピクリン酸であるのが好ましい。
【０１２０】
特に、Ｒ１からＲ１４およびＺ１からＺ５が参考文献において定義される通りである、ＵＳ２００７／００８７２１９  Ａ１に開示される式５９の四座配位子を有するＰｔまたはＰｄの錯体、拡大した環系を有するＰｔポルフィリン錯体（ＵＳ２００９／００６１６８１  Ａ１）、およびＩｒ錯体が適切であり、例えば、２，３，７，８，１２，１３，１７，１８−オクタエチル−２１Ｈ，２３Ｈ−ポルフィリン−Ｐｔ（ＩＩ）、テトラフェニル−Ｐｔ（ＩＩ）−テトラベンゾポルフィリン（ＵＳ２００９／００６１６８１  Ａ１）、ｃｉｓ−ビス（２−フェニルピリジネート−Ｎ，Ｃ２’）Ｐｔ（ＩＩ）、ｃｉｓ−ビス（２−（２’−チエニル）ピリジネート−Ｎ，Ｃ３’）Ｐｔ（ＩＩＩ）、ｃｉｓ−ビス（２−（２’−チエニル）キノリネート−Ｎ，Ｃ５’）Ｐｔ（ＩＩ）、（２−（４，６−ジフルオロフェニル）ピリジネート−Ｎ，Ｃ２’）Ｐｔ（ＩＩＩ）アセチルアセトネート、またはトリス（２−フェニルピリジネート−Ｎ，Ｃ２’）Ｉｒ（ＩＩＩ）（Ｉｒ（ｐｐｙ）３、緑色）、ビス（２−フェニルピリジネート−Ｎ，Ｃ２）Ｉｒ（ＩＩＩ）アセチルアセトネート（ｌｒ（ｐｐｙ）２アセチルアセトネート、緑色、ＵＳ２００１／００５３４６２  Ａ１、Ｂａｌｄｏ、Ｔｈｏｍｐｓｏｎら、Ｎａｔｕｒｅ、４０３巻、（２０００年）、７５０〜７５３頁）、ビス（１−フェニルイソキノリネート（ｉｓｏｑｕｉｎｏｌｉｎａｔｏ）−Ｎ，Ｃ２’）（２−フェニルピリジネート−Ｎ，Ｃ２’）イリジウム（ＩＩＩ）、ビス（２−フェニルピリジネート−Ｎ，Ｃ２’）（１−フェニルイソキノリネート−Ｎ，Ｃ２’）イリジウム（ＩＩＩ）、ビス（２−（２’−ベンゾチエニル）ピリジネート−Ｎ，Ｃ３’）イリジウム（ＩＩＩ）アセチルアセトネート、ビス（２−（４’，６’−ジフルオロフェニル）ピリジネート−Ｎ，Ｃ２’）イリジウム（ＩＩＩ）ピコリネート（Ｆｉｒｐｉｃ、青色）、ビス（２−（４’，６’−ジフルオロフェニル）ピリジネート−Ｎ，Ｃ２’）Ｉｒ（ＩＩＩ）テトラキス（１−ピラゾリル）ホウ酸塩、トリス（２−（ビフェニル−３−イル）−４−ｔｅｒｔ−ブチルピリジン）イリジウム（ＩＩＩ）、（ｐｐｚ）２Ｉｒ（５ｐｈｄｐｙｍ）（ＵＳ２００９／００６１６８１  Ａ１）、（４５ｏｏｐｐｚ）２Ｉｒ（５ｐｈｄｐｙｍ）（ＵＳ２００９／００６１６８１  Ａ１）、２フェニルピリジン−Ｉｒ錯体の誘導体、例えば、イリジウム（ＩＩＩ）ビス（２−フェニルキノリル−Ｎ，Ｃ２’）アセチルアセトネート（ＰＱＩｒ）、トリス（２−フェニルイソキノリネート−Ｎ．Ｃ）Ｉｒ（ＩＩＩ）（赤色）、ビス（２−（２’−ベンゾ［４，５−ａ］チエニル）ピリジネート−Ｎ，Ｃ３）Ｉｒアセチルアセトネート（［Ｂｔｐ２ｌｒ（ａｃａｃ）］、赤色、Ａｄａｃｈｉら、Ａｐｐｌ．Ｐｈｙｓ．Ｌｅｔｔ．、７８巻、（２００１年）、１６２２〜１６２４頁）である。
【化１５】
2013524864.tif 000017
【０１２１】
例えば、Ｔｂ３＋およびＥｕ３＋などの三価ランタニドの錯体（Ｊ．Ｋｉｄｏら、Ａｐｐｌ．Ｐｈｙｓ．Ｌｅｔｔ．、６５巻（１９９４年）、２１２４頁、Ｋｉｄｏら、Ｃｈｅｍ．Ｌｅｔｔ．、６５７、１９９０年、ＵＳ  ２００７／０２５２５１７  Ａ１）、またはＰｔ（ＩＩ）、Ｉｒ（Ｉ）、Ｒｈ（Ｉ）のマレオニトリルジチオレート（ｍａｌｅｏｎｉｔｒｉｌｅ  ｄｉｔｈｉｏｌａｔｅ）とのリン光錯体（Ｊｏｈｎｓｏｎら、ＪＡＣＳ、１０５巻、１９８３年、１７９５頁）、Ｒｅ（Ｉ）トリカルボニルジイミン錯体（とりわけ、Ｗｒｉｇｈｔｏｎ、ＪＡＣＳ、９６巻、１９７４年、９９８頁）、Ｏｓ（ＩＩ）のシアノリガンドおよびビピリジルもしくはフェナントロリンリガンドとの錯体（Ｍａら、Ｓｙｎｔｈ．Ｍｅｔａｌｓ、９４巻、１９９８年、２４５頁）、またはホストのないＡｌｑ３も適切である。
【０１２２】
三座配位子を有するさらなるリン光エミッターは、ＵＳ６８２４８９５およびＵＳ７０２９７６６に記載されている。赤色放射性のリン光錯体は、ＵＳ６８３５４６９およびＵＳ６８３０８２８に言及されている。
【０１２３】
特に好ましいリン光ドーパントは、式６０を有する化合物、およびＵＳ２００１／００５３４６２  Ａ１などに開示されているさらなる化合物である。
【０１２４】
特に好ましいリン光ドーパントは、式６１を有する化合物、およびＷＯ２００７／０９５１１８  Ａ１などに開示されているさらなる化合物である。
【化１６】
2013524864.tif 000018
【０１２５】
さらなる誘導体は、ＵＳ７３７８１６２  Ｂ２、ＵＳ６８３５４６９  Ｂ２、およびＪＰ２００３／２５３１４５  Ａに記載されている。
【０１２６】
カルベントリプルエミッターから選択されるリン光エミッター、特に、金属としてイリジウムを含むカルベン錯体がさらに好ましい。好ましい錯体は、ＷＯ  ２００５／０９１３７３、ＷＯ  ２００５／１１３７０４およびＰ．Ｅｒｋら、ＳＩＤ、２００６年、１１、２、１３１に記載されている、カルベン（ＮＨＣ）イリジウム錯体、例えば、ｆａｃ−Ｉｒ（ｄｐｂｉｃ）３、Ｉｒ（ｐｍｂｉｃ）３、Ｉｒ（ｐｍｉｃ）３、Ｉｒ（ｄｐｎｉｃ）３、Ｉｒ（ｃｎ−ｐｍｉｃ）３である。
【０１２７】
本明細書の他所で言及した金属錯体に加えて、本発明による適切な金属錯体は、遷移金属、希土類元素、ランタニドから選択することができ、アクチニドも本発明の対象でもある。好ましくは、金属は、Ｉｒ、Ｒｕ、Ｏｓ、Ｅｕ、Ａｕ、Ｐｔ、Ｃｕ、Ｚｎ、Ｍｏ、Ｗ、Ｒｈ、Ｐｄ、またはＡｇから選択される。
【０１２８】
本発明による機能物質は、小分子、ポリマー、オリゴマー、デンドリマー、およびブレンドから選択することもできる。機能性ポリマーは、異なる機能が１つの大型分子または大型分子のブレンド中に組み入れられ得ることを特徴とする。機能は、とりわけ、正孔注入物質、正孔輸送物質、電子阻止物質、発光物質、正孔阻止物質、電子注入物質、および電子輸送物質のものである。ポリマー中に組み入れられる機能は、様々な群に分類することができる。所望の機能の群およびそれらの間の比率を選択することによって、ポリマーを所望の機能（複数可）を有するように調整することができる。
【０１２９】
ポリマー、オリゴマー、およびデンドリマーの間の違いは、上記で規定した通り、サイズ、サイズ分布、および分子実体の枝分れによるものである。
【０１３０】
異なる構造は、とりわけ、ＷＯ２００２／０７７０６０  Ａ１およびＤＥ１０３３７３４６  Ａ１に、開示し、広範に列挙したものである。構造単位は、例えば、以下の群に由来していてよい。
【０１３１】
１群：ポリマーの正孔注入の性質および／または輸送の性質を増大する単位；上記に記載したＨＩＭまたはＨＴＭに対応する。
【０１３２】
２群：ポリマーの電子注入の性質および／または輸送の性質を増大する単位；上記に記載したＥＩＭまたはＥＴＭに対応する。
【０１３３】
３群：１群および２群からの個々の単位の組合せを有する単位；
４群：電子蛍光（ｅｌｅｃｔｒｏｆｌｕｏｒｅｓｃｅｎｃｅ）の代わりに電子リン光（ｅｌｅｃｔｒｏｐｈｏｓｐｈｏｒｅｓｃｅｎｃｅ）を得ることができる程度に放射の性質を修飾する単位；典型的に、これは、上記に記載したリン光エミッター、またはより好ましくは放射金属錯体に対応する。
【０１３４】
５群：いわゆる一重項状態からより高いスピン状態、例えば、三重項状態への遷移を改善する単位；
６群：得られたポリマーの形態学および／または発光色に影響を及ぼす単位；
７群：典型的にバックボーンとして用いられ、電子輸送機能、正孔輸送機能、またはその両方を有し得る単位。
【０１３５】
好ましくは、前記さらなる有機機能物質が、１群の単位を含む正孔輸送または注入ポリマーであり、上記に記載した通り低分子量のＨＴＭまたはＨＩＭを含む単位から選択されるのが好ましい。
【０１３６】
１群からのさらに好ましい単位は、例えば、トリアリールアミン、ベンジジン、テトラアリール−パラ−フェニレンジアミン、カルバゾール、アズレン、チオフェン、ピロール、およびフラン誘導体、ならびにさらに、高ＨＯＭＯを有するＯ、Ｓ、またはＮ含有複素環である。これらのアリールアミンおよび複素環は、好ましくは（真空レベルに対して）５．８ｅＶを超え、特に好ましくは５．５ｅＶを超えるポリマーにおけるＨＯＭＯをもたらす。
【０１３７】
好ましいポリマー性ＨＴＭまたはＨＩＭは、式６２による以下の繰返し単位の少なくとも１つを含むポリマーである。
【化１７】
2013524864.tif 000019
【０１３８】
式中、
Ａｒ１は、同じでも、または異なっていてもよく、異なる繰返し単位における場合は独立に、単結合、または任意に置換されている単環もしくは多環のアリール基を意味し、
Ａｒ２は、同じでも、または異なっていてもよく、異なる繰返し単位における場合は独立に、任意に置換されている単環または多環のアリール基を意味し、
Ａｒ３は、同じでも、または異なっていてもよく、異なる繰返し単位における場合は独立に、任意に置換されている単環または多環のアリール基を意味し、
ｍは、１、２、または３である。
【０１３９】
式６２の特に好ましい単位は、式６３から式６５からなる群から選択され、
【化１８】
2013524864.tif 000020
【０１４０】
式中、Ｒは、各場合において同じでも、または異なっていてもよく、Ｈ、置換もしくは無置換の芳香族もしくは芳香族複素環基、アルキル、シクロアルキル、アルコキシ、アラルキル、アリールオキシ、アリールチオ、アルコキシカルボニル、シリル、カルボキシ基、ハロゲン原子、シアノ基、ニトロ基、またはヒドロキシ基から選択され、
ｒは、０、１、２、３、または４であり、
ｓは、０、１、２、３、４、または５である。
【０１４１】
さらに好ましいポリマー性ＨＴＭまたはＨＩＭは、式６６による以下の繰返し単位の少なくとも１つを含むポリマーであり、
【化１９】
2013524864.tif 000021
【０１４２】
式中、
Ｔ１およびＴ２は、相互に独立に、チオフェン、セレノフェン、チエノ［２，３ｂ］チオフェン、チエノ［３，２ｂ］チオフェン、ジチエノチオフェン、ピロール、アニリン（これらは全て任意にＲ５で置換されている）から選択され、
Ｒ５は、各場合において相互に独立に、ハロゲン、−ＣＮ、−ＮＣ、−ＮＣＯ、−ＮＣＳ、−ＯＣＮ、ＳＣＮ、Ｃ（＝Ｏ）ＮＲ０Ｒ００、−Ｃ（＝Ｏ）Ｘ、−Ｃ（＝Ｏ）Ｒ０、−ＮＨ２、−ＮＲ０Ｒ００、ＳＨ、ＳＲ０、−ＳＯ３Ｈ、−ＳＯ２Ｒ０、−ＯＨ、−ＮＯ２、−ＣＦ３、−ＳＦ５、任意に置換されているシリル、またはカルビルもしくはヒドロカルビル（これらは、任意に置換されており、任意に１以上のヘテロ原子を含む、１から４０個のＣ原子を有する）から選択され、
Ａｒ４およびＡｒ５は、相互に独立に、単環または多環のアリールまたはヘテロアリール（これらは、任意に置換されており、隣接のチオフェン基またはセレノフェン基の１つまたは両方の２，３−位に任意に融合している）であり、
ｃおよびｅは、相互に独立に、０、１、２、３、または４であり、１＜ｃ＋ｅ＝＜６であり、
ｄおよびｆは、相互に独立に、０、１、２、３、または４である。
【０１４３】
ポリマー性ＨＴＭの例は、ＷＯ２００７１３１５８２  Ａ１およびＷＯ２００８／００９３４３  Ａ１に開示されている。
【０１４４】
好ましくは、前記有機機能物質が、２群を含む電子輸送または注入ポリマーであり、上記に記載した通り低分子量のＥＴＭまたはＥＩＭを含む群から選択されるのが好ましい。
【０１４５】
電子注入または電子輸送の性質を有する２群のさらに好ましい単位は、例えば、ピリジン、ピリミジン、ピリダジン、ピラジン、オキサジアゾール、キノリン、キノキサリン、およびフェナジン誘導体であるが、トリアリールボランもまた、および低ＬＵＭＯを有するさらなるＯ、Ｓ、またはＮ含有複素環でもある。ポリマーにおけるこれらの単位は、好ましくは（真空レベルに対して）−２．７ｅＶ未満の、特に好ましくは−２．８ｅＶ未満のＬＵＭＯをもたらす。
【０１４６】
好ましくは、前記有機機能物質は、３群の単位を含むポリマーであり、３群の構造において、孔移動性および電子移動性（すなわち１群および２群からの単位）を増大する構造が相互に直接結合している。これらの単位のいくつかはエミッターとして働くことができ、発光色を緑色、黄色、または赤色に転換することができる。したがってこれらの色は、例えば、他の発光色の生成、またはもともと青色発光性のポリマーからの広帯域の放射の生成に適している。
【０１４７】
好ましくは、前記有機機能物質は、４群の単位を含むポリマーであり、リン光エミッター、特に上記に記載した放射性の金属錯体を含む群から選択されるのが好ましい。ここでは、８族から１０族までの元素（Ｒｕ、Ｏｓ、Ｒｈ、Ｉｒ、Ｐｄ、Ｐｔ）を含む構造単位に対応するのが特に好ましい。
【０１４８】
好ましくは、前記有機機能物質は、５群の単位を含むポリマー性のトリプルマトリックスであり、一重項状態から三重項状態への遷移を改善することができ、４群からの構造エレメントの支持において用いられ、これらの構造エレメントのリン光の性質を改善する。この目的に適するものは、特に、ＤＥ１０３０４８１９  Ａ１およびＤＥ１０３２８６２７  Ａ１に記載される通り、カルバゾールおよび架橋されているカルバゾール２量体単位である。この目的にやはり適するものは、ＤＥ１０３４９０３３  Ａ１に記載されている通り、ケトン、ホスフィンオキシド、スルホキシド、スルホン、シラン誘導体、および同様の化合物である。さらに好ましい構造単位は、上記に記載した通り、低分子量のリン光マトリックスを含む群から選択することができる。
【０１４９】
好ましくは、前記有機機能物質は、６群の単位を含むポリマーであり、ポリマーの形態学および／または発光色に影響を及ぼし、上記で言及したものの他に、上記で言及した群に当てはまらない、すなわち電荷−担体移動性に対して殆ど効果のない、少なくとも１つのさらなる芳香族または別のコンジュゲート構造を有するものであり、有機金属錯体ではなく、または一重項−三重項遷移に影響がない。このタイプの構造エレメントは、得られるポリマーの形態学および／または発光色に影響を及ぼすことがある。単位に応じて、これらはそれゆえエミッターとして用いることもできる。ここでは蛍光ＯＬＥＤの場合、６個から４０個のＣ原子を有する芳香族構造、またはトラン、スチルベン、もしくはビススチリルアリーレン誘導体も好ましく、この各々は１以上のＲ１基によって置換されていてよい。ここでは、１，４−フェニレン、１，４−ナフチレン、１，４−もしくは９，１０−アントリレン、１，６−、２，７−、もしくは４，９−ピレニレン、３，９−もしくは３，１０−ペリレニレン、４，４’−ビフェニリレン、４，４’’−テルフェニリレン、４，４’ビ１，１’−ナフチリレン、４，４’−トラニレン、４，４’−スチルベニレン、または４，４’’−ビススチリルアリーレン誘導体が特に好ましい。
【０１５０】
好ましくは、前記有機機能物質は、７群の単位を含むポリマーであり、６個から４０個のＣ原子を有する芳香族構造を含み、ポリマーのバックボーンとして用いられるのが典型的である。これらには、例えば、４，５−ジヒドロピレン誘導体、４，５，９，１０−テトラヒドロピレン誘導体、例えば、ＵＳ５９６２６３１、ＷＯ２００６／０５２４５７  Ａ２、およびＷＯ２００６／１１８３４５Ａ１に開示されているフルオレン誘導体、例えば、ＷＯ２００３／０２０７９０  Ａ１に開示されている９，９’−スピロビフルオレン誘導体、例えば、ＷＯ２００５／１０４２６４  Ａ１に開示されている９，１０−フェナントレン誘導体、例えば、ＷＯ２００５／０１４６８９  Ａ２に開示されている９，１０−ジヒドロフェナントレン誘導体、例えば、ＷＯ２００４０４１９０１  Ａ１、ＷＯ２００４１１３４１２  Ａ２に開示されている５，７−ジヒドロジベンゾオキセピン誘導体ならびにシス−およびトランス−インデノフルオレン誘導体、例えば、ＷＯ２００６／０６３８５２  Ａ１に開示されているビナフチレン誘導体、ならびに例えば、ＷＯ２００５／０５６６３３Ａ１、ＥＰ１３４４７８８Ａ１およびＷＯ２００７／０４３４９５Ａ１、ＷＯ２００５／０３３１７４  Ａ１、ＷＯ２００３／０９９９０１Ａ１およびＤＥ  １０２００６００３７１０．３に開示されているさらなる単位がある。
【０１５１】
７群のさらに好ましい構造エレメントは、例えば、ＵＳ５，９６２，６３１、ＷＯ２００６／０５２４５７  Ａ２、およびＷＯ２００６／１１８３４５  Ａ１に開示されているフルオレン誘導体、例えば、ＷＯ  ２００３／０２０７９０  Ａ１に開示されているスピロ−ビフルオレン誘導体、例えば、ＷＯ２００５／０５６６３３  Ａ１、ＥＰ１３４４７８８Ａ１、およびＷＯ２００７／０４３４９５Ａ１に開示されているベンゾフルオレン、ジベンゾフルオレン、ベンゾチオフェン、ジベンゾフルオレン、およびこれらの誘導体から選択される。
【０１５２】
７群の極めて好ましい構造エレメントは式６７のものであり、
【化２０】
2013524864.tif 000022
【０１５３】
式中、
Ａ、Ｂ、およびＢ’は、相互に独立に、複数の場合において相互に独立に、２価の基であり、好ましくは−ＣＲ１Ｒ２−、−ＮＲ１−、−ＰＲ１−、−Ｏ−、−Ｓ−、−ＳＯ−、−ＳＯ２−、−ＣＯ−、−ＣＳ−、−ＣＳｅ−、−Ｐ（＝Ｏ）Ｒ１−、−Ｐ（＝Ｓ）Ｒ１−、および−ＳｉＲ１Ｒ２−から選択され、
Ｒ１およびＲ２は、相互に独立に、Ｈ、ハロゲン、−ＣＮ、−ＮＣ、−ＮＣＯ、−ＮＣＳ、−ＯＣＮ、−ＳＣＮ、−Ｃ（＝Ｏ）ＮＲ０Ｒ００、−Ｃ（＝Ｏ）Ｘ、−Ｃ（＝Ｏ）Ｒ０、−ＮＨ２、−ＮＲ０Ｒ００、−ＳＨ、−ＳＲ０、−ＳＯ３Ｈ、−ＳＯ２Ｒ０、−ＯＨ、−ＮＯ２、−ＣＦ３、−ＳＦ５、任意に置換されているシリル、または１個から４０個のＣ原子を有するカルビルもしくはヒドロカルビル（これらは、任意に置換されており、任意に１以上のヘテロ原子を含む）から選択される同一または異なる基であり、任意にＲ１基およびＲ２基は、これらが付着しているフルオレン部分とスピロ基を形成し、
Ｘはハロゲンであり、
Ｒ０およびＲ００は、相互に独立に、Ｈ、または任意に１以上のヘテロ原子を含む任意に置換されているカルビルもしくはヒドロカルビル基であり、
各ｇは、独立に０または１であり、同じサブユニットにおいて対応する各ｈは０または１以外であり、
ｍは≧１の整数であり、
Ａｒ１およびＡｒ２は、相互に独立に、単環または多環アリールまたはヘテロアリール（これらは、任意に置換されており、任意にインデノフルオレン基の７，８−位または８，９−位に融合している）であり、
ａおよびｂは、相互に独立に、０または１である。
【０１５４】
Ｒ１基およびＲ２基が、これらが付着しているフルオレン基と一緒にスピロ基を形成する場合、スピロビフルオレンであるのが好ましい。
【０１５５】
式６７の基が、以下の式６８から式７２から選択されるのが好ましく、
【化２１】
2013524864.tif 000023
【０１５６】
式中、Ｒ１は、式６７において定義した通りであり、ｒは、１、２、３、または４であり、ＲはＲ１の意味の１つを有する。
【０１５７】
Ｒが、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）ＮＲ０Ｒ００、−Ｃ（＝Ｏ）Ｘ０、−Ｃ（＝Ｏ）Ｒ０、−ＮＲ０Ｒ００、４個から４０個、好ましくは６個から２０個のＣ原子を有する任意に置換されているシリル、アリール、もしくはヘテロアリール、または１個から２０個、好ましくは１個から１２個のＣ原子を有する直鎖、分枝、もしくは環状のアルキル、アルコキシ、アルキルカルボニル、アルコキシカルボニル、アルキルカルボニオキシ（ａｌｋｙｌｃａｒｂｏｎｉｙｏｘｙ）、またはアルコキシカルボニルオキシであるのが好ましく、１以上のＨ原子は任意にＦまたはＣｌによって置換されており、Ｒ０、Ｒ００、およびＸ０は上記に定義した通りである。
【０１５８】
式６７の特に好ましい基は、以下の式７３から式７６から選択され、
【化２２】
2013524864.tif 000024
【０１５９】
式中、Ｌは、Ｈ、ハロゲン、または任意にフッ素化されている、直鎖または分枝の、Ｃ原子１個から１２個を有するアルキルまたはアルコキシであり、好ましくは、Ｈ、Ｆ、メチル、ｉ−プロピル、ｔ−ブチル、ｎ−ペントキシ、またはトリフルオロメチルであり、
Ｌ’は、任意にフッ素化されている、直鎖または分枝の、Ｃ原子１個から１２個を有するアルキルまたはアルコキシであり、好ましくは、ｎ−オクチルまたはｎ−オクチルオキシである。
【０１６０】
１群から７群から選択される１以上の単位を同時に含む、本発明における使用に適したポリマーが好ましい。１つの群からの１つを超える構造単位が同時に存在するのも同様に好ましいことがある。
【０１６１】
エミッターの構造単位の他に、上記で言及した群から少なくとも１つ構造単位をさらに含む、本発明における使用に適したポリマーが好ましい。少なくとも２つの構造単位が、これら上記で言及した異なるクラスに由来することが特に好ましい。
【０１６２】
１群、２群、５群、６群、および７群の異なるクラスの割合は、ポリマー中に存在する場合、好ましくは各場合において少なくとも５モル％、特に好ましくは各場合において少なくとも１０モル％である。特に、これらの構造単位の１つは、孔伝導性または電子伝導性単位の群から選択され、他の群は放射性の単位であり、これら２つの機能（孔または電子伝導および放射）は、やはり同じ単位によって引き受けられてよい。
【０１６３】
さらに、例えば、白色放射性の共重合体の合成には、より少ない割合の放射性の単位、特に緑色および赤色放射性の単位も好ましいことがある。白色放射性共重合体を合成することができる方法は、ＤＥ１０３４６０６  Ａ１に詳しく記載されている。
【０１６４】
３群および４群の異なるクラスの割合は、ポリマー中に存在する場合、好ましくは各場合において０．０１モル％から２０モル％の範囲、特に好ましくは各場合において１モル％から１５モル％の範囲、極めて特に好ましくは各場合において１モル％から１０モル％の範囲にある。
【０１６５】
十分な可溶性を確実にするために、繰り返される単位あたり平均して少なくとも２個の非芳香族性Ｃ原子が置換基中に存在するのが好ましい。ここでは、少なくとも４個、特に好ましくは少なくとも８個のＣ原子が好ましい。さらに、これらの個々のＣ原子は、ＯまたはＳによって置換されてよい。しかし、これが、繰り返される単位のある割合が任意のさらなる非芳香性の置換基を保有しないことを意味するのも全く可能である。薄膜の形態が損なわれるのを避けるために、直鎖中に１２個を超えるＣ原子を有する長鎖置換基がないのが好ましく、特に好ましくは８個を超えるＣ原子がなく、特に６個を超えるＣ原子がない。
【０１６６】
本発明における有機機能物質として用いられるポリマーは、統計的共重合体すなわちランダム共重合体、交互共重合体または位置規則性（ｒｅｇｉｏｒｅｇｕｌａｒ）共重合体、ブロック共重合体、またはこれらの組合せであってよい。
【０１６７】
非常に好ましい１つの態様において、ポリマーは共役ポリマーであり、この場合、上記および下記に記載する官能基がポリマーの主鎖中に組み入れられる。
【０１６８】
別の好ましい１つの態様において、ポリマーは、非共役ポリマーまたは部分共役ポリマーである。
【０１６９】
特に好ましい１つの態様において、前記ポリマーは主鎖が非共役のポリマーであり、この場合、ポリマーは少なくとも１つの非共役のスペーサーを主鎖上に含んでいる。極めて特に好ましい非共役ポリマーまたは部分共役ポリマーは、非共役のバックボーン単位、またはバックボーン単位の共役を妨害する単位を含んでいる。側鎖の非共役のポリマー同様、主鎖が非共役のポリマーも、高い三重項準位をもたらす。
【０１７０】
好ましい非共役のバックボーン単位は、例えば、以下の式７７および式７８に示す通り、ならびにＤＥ１０２００９０２３１５６．０に開示される通り、インデノフルオレン誘導体を含む単位から選択され、
【化２３】
2013524864.tif 000025
【０１７１】
式中、ＸおよびＹは、それぞれ独立に、Ｈ、Ｆ；１個から４０個のＣ原子を有するアルキル基、２個から４０個のＣ原子を有するアルキレン基、２個から４０個のＣ原子を有するアルキニル基、６個から４０個のＣ原子を有する置換または無置換のアリール基、および５個から２５個のＣ原子を有する置換または無置換のヘテロアリール基から選択される。
【０１７２】
さらなる好ましい非共役のバックボーン単位は、例えば、以下の式７９から式９２に示す通り、およびＤＥ１０２００９０２３１５４．４に開示される通り、フルオレン、フェナントレン、デヒドロフェナントレン、インデノフルオレン誘導体を含む単位から選択され、
【化２４】
2013524864.tif 000026
【化２５】
2013524864.tif 000027
【０１７３】
式中、Ｒ１からＲ４は、上記で規定した通り、ＸおよびＹと同じ意味を有する。
【０１７４】
別の好ましい１つの態様において、前記ポリマーは、側鎖が非共役のポリマーであり、これはポリマーをベースにしたリン光ＯＬＥＤに特に重要である。一般的に、このようなリン光ポリマーは、ビニル化合物のラジカル共重合によって得られ、ＵＳ７２５０２２６  Ｂ２に開示されている通り、側鎖上に少なくとも１つのリン光エミッター、および少なくとも１つの電荷輸送単位を備えている。このようなリン光ポリマーのさらなる例は、例えば、ＪＰ２００７／２１１２４３  Ａ２、ＪＰ２００７／１９７５７４  Ａ２、ＵＳ７２５０２２６Ｂ２、ＪＰ２００７／０５９９３９Ａに開示されている。
【０１７５】
さらなる１つの態様において、前記ポリマーは、蛍光ＯＬＥＤに対する非共役ポリマーであってもよい。好ましい一重項非共役ポリマーには、例えば、ＪＰ２００５／１０８５５６、ＪＰ  ２００５／２８５６６１、ＪＰ２００３／３３８３７５などに開示されている通り、アントラセネン（ａｎｔｒａｃｅｎｅｎｅ）、ベンズアントレセン（ｂｅｎｚａｎｔｈｒｅｃｅｎｅ）を有する側鎖ポリマー、および側鎖におけるこれらの誘導体がある。
【０１７６】
前記ポリマーはＥＴＭまたはＨＴＭとして働くこともでき、ポリマーが非共役ポリマーであるのが好ましい。
【０１７７】
ｐ型のＳｉおよびｐ型のＳｉＣなどの無機化合物、ならびに酸化バナジウム（ＶＯｘ）、酸化モリブデン（ＭｏＯｘ）、または酸化ニッケル（ＮｉＯｘ）などの無機酸化物もＨＩＭとして用いることができる。
【０１７８】
電子注入層（ＥＩＬ）は、しばしば、絶縁体および半導体から構築される。
【０１７９】
ＥＩＬに好ましいアルカリ金属カルコゲナイドは、Ｌｉ２Ｏ、ＬｉＯ、Ｎａ２Ｓ、Ｎａ２Ｓｅ、ＮａＯ、Ｋ２Ｏ、Ｃｓ２Ｏである。
【０１８０】
ＥＩＬに好ましいアルカリ土類金属カルコゲナイドは、ＣａＯ、ＢａＯ、ＳｒＯ、ＢｅＯ、ＢａＳ、ＣａＳｅである。
【０１８１】
ＥＩＬに好ましいアルカリ金属のハロゲン化物は、ＬｉＦ、ＮａＦ、ＫＦ、ＣｓＦ、ＬｉＣｌ、ＫＣｌ、ＮａＣｌである。
【０１８２】
ＥＩＬに好ましいアルカリ土類金属のハロゲン化物は、ＣａＦ２、ＢａＦ２、ＳｒＦ２、ＭｇＦ２、ＢｅＦ２である。
【０１８３】
アルカリ金属錯体、アルカリ土類金属錯体、希土類金属（Ｓｃ、Ｙ、Ｃｅ、Ｔｈ、Ｙｂ）、希土類金属錯体、希土類金属化合物（好ましくは、ＹｂＦ３、ＳｃＦ３、ＴｂＦ３）などを用いるのが同様に可能である。
【０１８４】
ＥＩＬの構造は、例えば、ＵＳ５６０８２８７、ＵＳ５７７６６２２、ＵＳ５７７６６２３、ＵＳ６１３７２２３、ＵＳ６１４０７６３、ＵＳ６９１４２６９に記載されている。
【０１８５】
電子輸送層は、固有の物質からなっていてよく、またはドーパントを含んでいてよい。固有の層の例には、Ａｌｑ３（ＥＰ２７８７５７  Ｂ１）およびＬｉｑ（ＥＰ０５６９８２７  Ａ２）がある。ドープ層の例には、４，７−ジフェニル−１，１０−フェナントロリン（Ｂｐｈｅｎ）：Ｌｉ  １：１（ＵＳ２００３／０２３０９８９０）、およびルブレン／ＬｉＦがある。
【０１８６】
上記で言及した物質の他に、本発明による有機エレクトロルミネセンスデバイスは、少なくとも１つの陽極、少なくとも１つの陰極、および１以上の基体を含むことができる。
【０１８７】
陽極に好ましい物質は、それだけには限定されないが、インジウム錫酸化物（ＩＴＯ）、インジウム亜鉛酸化物（ＩＺＯ）、酸化錫（ＳｎＯ）、ＺｎＯ、ＩｎＯ、アルミニウム亜鉛酸化物（ＡｌＺｎＯ）、ならびに他の金属酸化物（例えば、酸化亜鉛でドープされているＡｌ−およびＩｎ−亜鉛酸化物、マグネシウムインジウム酸化物、およびニッケルタングステン酸化物）から選択される金属酸化物である。窒化ガリウムなどの金属窒化物、およびセレン化亜鉛などの金属セレン化物、および硫化亜鉛などの金属硫化物も用いることができる。陽極に用いることができるさらなる物質は、導電性ポリマー、例えば、ポリチオフェン、ポリアニリン、およびポリピロールである。
【０１８８】
陽極は、透明でも、不透明でも、または反射性でもよい。陽極は、中間の状態をとることもでき、例えば、部分的に反射性および部分的に透明の両方である。
【０１８９】
陽極が透明でなく、または部分的に透明にすぎない場合、さらなる導電性物質を用いることができる。不透明または部分的に透明な陽極に好ましい物質は、それだけには限定されないが、Ａｕ、Ｉｒ、Ｍｏ、Ｐｄ、Ｐｔ、Ｃｕ、Ａｇ、Ｓｎ、Ｃ、Ａｌ、Ｖ、Ｆｅ、Ｃｏ、Ｎｉ、Ｗ、およびこれらの混合物から選択される。導電性物質は、Ｉｎ−Ｃｕなど、上記に記載したさらなる導電性物質と混合することもできる。
【０１９０】
陽極が透明であるのが好ましく、陽極に特に好ましい物質はＩＴＯである。トップ発光デバイスの場合、陽極が反射性物質を含むのが好ましい。陽極に、当業者に既知のさらなる物質を用いることができる。
【０１９１】
基体と陽極との軟質および透明の組合せは、例えば、ＵＳ５８４４３６３  Ｂ２およびＵＳ６６０２５４０  Ｂ２に記載されている。
【０１９２】
陰極は、透明でも、不透明でも、または反射性でもよい。陰極は、仕事関数の低い金属または合金から選択される。仕事関数が４．０ｅＶ未満の金属、合金、または導電性の化合物もしくは物質を用いるのが好ましい。特に好ましい陰極は、それだけには限定されないが、Ｂａ、Ｃａ、Ｓｒ、Ｙｂ、Ｇａ、Ｃｄ、Ｓｉ、Ｔａ、Ｓｂ、Ｚｎ、Ｍｇ、Ａｌ、Ｉｎ、Ｌｉ、Ｎａ、Ｃｓ、Ａｇ（例えばＭｇ／ＡｌもしくはＡｌ／ＬｉもしくはＡｌ／Ｓｃ／ＬｉもしくはＭｇ／Ａｌを含む合金）２つもしくはそれを超えるエレメントの混合物、またはＩＴＯもしくはＩＺＯなどの金属酸化物から選択される。薄型誘電体層を形成するのに用いられる、陰極にさらに好ましい物質は、ＬｉＦ、Ｌｉ２Ｏ、ＢａＦ２、ＭｇＯ、またはＮａＦと混合される金属から選択される。典型的な組合せはＬｉＦ／Ａｌである。
【０１９３】
上部にＩＴＯ層を有するＭＧ／Ａｌ陰極は、ＵＳ５７０３４３６、ＵＳ５７０７７４５、ＵＳ６５４８９５６  Ｂ２、ＵＳ６５７６１３４  Ｂ２に記載されている。Ｍｇ／Ａｇ合金は、ＵＳ４８８５２２１に記載されている。
【０１９４】
本明細書には任意の治療的戦略が含まれており、すなわち、光での対象の治療は、他の治療上の取組みとの組合せと一緒に、またはそれなしで行うことができる。治療は、例えば、本発明の化合物を含む１以上のデバイスにおける１以上の波長で行うことができる。さらに、ファイバーを含む前記デバイス（本明細書においてファイバーデバイスまたは光放出性ファイバーデバイスとも呼ぶ）および本発明による化合物のほかに、ＬＥＤ、平面状のＯＬＥＤ、およびレーザーなどの様々な技術を用いたさらなる光源を治療に用いることができる。さらに、これらを含む前記組成物およびデバイスでの治療を、薬物および化粧品を用いた任意の知られている治療の戦略と組み合わせることができる。
【０１９５】
光線療法を、薬物および／または化粧品などの化学物質の治療と組み合わせる場合、（光−）化学反応または化学物質の活性化を開始するのに光を用いることができ、これは光線力学的治療（ＰＤＴ）と呼ばれる。本発明による光線療法は、光化学反応または活性化を開始せずに化学物質と組み合わせて用いることもできる。疾患の治療の有効性および安全性に対する相乗効果は、光線療法ならびに薬物および／または化粧品の両方と逐次的な、並行の、および重複する治療から生じることができる。例えば、薬物（複数可）または化粧用化合物（複数可）を、最初に特定の期間投与し、その後本発明による組成物またはこれを含むデバイスを用いた光線療法を適用する。両方の治療間の時間の合間は、薬物、その光反応性、対象の個々の状況、および特定の疾患または状態に応じて変化することもある。両方の治療とも部分的または完全に、折りよく重複することもある。正確な治療戦略は、個々の状況、および疾患または状態の重症度による。
【０１９６】
併用療法には相乗効果があることがあり、伝統的な治療戦略の副作用（例えば、テトラサイクリンの副作用）を低減することがある。これは、本明細書に概略する併用の取組みを用いる場合、より少ない用量の薬物が必要とされるという事実による。
【０１９７】
多くの診断用デバイスは、照射だけのために、または診断自体のための機能的構成要素としていずれかの、例えば、酸素などの血液パラメータを決定するための光源を備えている。したがって、本発明は、組成物が少なくとも１つのイオン種および少なくとも１つの有機エレクトロルミネセンス化合物を含むことを特徴とする、診断目的の組成物にも関する。診断目的の前記組成物を含む光源の使用も、本発明の対象である。本発明の教示に基づき、当業者であれば、前記組成物を含む光源が必要とされる診断用デバイスを開発するのに問題はない。
【０１９８】
治療は、対象の、本発明による機能性物質または組成物を含むファイバーデバイスの照射への任意の曝露である。治療は、対象とデバイスとの間の直接的な接触によって、またはこれらの間の直接的な接触なしに行うことができる。治療は、対象の外部でも、または内部でもよい。対象の外部の治療は、例えば、皮膚、創傷、眼、歯肉、粘膜、舌、毛髪、爪床、および爪の治療であってよい。対象の内部の治療は、例えば、血管、心臓、胸部、肺、または対象の任意の他の器官であってよい。対象の内部の殆どの適用には、特定のデバイスが必要とされる。このような例の１つは、本発明によるステントファイバー（ｓｔｅｎｔ  ｆｉｂｅｒ）であってよい。前記対象がヒトまたは動物であり得るのが好ましい。化粧品という用語はまた、美的な適用も含む。
【０１９９】
ファイバーデバイスによって放射される光の波長を、好適な機能物質の選択によって正確に誂えることができる。さらに、所望の波長の光を得るために、カラーフィルターおよびカラーコンバーターを用いることができる。機能物質および／または機能物質を含むファイバーデバイスの適用に応じて、各々の治療上または美容上の治療は幾分規定された波長または放出される波長のスペクトルを必要とする。
【０２００】
ファイバーデバイスは、好ましくは、２００ｎｍから１０００ｎｍの間の、好ましくは３００ｎｍから１０００ｎｍの間の、特に好ましくは３００ｎｍから９５０ｎｍの間の、極めて特に好ましくは４００ｎｍから９００ｎｍの間の範囲の光を放出する有機エレクトロルミネセンス化合物を少なくとも１つ含んでいる。
【０２０１】
上記で概略した通り、光線療法の主要な効果の一つは、ミトコンドリアにおける代謝の刺激である。光線療法後、細胞は代謝の増大を示し、細胞はより良好に情報交換し、よりよい方法でストレスの多い状態を生存する。
【０２０２】
前記機能物質およびそれを含む発光ファイバーデバイスを、細胞の刺激に用いることができる。細胞の刺激に好ましい波長または波長の範囲は、６００ｎｍから９００ｎｍの間の、特に好ましくは６２０ｎｍから８８０ｎｍの間の、極めて特に好ましくは６５０ｎｍから８７０ｎｍの間の範囲である。細胞の刺激に特に好ましい波長の例は、６８３．７、６６７．５、７７２．３、７５０．７、８４６、および８１２．５ｎｍである。
【０２０３】
光線療法によって対処することができる任意の疾患および／または美容上の状態は、機能物質およびファイバーデバイス、特に、これを含むＯＬＥＤで治療することができる。これらの疾患および／または状態には、例えば、皮膚疾患、および皮膚の加齢を含む皮膚に関連する状態、およびセルライト、孔の拡大、油性肌、毛包炎、前癌性の日光角化症、皮膚の病変、しわのよった日光で損傷を受けた皮膚、カラスの足跡、皮膚潰瘍（糖尿病性、褥瘡性、静脈うっ血）、酒さ性ざ瘡病変、セルライト、皮脂油腺および周囲組織の光変調、痩身によるしわ、座瘡瘢痕およびざ瘡細菌、炎症、疼痛、創傷、心理学的および神経学的に関連する疾患および状態、浮腫、パジェット病、原発性および転移性の腫瘍、結合組織病、コラーゲンの操作、哺乳動物組織における線維芽細胞および線維芽細胞由来の細胞レベル、発光性網膜（ｉｌｌｕｍｉｎａｔｉｎｇ  ｒｅｔｉｎａ）、新生物性、新生血管性、および肥厚性の疾患、炎症およびアレルギー反応、発汗、エクリン腺（汗）またはアポクリン腺からの発汗および多汗症、黄疸、白斑、眼の血管新生疾患、神経性過食症、ヘルペス季節的情動障害、気分障害、睡眠障害、皮膚癌、クリグラーナジャー、アトピー性皮膚炎、糖尿病性皮膚潰瘍、褥瘡性潰瘍、膀胱感染症、筋肉痛、疼痛、関節のこわばりの軽減、細菌の低減、歯肉炎、歯の白化、歯および口内の組織の治療、創傷治癒が含まれる。
【０２０４】
美容上の状態は、ざ瘡、皮膚の若返りおよび皮膚のしわ、セルライト、および白斑から選択されるのが好ましい。多くの治療的処置は美容上の構成要素も有する。例えば、乾癬は、軽度、軽度から中等度、中等度、中等度から重症、および重症であることがある。任意のこれらのカテゴリーは美容上の構成要素を有し、これらは罹患している患者の重症の心理学的問題の原因となり得る。
【０２０５】
本発明は、また、前記機能物質および／または機能物質を含む発光ファイバーの使用であって、前記ファイバーは、外側の第１の電極と、第１の電極の外側表面上に配置された少なくとも１つの有機発光層と、有機発光層上に配置された光透過性の第２の電極とを有するファイバーのコアを含むことを特徴とする使用に関し、少なくとも１つの有機発光層は、第１の電極および第２の電極を通して電圧が印加されると発光する少なくとも１つの有機物質を含む。
【０２０６】
本明細書にしたがって用いられる有機発光ファイバーおよびその製造は、本明細書に参照によって組み込まれるＵＳ６５３８３７５およびＵＳ２００３／００９９８５８に開示されている。図１は、有機発光ファイバーの組立て（図１ａ）および横断面図（図１ｂ）を図示するものである。これらは、第１の電極２０を有するファイバーコア１０と、第１の電極の外側表面上に配置された少なくとも１つの有機発光層３０と、有機発光層上に配置された光透過性の第２の電極４０とを含む。第１の電極が陰極であり、第２の電極が陽極であるのが好ましい。陽極の外側表面上に、陽極の外側表面の第１の位置と接触する第１の表面を有する金属接触エレメント、ならびに陰極および金属接触エレメントに電気的に接続している電源があってよい。
【０２０７】
ファイバーコア１０は、透明でも、不透明でも、半透明でも、または反射性でもよい。用いられる物質は、ガラスでも、プラスチックでも、セラミックでも、または金属箔であってもよく、軟質の基体にプラスチックおよび金属箔を用いるのが好ましい。ファイバーコア部材１０は、軟質のポリマー物質または金属物質を含むことができる。ファイバーコア部材１０に適するポリマー物質は、ポリエチレン、ポリプロピレン、またはポリテトラフルオルエチレン（ｐｏｌｙｔｅｔｒａｆｌｕｏｒｅｔｈｙｌｅｎｅ）などのポリオレフィン；ポリシロキサン；エポキシ、ポリアクリレート；ポリエチレンテレフタレート；およびこれらの誘導体である。ファイバーコアエレメント１０は、ガラス、またはアルミニウム、銅、もしくはスチールなどの金属を含むことができる。
【０２０８】
用いられるガラスは、例えば、ソーダ石灰ガラス、ＢａもしくはＳｒ含有ガラス、鉛ガラス、ケイ酸アルミニウムガラス、ホウケイ酸ガラス、Ｂａホウケイ酸ガラス、または石英であってよい。
【０２０９】
プラスチック板は、例えば、ポリカーボネート樹脂、アクリル樹脂、塩化ビニル樹脂、ポリエチレンテレフタレート樹脂、ポリイミド樹脂、ポリエステル樹脂、エポキシ樹脂、フェノール樹脂、シリコーン樹脂、フッ素樹脂、ポリエーテル硫化物樹脂、またはポリスルホン樹脂からなることができる。
【０２１０】
透明なファイバーには、例えば、ポリエチレン、エチレン−酢酸ビニル共重合体、エチレン−ビニルアルコール共重合体、ポリプロピレン、ポリスチレン、ポリメチルメタクリレート、ＰＶＣ、ポリビニルアルコール、ポリビニルブチラール、ナイロン、ポリエーテルエーテルケトン、ポリスルホン、ポリエーテルスルホン、テトラフルオロエチレン−ペルフルオロアルキルビニルエーテル共重合体、フッ化ビニル樹脂、テトラフルオロエチレン−エチレン共重合体、テトラフルオロエチレン−ヘキサフルオロプロピレン共重合体、ポリクロロトリフルオロエチレン、ポリフッ化ビニリデン、ポリエステル、ポリカーボネート、ポリウレタン、ポリイミド、またはポリエーテルイミドが用いられる。
【０２１１】
本明細書に言及したもの以外の物質も、ここでファイバーコア１０として用いることができる。適切な物質は当業者に既知である。
【０２１２】
軟質のコア部材１０が存在する場合は、アルミニウム、銅、またはスチール製のワイヤなどの軟質の金属ワイヤ、軟質のガラスファイバー、または軟質のプラスチックファイバーを含むことができる。コア部材は、好ましくは、約１μｍから約１０ｍｍの、特に好ましくは５μｍから５ｍｍの、極めて特に好ましくは１０μｍから１ｍｍの直径（または非円形の断面に対して高さもしくは幅）を有する。
【０２１３】
所望により、図１に示す通り、発光ファイバーは光学的放射透過性水分および／または空気バリア層５０および／または光学的放射透過性封入物質６０も含むことができる。層５０が存在し、または陽極４０の外側表面が存在する場合、層５０の内部表面は陽極４０の外側表面を取り囲み、物質６０の内部表面は層５０の外側表面を取り囲む。
【０２１４】
所望により、発光ファイバーは、任意の屈折率整合層またはキャッピング層も含むことができる。前記屈折率整合層は、デバイスからの光のアウトカップリング（ｏｕｔ−ｃｏｕｐｌｉｎｇ）を改善するために用いられる。層５０が存在する場合、屈折率整合層の内部表面は陽極４０の外側表面を取り囲み、物質５０の内部表面は屈折率整合層の外側表面を取り囲む。このような屈折率整合層は、光のアウトカップリングに役立つ。適切な物質は、ＣｓＣｌ、ＮＰＢ、Ｃ６０、ＭｅＯ−ＴＰＤ、ＺｎＯ、２，９−ジメチル−４，７−ジフェニル−１，１０−フェナントロリン（ＢＣＰ）、Ａｌｑ３、Ａｕ、およびＳｎＯ２など、屈折率が高い誘電物質である。屈折率整合層の厚さは、１ｎｍから３００ｎｍの間の範囲、好ましくは５ｎｍから１００ｎｍの間の範囲、特に好ましくは１０ｎｍから６０ｎｍの間の範囲であってよい。屈折率整合層に対するさらなる詳細は、ＵＳ２００８０２３１９５９  Ａ１に見出すことができる。
【０２１５】
発光ファイバーは高輝度を有し、ファイバーまたはチューブの形状を有する場合は軟質にすることができる。ファイバーまたはチューブ形状のＯＬＥＤは、外側の水分／空気バリア層を加えることによって、かつ／またはファイバーコア周辺に外側の水分および空気不透過性の金属電極を形成することによって、先行技術の平板状ＯＬＥＤとは対照的に、軟質でありながら改善された防水性を有することができる。ファイバーという用語は、断面直径（または、非球形の断面に対して幅もしくは高さ）よりもはるかに大きい長さを有する形状を意味する。本発明の好ましい１つの態様において、ファイバーという用語は、１０：１以上など、多少大きな長さ対直径比を有する形状を意味する。長さ対直径比が１００：１以上であるのが特に好ましい。
【０２１６】
第１の電極２０は陰極であってよく、第２の電極４０は光透過性の陽極であってよい。しかし、電極２０、４０の極性は逆転してもよく、電極２０が陽極であってよく、電極４０が陰極であってよい。２つの電極２０、４０および有機放射線放射層３０はＯＬＥＤデバイスを含む。
【０２１７】
ファイバーコアは、ファイバーコア部材１０の外側表面上に軟質のファイバーコア部材１０と第１の電極２０とを含むことができる。ファイバーコア部材１０が円形の外側表面などの非平面の外側表面を有し、第１の電極２０も円形の表面など非平面の外側表面を有するように、電極２０がファイバーコア部材１０の外側表面全体の周囲に形成されるのが好ましい。本発明の代替の好ましい一態様において、ファイバーコア部材１０を省略してもよく、ファイバーコアが、細長いファイバーの形状を有する金属電極など、第１の電極２０から完全に構成されてよい。電極２０は中空でも、または中身が詰まっていてもよい。電極が、円形の表面など、非平面の外側表面を含んでいるのが好ましい。
【０２１８】
軟質のＯＬＥＤファイバーは、陰極２０および陽極４０に電気的に接続されている電源をさらに含む。電源は、小型電池、印刷電池、またはソケット中に差し込むプラグなどの電圧源であってよい。電源は陰極２０および陽極４０に接続されている。電源は、ユーザーがデバイスのスイッチを入れ、および切ることができるようにするスイッチ、ならびに／または分圧器などの輝度調整も含むことができる。
【０２１９】
デバイスは対話型のステアリングユニットを含むことができる。ステアリングユニットは、例えば、連続的な照射からパルス照射への切換えを可能にすることができる。ステアリングユニットは、放射される照射強度および／または波長の正確な調節も可能にし得る。ステアリングユニットはデバイスに直接付随していてよい。ステアリングユニットは永続的または一時的な連結によって分離することもできる。デバイスは使い捨てであってよく、病院中または病院外の使用に適する。
【０２２０】
ステアリングユニットは、ユーザー、患者、医師、看護師、および他の人々によって相互作用的に用いられてよい。ステアリングユニットは、医師などの専門家の指定にしたがって、それをプログラミングすることによって操作することもできる。
【０２２１】
ファイバーは、放射線透過性陽極４０の外側表面の第１の部分に接触している金属接触エレメントも含むことができる。インジウム錫酸化物（ＩＴＯ）などの放射線透過性陽極物質には、所望の値の電圧効果を得るのに十分に高い電気伝導度がないことがあるので、接触エレメントの目的はＯＬＥＤファイバーの長さに沿った電圧降下を低減することである。接触エレメントは、アルミニウムまたは銅など、任意の伝導性の金属を含むことができる。防湿層５０は、ＳｉＯ２、Ｓｉ３Ｎ４、またはオキシ窒化ケイ素など、水分が有機層３０中に透過するのを防ぐ任意の物質を含むことができる。カプセル化物質６０はシリコーンまたはエポキシを含むことができる。
【０２２２】
図１に示すファイバー有機発光ファイバーは円形の断面を有するが、任意の他の望ましい断面を有することができる。例えば、ファイバーは楕円の断面、多角形の断面（例えば、四角の断面）、または円形、楕円、もしくは多角形の断面の組合せを含むことができる。
【０２２３】
発光ファイバーは、好ましくは、約１μｍから約２ｍｍの、特に好ましくは５μｍから１ｍｍの、極めて特に好ましくは１０μｍから０．５ｍｍの直径（または、非円形の断面に対して高さ／幅）を有する。
【０２２４】
有機放射線放射層３０は、好ましくは約２０ｎｍから約５００ｎｍの、特に好ましくは約３０ｎｍから約２００ｎｍの、極めて特に好ましくは約３０ｎｍから約９０ｎｍの厚さを有し、電極２０、４０が各々約１００ｎｍから約１００００ｎｍの厚さを有するのが好ましい。
【０２２５】
電極および放射層（複数可）のための物質は、本発明内の他所に記載されている。さらなる物質、ＯＬＥＤファイバーの組立て、および蒸着または液相成長法などによるＯＬＥＤファイバーの製造は、ＵＳ６５３８３７５およびＵ２００３／００９９８５８に詳しく記載されており、参照によって本明細書に組み込まれる。
【０２２６】
所望により、リン光色素または蛍光色素などのルミネセンス物質を、カプセル化物質５０に加えることができる。ルミネセンス物質は、有機放射線放射層３０によって放射されるより短い第２の波長を有する、可視または紫外の照射によって照射されることに反応して、第１の波長を有する可視発光する。例えば、ルミネセンス物質は、層３０からの入射の紫外または青色の照射に反応して、それぞれ黄色または白色の発光することができる。青色および黄色の光の混合は観察者には白色光として見える。このように発光ファイバーは、層３０が白色発光しない場合でも観察者に対して白色発光すると思われる。デバイスは、所望により、白色以外の任意の色の発光することもできる。
【０２２７】
利用することができるリン光物質の例には、ガーネット構造において結晶化するＹ３Ａｌ５Ｏ１２（ＹＡＧ）格子にドープされるセリウムをベースとするリン光が含まれる。特定の例には、（Ｙ１−ｘ−ｙＧＤｘＣｅｙ）３Ａｌ５Ｏ１２（ＹＡＧ：Ｇｄ，Ｃｅ）、（Ｙ１−ｘＣｅｘ）３Ａｌ５Ｏ１２（ＹＡＧ：Ｃｅ）、（Ｙ１−ｘＣｅｘ）３（Ａｌ１−ｙＧａｙ）５Ｏ１２（ＹＡＧ：Ｇａ，Ｃｅ）、および（Ｙ１−ｘ−ｙＧｄｘＣｅｙ）３（Ａｌ５−ｚＧａｚ）５Ｏ１２（ＹＡＧ：Ｇｄ，Ｇａ，Ｃｅ）、および（Ｇｄ１−ｘＣｅｘ）Ｓｃ２Ａｌ３Ｏ１２（ＧＳＡＧ）が含まれる。ＹＡＧリン光は、一般的に、（Ｙ１−Ｘ−ＹＧｄｘＣｅＹ）３（Ａｌ１−ｚＧａｚ）５Ｏ１２と記載することができ、式中、ｘ＋ｙ＜＝１、０＜＝ｘ＜＝１、０＜＝ｙ＜＝１、および０＜＝ｚ＜＝１である。発光バンドのピークの位置は、前述のリン光においてかなり変化する。ガーネット組成に応じて、ルミネセンス効率をかなり失うことなく、Ｃｅ３＋放射を緑色（およそ５４０ｎｍ；ＹＡＧ：Ｇａ，Ｃｅ）から赤色（およそ６００ｎｍ；ＹＡＧ：Ｇｄ：Ｃｅ）に調和させることができる。有機放射線放射ファイバーの青色またはＵＶ放射と組み合わせる好適なリン光物質またはリン光物質のブレンドは、白色のフィールドを生成することができる。
【０２２８】
本発明にしたがって用いることができる緑色放射性リン光は、Ｃａ８Ｍｇ（ＳｉＯ４）４Ｃｌ２：Ｅｕ２＋，Ｍｎ２＋；ＧｄＢＯ３：Ｃｅ３＋，Ｔｂ３＋；ＣｅＭｇＡｌ１１Ｏ１９；Ｔｂ３＋；Ｙ２ＳｉＯ５：Ｃｅ３＋，Ｔｂ３＋；およびＢａＭｇ２Ａｌ１６Ｏ：Ｅｕ２＋，Ｍｎ２＋である。
【０２２９】
本発明にしたがって用いることができる赤色放射性リン光は、Ｙ２Ｏ３：Ｂｉ３＋；Ｓｒ２Ｐ２Ｏ７：Ｅｕ２＋，Ｍｎ２＋；ＳｒＭｇＰ２Ｏ７：Ｅｕ２＋，Ｍｎ２＋；（Ｙ，Ｇｄ）（Ｖ，Ｂ）Ｏ４：Ｅｕ３＋；および３．５ＭｇＯ．０．５ＭｇＦ２．ＧｅＯ２：Ｍｎ４＋である。
【０２３０】
本発明にしたがって用いることができる青色放射性リン光は、ＢａＭｇ２Ａｌ１６Ｏ２７：Ｅｕ２＋およびＳｒ５（ＰＯ４）１０Ｃｌ２：Ｅｕ２＋である。
【０２３１】
エネルギー利用を増大するための一方法としてリン光体のホスト格子において有機物質から放射される光からのエネルギーを他の活性化イオンに伝達するために、さらに他のイオンを無機リン光体中に組み入れることができる。例えば、Ｓｂ３＋およびＭｎ２＋イオンが同じリン光体格子中に存在する場合、Ｓｂ３＋は青色領域における光を効率的に吸収するが、青色領域における光はＭｎ２＋によっては極めて効率的に吸収されることはなく、Ｓｂ３＋はエネルギーをＭｎ２＋イオンに伝達する。したがって、有機ＥＬ物質によって放射されるより大きな合計量の光が両方のイオンによって吸収され、そのためデバイス全体の量子効率はより高くなる。
【０２３２】
さらに、１つを超えるリン光体の物質を一緒に組み合わせ、次いで有機放射線放射デバイスで利用して、異なる色、色温度、および演色指数を実現してもよい。用いることができる他のリン光体は、参照によって本明細書に組み込まれる、ＵＳ０９／４６９，７０２号に記載されている。適切な赤色放射性無機リン光体の一例はＳｒＢ４Ｏ７：Ｓｍ２＋であり、コロンの後のＳｍ２＋は活性化物質を意味する。このリン光体は、６００ｎｍより短い殆どの可視の波長を吸収し、６５０ｎｍを超える波長を有する深赤色線として発光する。適切な緑色放射性無機リン光体の一例はＳｒＧａ２Ｓ４：Ｅｕ２＋である。このリン光は、５００ｎｍ未満を吸収し、５３５ｎｍの最大放射を有する。適切な青色放射無機リン光体の一例はＢａＭｇ２Ａｌ１６Ｏ２７：Ｅｕ２＋である。ＢａＭｇ２Ａｌ１６Ｏ２７：Ｅｕ２＋は４３０ｎｍ未満の殆どの波長を吸収し、４５０ｎｍの最大放射を有する。ルミネセンス物質として利用することができる有機色素の例には、クマリン４６０（青色）、クマリン６（緑色）、およびナイルレッドが含まれる。
【０２３３】
有機放射線放射ファイバーは、効果的に色を混合し、輝度を均一にするために、ＴｉＯ2、Ａｌ2Ｏ3、またはＳｉＯ2などの散乱粒子を含む任意の散乱層も含むことができる。散乱粒子は、カプセル化物質６０中に混合することもでき、または所望により、カプセル化物質６０上の別の層として形成することができる。様々な有機放射線放射層３０を、本発明の例示の態様と組み合わせて用いることができる。有機放射線放射層は、少なくとも１つのポリマー層または少なくとも１つの有機分子含有層を含むことができる。
【０２３４】
放射線放射層３０は、少なくとも１つの機能層を含む。機能層は、ＯＬＥＤ中に典型的に見出される任意のタイプの機能層から選択することができる。これらの機能層中に見出される物質は、当業者であれば知っている任意の機能物質から選択することができる。
【０２３５】
本発明内の他所に記載する機能物質を、機能層において用いるのが好ましい。機能層において用いられる機能物質は、したがって、小分子、ポリマー、オリゴマー、デンドリマー、およびブレンドであってよい。ＯＬＥＤにおいて見出される典型的な機能層は、放射層（ＥＭＬ）、正孔注入層（ＨＩＬ）、正孔輸送層（ＨＴＬ）、正孔阻止層（ＨＢＬ）、電子輸送層（ＥＴＬ）、電子注入層（ＥＩＬ）、電子阻止層（ＥＢＬ）、および励起子阻止層（ＥｘＢＬ）である。
【０２３６】
ＯＬＥＤ中に見出され、したがって放射線放射層３０においても見出される典型的な一連の層は、例えば、
任意に正孔注入層（ＨＩＬ）、
任意に正孔輸送層（ＨＴＬ）および／または電子阻止層（ＥＢＬ）、
放射層、
任意に電子輸送層（ＥＴＬ）および／または正孔阻止層（ＨＢＬ）、
任意に電子注入層（ＥＩＬ）、
である。
【０２３７】
一続きの所与の層構造は例示である。他の一続きが可能である。用いられる沈着技術に大いに依存して、様々な層構造を得ることができる。熱真空蒸着の場合、分離を可能にし、対応する層において様々な機能を最適化させる、陽極／ＨＩＬ／ＨＴＬ／ＥＭＬ／ＥＴＬ／ＥＩＬ／陰極などの多層のＯＬＥＤが好ましい。インクジェット印刷、スクリーン印刷、およびスピンコーティングなど、溶液ベースのコーティング技術の場合、陽極／ＨＩＬ／ＥＭＬ／陰極など、数層を有する単純なデバイス構造が好ましい。架橋など、適切な固定技術を使用することによって、溶液ベースのコーティング技術によって多層構造も得ることができる。ポリマーは、溶液ベースのコーティング技術に適する、典型的な可溶性物質である。最新式のＰＬＥＤはしばしば中間層を含む。
【０２３８】
本明細書で用いられる中間層（ＩＬ）という用語は、例えば、ＷＯ２００４／０８４２６０  Ａ２において開示されている通り、電子阻止層である、ポリマー発光性ダイオード（ＰＬＥＤ）における正孔注入層（またはバッファー層）と放射層との間の層と定義される。中間層を有するＰＬＥＤの典型的なデバイス構造は、したがって、陽極／ＨＩＬ／ＩＬ／ＥＭＬ／陰極である。
【０２３９】
有機放射線放射層３０が単層を含むのが好ましい。有機放射線放射層３０は、例えば、電子輸送分子およびルミネセンス物質とドープされている、ルミネセンスの、正孔輸送性ポリマーである複合ポリマー、または正孔輸送性分子およびルミネセンス物質とドープされている不活性のポリマーを含むことができる。有機放射線放射層３０は、他のルミネセンス分子とドープすることができるルミネセンスの小型有機分子の非結晶薄膜も含むことができる。
【０２４０】
有機放射線放射層３０は、正孔注入、正孔輸送、電子注入、電子輸送、およびルミネセンスの機能を実行する２つまたはそれを超える下層を備えている。機能的なデバイスにはルミネセンス層だけが必要とされる。有機放射線放射層３０は、例えば、正孔注入下層、正孔輸送下層、ルミネセンス下層、および電子注入下層を含めた１つから６つの下層を含むことができる。
【０２４１】
別の極めて好ましい１つの態様において、放射線放射層３０は、以下のような多層構造を含む可溶性ベースの系である：例えば、ＷＯ２００４／０８４２６０  Ａ２に開示されているＨＩＬ／ＩＬ／ＥＭＬ（放射線放射層３０は、小分子の混合物、小分子とポリマー（複数可）との混合物、およびポリマーのブレンドであってよく、特に好ましくは複合ポリマー、または少なくとも１つのリン光エミッターを含む混合物である可溶性有機化合物を備えており、小分子またはポリマーのいずれかである上記に記載したリン光エミッターから選択することができる）。
【０２４２】
複合ポリマーは、例えば、Ｒ．Ｈ．Ｆｒｉｅｎｄ、４、Ｊ．Ｍｏｌ．Ｅｌｅｃｔｒｏｎｉｃｓ、３７〜４６頁（１９８８年）において論じられている。複合ポリマーの一例はＰＰＶ（ポリ（ｐ−フェニレンビニレン））である。ＰＰＶは約５００ｎｍから６９０ｎｍのスペクトル範囲の発光し、熱およびストレスが誘発する亀裂に対して良好な抵抗性を有する。
【０２４３】
適切な複合ポリマーの他の例は、例えば、４，５−ジヒドロピレン誘導体、４，５，９，１０−テトラヒドロピレン誘導体、ＵＳ５９６２６３１、ＷＯ２００６／０５２４５７  Ａ２、およびＷＯ２００６／１１８３４５  Ａ１などに開示されているフルオレン誘導体、ＷＯ２００３／０２０７９０  Ａ１などに開示されている９，９’−スピロビフルオレン誘導体、ＷＯ２００５／１０４２６４  Ａ１などに開示されている９，１０−フェナントレン誘導体、ＷＯ２００５／０１４６８９  Ａ２などに開示されている９，１０−ジヒドロフェナントレン誘導体、ＷＯ２００４０４１９０１  Ａ１、ＷＯ２００４１１３４１２  Ａ２などに開示されている５，７−ジヒドロベンゾオキセピン誘導体、ならびにシス−およびトランス−インデノフルオレン誘導体、ならびにＷＯ２００６／０６３８５２  Ａ１などに開示されているビナフチレン誘導体から選択されるバックボーン単位、ならびにＷＯ２００５／０５６６３３Ａ１、ＥＰ１３４４７８８Ａ１およびＷＯ２００７／０４３４９５Ａ１、ＷＯ２００５／０３３１７４  Ａ１、ＷＯ２００３／０９９９０１Ａ１およびＤＥ  １０２００６００３７１０．３などに開示されているさらなるバックボーン単位を含むものである。
【０２４４】
ＵＳ５，９６２，６３１、ＷＯ２００６／０５２４５７  Ａ２、およびＷＯ２００６／１１８３４５  Ａ１などに開示されているフルオレン誘導体をベースにしたさらなる適切な複合ポリマー、ＷＯ  ２００３／０２０７９０  Ａ１などに開示されているスピロ−ビフルオレン誘導体、ＷＯ２００５／０５６６３３  Ａ１、ＥＰ１３４４７８８  Ａ１、およびＷＯ２００７／０４３４９５Ａ１などに開示されているベンゾフルオレン、ジベンゾフルオレン、ベンゾチオフェン、ジベンゾフルオレン、およびこれらの誘導体。
【０２４５】
特に好ましい１つの態様において、放射線放射層３０はリン光組成物を含む。好ましいリン光組成物は、ＥＰ２００５００５０２１およびＷＯ２００５０４０３０２  Ａ１などにおいて開示されている、ホスト物質と放射性の金属錯体の混合物であり、さらに好ましくは、ホスト物質は、ＤＥ１０２００９０２３１５６．０およびＤＥ１０２００９０２３１５４．４における例から開示される非複合ポリマーから選択される。
【０２４６】
上記に記載したオリゴマー、ポリマー、または小分子および／もしくはポリマーの混合物は、通常の有機溶媒に容易に溶解する。これらは、スピンコーティング、スプレーコーティング、浸漬コーティング、インクジェット印刷、およびローラーコーティングなどの従来の技術によって薄膜またはコーティングに処理加工することができる。硬化時、これらの薄膜は通常の有機溶媒に対する耐性および高熱耐性を実際に示す。
【０２４７】
本発明によるファイバーＯＬＥＤを、浸漬コーティングを用いて大量生産することができるのが好ましい。一般的な一生産ラインを、陽極／ＨＩＭ／中間層／ＥＭＬ／陰極の構造を有するファイバーＯＬＥＤを例として図１２に図示し、この場合、電極は物理的な気相めっきによって沈着させ、有機機能層、ＨＩＭ、中間層、およびＥＭＬは浸漬コーティングによってコーティングする。物理的な気相めっき方法は、例えば、熱真空蒸着、スパッタリング、陰極アーク沈着（Ｃａｔｈｏｄｉｃ  Ａｒｃ  Ｄｅｐｏｓｉｔｉｏｎ）、パルスレーザー沈着、およびｅ−ビームなどから選択してもよい。別の特に好ましい生成方法は、図１３に図示するように、全て溶液ベースである。図１２および図１３の両方に用いられる成分を以下の通り説明する：２１０はファイバーコアであり、１３０は第１の電極に対する沈着チャンバーであり、２００は第２の電極に対する沈着チャンバーであり、２４０は第１の電極に対する導電物質を含むインクを含んでいる容器であり、１４０はバッファー物質またはＨＩＭの溶液を含んでいる容器であり、１６０はＨＩＭまたは中間層物質の溶液または製剤を含んでいる容器であり、１８０は放射性組成物の溶液または製剤を含んでいる容器であり、２５０は第２の電極に対する導電物質を含むインクを含んでいる容器であり、１５０、１７０、１９０、２２０、および２３０は乾燥剤である。
【０２４８】
光線療法による、治療上の状態および／または美容上の状態の治療および／または予防および／または診断は、少なくともある場合において、異なる波長の使用を必要とする。１つを超える波長、または１つを超える波長の範囲を放射するデバイスを製造するために、様々な戦略が可能であり、本発明によってその全てが包含される。異なる波長は、異なる波長または異なる波長の範囲の発光する異なる機能物質を有する１つのファイバーにおける１つを超える放射線放射層３０の使用によって実現することができる。好ましくは、本発明による発光ファイバーは、３つの、特に好ましくは２つの、極めて特に好ましくは１つの放射線放射層３０を含む。
【０２４９】
本発明内の他所で概略した通り、放射線放射層３０は、ＯＬＥＤにおいて典型的に見出される層または下層の典型的な構造を示す。したがって、放射線放射層３０は１以上の層を含むことができる。放射線放射層３０は、同じ放射層または異なる放射層のいずれか中に異なる発光物質を含むこともできる。好ましくは、放射線放射層３０は、３つの、特に好ましくは２つの、極めて特に好ましくは１つの放射層を含む。好ましくは、放射線放射層３０は、３つの、特に好ましくは２つの、極めて特に好ましくは１つの発光物質を含む。放射層は、好ましくは、３つの、特に好ましくは２つの、極めて特に好ましくは１つの発光物質を含む。様々な発光物質が上記に記載する発光物質から選択されるが、任意の他の適する発光物質を用いることができる。２つの発光物質を１つの放射層において用いる場合、２つの発光物質のうち１つの吸収スペクトルが、他の発光物質の放射スペクトルと重複するのが好ましい。
【０２５０】
発光ファイバーを、図２ａ）に図示するｎ個の別個の放射線放射層３０を有し、ｂ）ｎ個の異なる波長または波長の範囲を放射する小セグメントに分割することによって、異なる波長を実現することもできる。１つのファイバーにおいて複数のセグメントを用いる場合、ｎは好ましくは４であり、特に好ましくは３であり、極めて特に好ましくは２である（図２ｂを参照されたい）。しかし、ｎが１の場合でも、１つのファイバーにおいて複数のセグメントを用いることができる。
【０２５１】
異なる波長または波長の範囲を放射するデバイスは、図３および図４に図示する通り、異なる発光ファイバーを用いることによって得ることもでき、ｎは上記で定義した通りである。２つの別個の発光ファイバーを含むデバイスが特に好ましい（図４を参照されたい）。
【０２５２】
唯一の可能性はデバイスにおいて並行に配列した発光ファイバーである。ファイバーに知られている任意の処理加工を用いることができる。ファイバーは、例えば、図５に図示する通り、織られていてよい。これによって、異なる波長または波長の範囲を放射するキャンバスを得るために、異なる発光ファイバーを処理加工することができる。異なる波長（複数可）を放射するファイバーが相互に垂直であるように、同じ波長（複数可）を放射するファイバーを相互に並行に配列することができる（図６）。異なる波長（複数可）を放射するファイバーを、交互の様式で配列することもできる。
【０２５３】
図７は、プラスターである本発明の発光デバイスの例示の態様を示す。これは、治療する対象にプラスターを付着させるための側面１を含む。これは、例えば、電池、特に印刷電池であってよい電源２も含むことができる。２において、ステアリングユニットも組み入れることができる。プラスターは、透明ではなく、または部分的にのみ透明である反射物質３も含むことができる。反射物質３はデバイスの効率を改善する。デバイスは、発光ファイバー４に応じて異なる波長λ１からλｎを放射することができ、ｎは好ましくは３、特に好ましくは２、極めて特に好ましくは１である。
【０２５４】
発光ファイバーを含むデバイスは硬くても、または軟質でもよく、軟質には可塑性および弾性の両方が含まれる。好適な物質を選択することによって、発光ファイバーの屈曲性の程度を任意の所望の値に誂えることができる。硬さは、デバイスの硬さ、ファイバーの硬さ、またはデバイスおよびファイバー両方の硬さのいずれかによって実現することができる。デバイス全体は、少なくとも部分的に、発光ファイバーが軟質ではない場合でも軟質であることができる。これは、例えば、ファイバーがデバイス上に配列される場合はファイバーが平行に並ぶように、実現することができる。並行のファイバーを、プラスターなどの軟質の基体上に固定することができ、軟質はファイバーに対して垂直に生じる。ファイバーは硬くても、または軟質でもよく、軟質なファイバーは延性であってよく、すなわちファイバーは破損することなしに可塑的に変形することができ、または弾性であってよく、すなわちファイバーは可逆的に変形し、変形の原因となる力が適用されなくなった後、物体はそのもとの形状にもどる。ファイバーが軟質であるのが好ましい。ファイバーを含むデバイスはしたがって、治療する対象の相観にしたがって任意の形状をとることができ、動きを追跡することができ、その形状を瞬間的に変化させることができる。別の好ましい１つの態様において、ファイバーは可塑的に変形する。ファイバーが、例えば、包帯またはプラスター中に組み入れられる場合、プラスターは治療する対象の相観をとることができる。しかし、これは対象の表面の変化についていくことはできない。可塑性および硬さの程度に応じて、プラスターまたは包帯は治療される表面の部分を安定化させることができる。
【０２５５】
前記機能物質を、ヒトを治療するためなど、上記で概略した通りに用いることができる。前記機能物質を、動物を治療するためなど、上記で概略した通りに用いることもできる。機能物質は発光ファイバーにおいて用いられ、発光ファイバーは前記治療に用いられるデバイスにおいて用いられる。デバイスはヒトまたは動物対象にデバイスを付着させるための付着手段を備えている。
【０２５６】
前記機能物質およびそれを含む発光ファイバーでの照射によって処理するのに適するさらなる対象および物体は、例えば、植物、微生物、細菌、真菌、ならびに任意の種類の液体および固体である。微生物には、それだけには限定されないが、細菌および古細菌などの原核生物、原生生物、動物、真菌、および植物などの真核生物が含まれる。好ましい液体はソフトドリンク、飲料、特に好ましくは水および飲用水である。処理するのにさらに好ましい物体は食料品および栄養物である。
【０２５７】
本発明内にすでに概略した通り、デバイスは、任意の形状を有することができ、硬くても、または軟質でもよい。デバイスは任意の形態のエネルギー供給を必要とする。エネルギー供給はデバイスに直接付随していてよく、またはケーブルなどによって分離されていてよい。電池、特に印刷電池は、治療する対象にとって快適であるデバイスを提供するために、デバイスに付随していてよく、完全に内蔵型の携帯型ユニットを形成する。したがって、照射は、治療する対象の習慣または日常生活を乱さずに、いつでもどこでも行うことができる。本発明によるデバイスの家庭での使用が特に好ましい。デバイスは自分で着脱することができる。これは身体の平坦または非平坦な部分に合わせてもよく、または植込み型プローブであってもよい。
【０２５８】
本発明内ですでに概略した通り、デバイスは対話型のステアリングユニットを含むことができる。ステアリングユニットはスイッチを連続的な照射からパルス照射への切換えを可能にすることができる。これはまた、放射される照射強度および／または波長の正確な調節を可能にすることができる。ステアリングユニットはデバイスに直接付随していてよい。ステアリングユニットは永続的または一時的な連結によって分離することもできる。デバイスは使い捨てであることができ、病院中または病院外の使用に適する。
【０２５９】
いずれの場合も、本発明によるデバイスは、携帯使用のための軽量デバイスとして適する。しかし、固定のデバイスも製造することができる。デバイスは、移動的治療、すなわち、対象が自由に動き回ることができる治療を可能にするのに十分携帯型である。デバイスは、治療を殆どどこでも行うことができるように、ヒト対象の自身の時間に引き続き動かすことができる。このためより便利となり、低費用となる（病院における外来患者または入院患者いずれかの滞在を避けることから）。
【０２６０】
ＰＤＴの場合、治療に痛みが伴うことが多い。本発明による移動式デバイスは、曝露がより長期間生じ得るので、より低レベルの光で用いることができる。これにより、病院で用いられる従来の光源からの高照射量によってある患者に引き起こされる痛みの問題が克服される。さらに、より低い照射量は、光医薬品の光脱色の程度を低減するため、ＰＤＴにおいてより効果的である。
【０２６１】
デバイスは、現在の光化学および／または光医薬品の調製物とともに提供されてよい。これは、ゲル剤、軟膏剤、またはクリーム剤の形態であってよい。あるいは、または同様に、デバイスは、光医薬品を含浸させた薄膜とともに提供されてよい。光医薬品調製物が光源と接触している層として提供されるのが典型的である。光医薬品調製物が刺激性の光の周波数に対して透明、または十分に半透明であるならば、得られるデバイスは、光医薬品を患者に適用する別々のステップなしで容易に適用することができる。クリーム剤は光を散乱するが、それでも、光源のスイッチを入れる前にこれらが吸収されるのであれば用いることができる。光医薬品の層は、裏がシリコーンであるシートなど可剥性の放出媒体によって覆われていてよい。光医薬品調製物は、ｉｎ  ｖｉｖｏで有効化合物に代謝される不活性な化合物を含むことができる。光医薬品の送達はイオン泳動によって支援することができる。デバイスからの光の出力はパルス状であってよく、このパルシング、ならびに／または治療する領域の曝露（複数可）の期間および放射される光の強度などのデバイスの機能の他の局面を制御するのに、電子制御回路またはマイクロプロセッサを提供することができる。パルスデバイスは、光化学の調製物、および／または光脱色でき、もしくはｉｎ  ｖｉｖｏで光脱色可能な化学種に代謝される光医薬品物質とともに提供される。
【０２６２】
デバイスの出力は、パルス列の形態をとってよく、好ましくはパルスの期間は連続的なパルス間の間隔と実質的に同じである。パルス列の期間は、例えば、前記物質の光脱色の特徴に応じて、２０ｍｓから２０００ｓの範囲であってよい。
【０２６３】
付着の手段が、デバイスが患者に付着するのを可能にする接着性の表面を含むのが好ましい。
【０２６４】
さらに好ましい特徴は、上記の第一の態様に関連する。
【０２６５】
移動式デバイスが、現在の光化学および／または光医薬品調製物とともに提供されるのが好ましい。調製物およびその送達の好ましい特徴は上記の通りである。特に、光化学および／または光医薬品は、光脱色可能であってよく、またはｉｎ  ｖｉｖｏで光脱色可能な化学種に代謝されてよい。光源を活性化および非活性化するための手段は、治療する領域の曝露（複数可）の期間および放射される光の強度などのデバイスの機能の他の局面を制御することができる。制御手段が、デバイスによって生成されるパルス列の好ましい特徴の任意の１以上を有するパルス列を放射するための源を包含するのに動作可能であり得るのが好ましい。
【０２６６】
本発明による適切なデバイスは、スリーブ、包帯、パッド、プラスター、植込み型プローブ、経鼻胃管、胸腔ドレーン、ステント、衣服様デバイス、毛布、寝袋、キャンバス、および任意の種類の衣服、口中の少なくとも１つの歯を覆うデバイスならびにパッチから選択される。
【０２６７】
デバイスは、ステント、例えば、食道の内部に用いるのに、半径１．２５ｃｍから２．２５ｃｍの、長さ１０ｃｍから１２ｃｍの管などのステントとして用いることができる。
【０２６８】
デバイスは、例えば、乳児の黄疸を治療するために、毛布または寝袋であってよい。現在黄疸に罹患している乳児は両親から隔てられ、目隠しされてインキュベーター中で照射を受けている。これは乳児および両親の両方にとって不快な状況を意味する。さらに、乳児は、大人ができるほど容易に体温を調節することができず、インキュベーター中で温めすぎるのは重大な問題である。軟質の毛布および寝袋により、このような問題なしに乳児を治療する方法がもたらされる。毛布または寝袋によって覆われた乳児を、両親に抱かれて照射することができ、乳児の身体を温めすぎることは従来の治療法に比べてそれほど重大ではない。これは、本発明によるデバイスが動力をあまり必要とせず、ひいては熱をあまり生成しないという事実による。
【０２６９】
乾癬患者では、身体のひだにプラークがしばしば見られる。従来の光線療法は、光源によって放射された光が身体のひだにおけるプラークに到達しないという事実による問題を表している。ＯＬＥＤは、乾癬、ならびに身体のひだに見出される他の疾患および／または状態を治療するためにからだのひだに適合するように設計することができる。上記で概略した発光ファイバーおよびそれを含むデバイスの延性のある特徴は、身体のしわにおける治療を意図するデバイスにとって有益であり得る。
【０２７０】
デバイスは、一般に、治療に必要とされる任意の形態で個々に誂えられてよい。
【０２７１】
デバイス自体は、治療の間制御された方法において放出される治療薬を含んでいてよい。
【０２７２】
機能物質を用いて、疾患および／または美容上の状態を治療および／または予防および／または診断するための発光ファイバーを含むデバイスを製造することができる。発光ファイバーが有機発光ダイオード（ＯＬＥＤ）を備え、またはそれからなるのが好ましい。
【０２７３】
本発明による機能物質を、皮膚疾患および／または美容上の皮膚状態を治療および／または予防および／または診断するのに用いることができるのが好ましい。
【０２７４】
本明細書で用いられる皮膚は、毛髪、鱗屑、羽毛、および爪を含めた外皮系の最大の器官と定義される。皮膚という用語は、舌、粘膜、および歯肉も含む。
【０２７５】
原則的に、光線療法によって対処することができる任意の治療上および美容上の状態を本発明は包含する。治療上の用語と美容上の用語との間の違いは、上記で概略した通り、個々の状況、状態の重症度、および医師の評価によるものである。本発明において概略する通り、多くの治療上の状態は、疾患の重症度とは独立に、美容上の効果に伴うものである。
【０２７６】
皮膚疾患および皮膚に関連する状態には、それだけには限定されないが、ざ瘡様発疹、自己炎症性皮膚疾患または状態、慢性の発斑（blistering）、粘膜の状態、皮膚付属器の状態、皮下脂肪の状態、結合組織病、皮膚線維および弾性組織の異常、皮膚および皮下の増殖、皮膚炎、アトピー性皮膚炎、接触性皮膚炎、湿疹、膿疱性皮膚炎、脂漏性皮膚炎および湿疹、皮膚沈着の障害、薬疹、内分泌腺関連疾患および状態、表皮母斑の疾患および状態、新生物、嚢胞、紅斑、遺伝性皮膚症、感染関連の疾患および状態、細菌関連の疾患および状態、マイコバクテリウム関連の疾患および状態、真菌症関連の疾患および状態、寄生虫の侵襲、刺し傷、および咬傷、ウイルス関連の疾患および状態、苔癬様発疹、リンパ関連の疾患および状態、色素細胞性母斑および新生物、単球およびマクロファージ関連の疾患および状態、ムチン沈着症、神経皮膚の、非感染性免疫不全関連の疾患および状態、栄養関連の疾患および状態、丘疹鱗屑性の角化関連の疾患および状態、掻痒性関連の疾患および状態、乾癬（軽度、軽度から重度、および重度）、反応性の好中球性疾患および状態、不応性の手掌足底の発疹、代謝における誤りに起因する疾患および状態、物理的要因に起因する疾患および状態、蕁麻疹および血管性浮腫、血管関連の疾患および状態、ならびに歯周病、または歯肉の他の疾患および状態が含まれる。
【０２７７】
皮膚関連の疾患および状態には、皮膚腫瘍、前癌性腫瘍、悪性腫瘍、細胞癌、二次転移、放射線皮膚炎、および角化症も含まれる。
【０２７８】
創傷の治癒も、皮膚疾患および皮膚関連の状態に割り当てられてよい。創傷治癒は、本明細書により、治療する対象の外部表面、その内部部分、皮膚、眼、爪または爪床、対象の口における任意の表面、および粘膜、歯肉、血管系の上皮表面、または対象の身体の他の部分に生じる。
【０２７９】
本発明による機能物質を含むファイバーデバイスを、皮膚のケアおよび皮膚の修復のための、例えば、光プラスター（ｌｉｇｈｔ ｐｌａｓｔｅｒ）として用いることができる。前記デバイスによって放射される波長または波長の範囲は、４００ｎｍから８００ｎｍの間の、好ましくは４５０ｎｍから７５０ｎｍの間の、特に好ましくは５００ｎｍから７００ｎｍの間の、極めて特に好ましくは５８０ｎｍから６４０ｎｍの間の範囲にある。
【０２８０】
本発明による機能物質を、ざ瘡、乾癬、湿疹、皮膚炎、アトピー性皮膚炎、浮腫、白斑、ボーエン病、腫瘍、前癌腫瘍、悪性腫瘍、基底細胞癌、扁平上皮癌、二次転移、皮膚Ｔ細胞リンパ腫、日光角化症、ヒ素角化症、放射線皮膚炎、およびセルライトから選択される皮膚疾患および／または美容上の皮膚状態の治療および／または予防および／または診断に用いることができるのが好ましい。
【０２８１】
さらに好ましい皮膚疾患および皮膚関連の状態は、乾癬、多形日光疹、日光蕁麻疹、光線性類細網症、アトピー性湿疹、白斑、掻痒、扁平苔癬、初期皮膚Ｔ細胞リンパ腫、皮膚描記症、および苔癬様粃糠疹から選択される。好ましくは、これらの疾患および状態を、２００ｎｍから５００ｎｍの間の、特に好ましくは２５０ｎｍから４００ｎｍの間の、極めて特に好ましくは２７０ｎｍから３５０ｎｍの間の波長または波長の範囲を有する光で治療する。
【０２８２】
本発明による機能物質およびそれを含むファイバーデバイスをＰＵＶＡ治療に用いることができる。ＰＵＶＡ治療は、ソラレン（７Ｈ−フロ［３，２−ｇ］クロメン−７−オン）およびその誘導体のＵＶ−Ａ光と一緒の治療的適用から派生する。ＰＵＶＡは、過剰増殖性の状態を特徴とする皮膚疾患の治療に用いることができる。ソラレンは天然物のファミリーにおける親化合物である。ソラレンはクマリンに構造的に関連しており、好ましくは、乾癬、湿疹、白斑、菌状息肉症、皮膚Ｔ細胞リンパ腫、および他の自己免疫疾患の治療に用いることができる。ＰＵＶＡで、アトピー性湿疹、扁平苔癬、色素性蕁麻疹、多形日光疹、および円形脱毛症も治療することができる。
【０２８３】
ソラレンは、経口的に、または皮膚に対して局所的に投与することができる。好ましい化合物は、ソラレン、８−メトキシソラレン（８−ＭＯＰ）、５−メトキシソラレン（５−ＭＯＰ）、および４，５’，８−トリメチルソラレン（ＴＭＰ）である。８−ＭＯＰを経口投与した後、患者は徐々にＵＶ−Ａに対して反応性になり、したがって光化学療法的治療に反応性になる。患者は、薬物摂取２時間から３時間後に最大に反応性であり、この期間の間に照射を行う。
【０２８４】
白斑の場合、ソラレンの代わりにケリンを用いることができる。光とケリンの併用治療は、しばしばＫＵＶＡと呼ばれる。
【０２８５】
本発明による機能物質およびそれを含むファイバーデバイスを光フェレーシスにも用いることができる。光フェレーシスは、それによって末梢血が体外の流通系において光活性化の５−ＭＯＰに曝露されるプロセスであり、異常なＴリンパ球によって引き起こされる障害に対する治療を代表する。光フェレーシスは進行した皮膚Ｔ細胞リンパ腫、尋常性天疱瘡、および進行性全身性全身性硬化症（強皮症）に対する治療法である。光フェレーシスは自己免疫障害を治療するのに用いることができる。治療することができるさらなる疾患には、多発性硬化症、臓器移植拒絶、関節リウマチ、およびＡＩＤＳが含まれる。
【０２８６】
本発明は、ざ瘡様発疹を治療するための、前記機能物質およびそれを含むデバイスに特に関する。ざ瘡様発疹という用語は、尋常性ざ瘡、酒さ、毛包炎、および口囲皮膚炎の群に関する。ざ瘡様発疹は、一般的に言えば、毛包脂腺系における変化によって引き起こされ、マヨルカざ瘡（Ｍａｌｌｏｒｃａ  ａｃｎｅ）、集簇性ざ瘡、化粧ざ瘡、電撃性ざ瘡（急性の熱性の潰瘍性のざ瘡）、ざ瘡ケロイド（項部ケロイド状ざ瘡、頭部乳頭状皮膚炎、ケロイド性毛包炎、項部ケロイド性毛包炎、項部ケロイドざ瘡（ｎｕｃｈａｌ  ｋｅｌｏｉｄ  ａｃｎｅ））、機械的ざ瘡（ａｃｎｅ  ｍｅｃａｎｉｃａ）、薬剤性ざ瘡、壊死性粟粒性ざ瘡（ａｃｎｅ  ｍｉｌｉａｒｉｓ  ｎｅｃｒｏｔｉｃａ）（痘瘡状ざ瘡）、尋常性ざ瘡、顔面浮腫を有するざ瘡（顔面充実性水腫（ｓｏｌｉｄ  ｆａｃｉａｌ  ｅｄｅｍａ））、ざ瘡様発疹、眼瞼腫瘍、毛細血管拡張性酒さ（ｅｒｙｔｈｒｏｔｅｌａｎｇｉｅｃｔａｔｉｃ  ｒｏｓａｃｅａ）（紅斑性毛細血管拡張性酒さ（ｅｒｔｈｅｍａｏｔｅｌａｎｇｉｅｃｔａｔｉｃ  ｒｏｓａｃｅａ））、表皮剥離したざ瘡（ｅｘｃｏｒｉａｔｅｄ  ａｃｎｅ）（若い女性の表皮剥離したざ瘡（ａｃｎｅ  ｅｘｃｏｒｉｅｅ  ｄｅｓ  ｊｅｕｎｅｓ  ｆｉｌｌｅｓ）、ピッカーズざ瘡（Ｐｉｃｋｅｒ’ｓ  ａｃｎｅ））、腺性酒さ（ｇｌａｎｄｕｌａｒ  ｒｏｓａｃｅａ）、顎腫瘤（ｇｎａｔｈｏｐｈｙｍａ）、グラム陰性酒さ、肉芽腫性顔面皮膚炎（ｇｒａｎｕｌｏｍａｔｏｕｓ  ｆａｃｉａｌ  ｄｅｒｍａｔｉｔｉｓ）、肉芽腫性口囲皮膚炎（ｇｒａｎｕｌｏｍａｔｏｕｓ  ｐｅｒｉｏｒａｌ  ｄｅｒｍａｔｉｔｉｓ）、ハロゲンざ瘡、化膿性汗腺炎（逆性ざ瘡（ａｃｎｅ  ｉｎｖｅｒｓａ）、ヴェルネーユ病）、特発性顔面肉無菌性芽腫（ｉｄｉｏｐａｔｈｉｃ  ｆａｃｉａｌ  ａｓｅｐｔｉｃ  ｇｒａｎｕｌｏｍａ）、乳児のざ瘡、狼瘡様酒さ（肉芽腫性酒さ、微丘疹状結核疹（ｍｉｃｒｏｐａｐｕｌａｒ  ｔｕｂｅｒｃｕｌｉｄ）、Ｌｅｗａｎｄｏｗｓｋｙの酒さ様結核疹）、顔面播種状粟粒性狼瘡、メトフィマ（ｍｅｔｏｐｈｙｍａ）、新生児ざ瘡（小児ざ瘡（ａｃｎｅ  ｉｎｆａｎｔｕｍ）、新生児ざ瘡（ａｃｎｅ  ｎｅｏｎａｔｏｒｕｍ））、職業性ざ瘡、眼の酒さ（目の酒さ（ｏｃｕｌａｒ  ｒｏｓａｃｅａ）、眼科酒さ（ｏｐｈｔｈａｌｍｏｒｏｓａｃｅａ））、耳腫瘤（ｏｔｏｐｈｙｍａ）、酒さの持続的な浮腫（慢性の顔面上部の紅斑性浮腫、モルビアン病（Ｍｏｒｂｉｈａｎ’ｓ  ｄｉｓｅａｓｅ）、バラ形のリンパ水腫（Ｒｏｓａｃｅｏｕｓ  ｌｙｍｐｈｅｄｅｍａ））、ポマードざ瘡、丘疹膿疱酒さ、膿瘍性穿掘性頭部毛包周囲炎（頭皮の解離性蜂巣炎（ｄｉｓｓｅｃｔｉｎｇ  ｃｅｌｌｕｌｉｔｉｓ  ｏｆ  ｔｈｅ  ｓｃａｌｐ）、解離性毛包炎（ｄｉｓｓｅｃｔｉｎｇ  ｆｏｌｌｉｃｕｌｉｔｉｓ）、Ｈｏｆｆｍａｎの膿瘍性穿掘性頭部毛包周囲炎）、眼窩周囲の皮膚炎、（眼周囲の皮膚炎）、顔面膿皮症（劇症酒さ（ｒｏｓａｃｅａ  ｆｕｌｍｉｎａｎｓ））、酒さ鼻、酒さ（酒さ性ざ瘡）、凝塊形成性酒さ（ｒｏｓａｃｅａ  ｃｏｎｇｌｏｂａｔａ）、劇症酒さ、ＳＡＰＨＯ症候群、ステロイド酒さ、熱帯ざ瘡から選択される。
【０２８７】
尋常性ざ瘡（通常ざ瘡と呼ばれている）は、アンドロゲンの刺激によって、毛包およびその関連する皮脂腺からなる皮膚構造である毛包脂腺系における変化によって引き起こされる、一般的な皮膚の状態である。これは、非炎症性の毛包性丘疹および面皰を特徴とし、より重症の形態において炎症性の丘疹、膿疱、および小結節を特徴とする。尋常性ざ瘡は、皮脂腺の密度が最も密である皮膚の領域に罹患し、これらの領域には、顔面、胸部の上部、および背部が含まれる。重症のざ瘡は炎症性であるが、ざ瘡は非炎症性の形態において顕在化することもある。ざ瘡の病変は一般ににきび（ｐｉｍｐｌｅ）、キズ（ｂｌｅｍｉｓｈ）、スポット（ｓｐｏｔ）、ジット（ｚｉｔ）、または単にざ瘡と呼ばれる。
【０２８８】
ざ瘡は青年期の間に最も一般的に生じ、十代の８９％を超えて罹患し、しばしば成人まで続く。思春期において、ざ瘡は通常、男性の性ホルモンの増大によって引き起こされ、思春期の間男女両方の人々に生じる。殆どの人々では、ざ瘡は経時的に減少し、または少なくとも二十代初期に到達した後は、消失する傾向がある。しかし、ざ瘡が完全に消失するまでどのくらいかかるかを予想する方法はなく、三十代、四十代、およびそれをすぎてもこの状態を持ち越す個体もある。
【０２８９】
顔面および頸部の上部が最も一般的に罹患するが、胸部、背部、および肩もざ瘡を有することがある。上腕もざ瘡を有することがあるが、そこに見られる病変は毛孔角化症であることが多い。典型的なざ瘡の病変は、面皰、炎症性の丘疹、膿疱、および小結節である。大型の小結節のいくつかは嚢胞とも呼ばれ、ノジュロシスティック（ｎｏｄｕｌｏｃｙｓｔｉｃ）という用語が炎症性ざ瘡の重症な症例を記載するのに用いられている。
【０２９０】
ざ瘡の主な影響は、瘢痕のほかに、自尊心の低下、場合によってはうつまたは自殺など心理的なものである。ざ瘡は通常思春期の間に出現するが、思春期には人々はすでに社会的に最も不安である傾向がある。したがって、個々への全体的な影響を低減するために、初期の積極的な治療を提唱するものもいる。
【０２９１】
ざ瘡に対する治療として光への曝露を用いることができる。光への曝露は、週に２回用いることで、ざ瘡の病変数を約６４％低減することが示されており、毎日適用した場合にさらにより効果的である。そのメカニズムは、４２０ｎｍ以下の波長の光を照射すると、Ｐ．ａｃｎｅｓ内に生成されるポルフィリン（コプロポルフィリンＩＩＩ）がフリーラジカルを産生することと思われる。特に、数日にわたって適用した場合、これらのフリーラジカルは最終的に細菌を死滅させる。ポルフィリンは他の場合には皮膚中に存在せず、ＵＶ光は使用されないので、安全であると思われる。
【０２９２】
治療は、紫色／青色光と赤色の可視光（例えば、６６０ｎｍ）の混合とともに用いた場合に、さらに良好に作用すると思われ、毎日の治療を３ヶ月行った後８０％の患者に病変の７６％の低減がもたらされ、全体のクリアランスは過酸化ベンゾイルと同様またはそれより良好であった。他の殆どの治療と異なり、あるとしてもごくわずかの負の副作用しか経験されないのが典型的であり、治療に対する細菌の耐性の発生は殆どありえないと思われる。治療後、クリアランスは、局所的または経口の抗生物質治療に典型的であるよりも長続きすることがあり、数ヶ月というのも珍しくない。さらに、皮膚科学者による基礎科学研究および臨床研究により、強力な青色／紫色光（４０５ｎｍから４２５ｎｍ）は、特に、ポルフィリンの生成を増大するデルタ−アミノレブリン酸（ＡＬＡ）でＰ．ａｃｎｅｓを前治療した場合に、治療４週間で炎症性ざ瘡の病変数を６０％から７０％低減することができる証拠がもたらされている。
【０２９３】
したがって、本発明は、機能物質およびそれを含むデバイス、ならびに疾患および／または美容上の状態を治療するためのさらなる有効薬物の組合せに関する。特に、本発明は、前記機能物質およびざ瘡の治療に用いる薬物の併用使用に関する。薬物は、ざ瘡を治療するために、典型的に用いられる任意の薬物、例えば、抗生物質（局所および／または経口の）、ホルモン治療、局所のレチノイド、局所の殺菌薬、イオウから選択することができる。適切な局所殺菌薬には、例えば、過酸化ベンゾイル、トリクロサン、およびグルコン酸クロルヘキシジンがある。適切な局所の抗生物質には、例えば、エリスロマイシン、クリンダマイシン、およびテトラサイクリンがある。適切な経口の抗生物質には、例えば、エリスロマイシン、テトラサイクリン抗生物質（例えば、オキシテトラサイクリン、ドキシサイクリン、ミノサイクリン、またはリメサイクリン）、トリメトプリム、およびミノサイクリンがある。
【０２９４】
適切なホルモンは、例えば、エストロゲン、プロゲストゲン、エストロゲンとプロゲストゲンとの組合せ、シプロテロン、エストロゲン、シプロテロンとエストロゲンとの組合せ、ドロスピレノン、スピロノラクトン、およびコルチゾンから選択される。適切な経口レチノイドには、例えば、ビタミンＡ誘導体、例えば、イソトレチノイン（例えば、Ａｃｃｕｔａｎｅ、Ａｍｎｅｓｔｅｅｍ、Ｓｏｔｒｅｔ、Ｃｌａｒａｖｉｓ、Ｃｌａｒｕｓ）がある。適切な局所レチノイドには、例えば、トレチノイン（例えば、Ｒｅｔｉｎ−Ａ）、アダパレン（例えば、Ｄｉｆｆｅｒｉｎ）、タザロテン（例えば、Ｔａｚｏｒａｃ）、イソトレチノイン、およびレチノールがある。さらなる適切な薬物は、例えば、抗炎症薬から選択される。
【０２９５】
本発明による組成物およびそれを含むデバイスは、ざ瘡を治療または防止するための剥皮術と組み合わせて用いることもできる。剥皮術は、皮膚の表面を剥離（研磨）によって除去する美容的医学的手順である。
【０２９６】
本発明には任意の治療的戦略が含まれる。薬物を、例えば、最初に特定の期間に投与し、その後本発明による組成物を用いた光線療法を適用することができる。両方の治療の間の時間の間隙は、薬物、その光反応性、対象の個々の状況、および特定の疾患または状態に応じて変化することもある。両方の治療は、部分的に、または完全にいずれかで折よく重複してもよい。正確な治療の戦略は個々の状況、および疾患または状態の重症度による。
【０２９７】
併用治療には相乗効果があることがあり、伝統的な治療の戦略の副作用（例えば、テトラサイクリンの副作用）を低減することがある。これは、本明細書に概略する併用の取組み後により少ない用量の薬物が必要とされ得るという事実による。
【０２９８】
面皰は黒色面皰とも呼ばれ、前記機能物質およびそれを含むデバイスを用いて光線療法によってやはり治療することができる。面皰は、皮膚上の黄色または黒みがかった隆起または栓である。実際、これは尋常性ざ瘡の１タイプである。面皰は、皮脂腺の管中に蓄積した過剰の油によって引き起こされる。これらの隆起中に見出される物質は殆どケラチンおよび修飾された皮脂からなっており、酸化すると色が濃くなる。黒色面皰がしばしば生じる場合、毛庖の詰まりが光を不規則的に反射して面皰を生成する。この理由で、妨害物を孔から引き出した場合に必ずしも黒色に見えないこともあるが、メラニンを含む結果、より黄色−褐色を有することがある。
【０２９９】
これとは対照的に、いわゆる稗粒腫は閉鎖面皰とも呼ばれ、同じ物質である皮脂で満たされている濾胞であるが皮膚表面に微視的な開口を有する。空気が濾胞に到達することができないので、物質は酸化されず、白いままである。
【０３００】
本発明による機能物質を含む前記ファイバーデバイスは、好ましくは、ざ瘡の治療に用いられる場合、３５０ｎｍから９００ｎｍの間の、好ましくは３８０ｎｍから８５０ｎｍの間の、特に好ましくは４００ｎｍから８５０ｎｍの間の、極めて特に好ましくは４００ｎｍから８００ｎｍの間の範囲の発光する。
【０３０１】
ざ瘡の治療にさらに特に好ましい光は青色光である。ざ瘡の治療に好ましい青色光は、３９０、３９１、３９２、３９３、３９４、３９５、３９６、３９７、３９８、３９９、４００、４０１、４０２、４０３、４０４、４０５、４０６、４０７、４０８、４０９、４１０、４１１、４１２、４１３、４１４、４１５、４１６、４１７、４１８、４１９、４２０、４２１、４２２、４２３、４２４、４２５、４２６、４２７、４２８、４２９、および４３０ｎｍである放射波長を有する。例えば、Ｐ．ａｃｎｅｓ細菌を死滅させ、存在するキズの治癒を助け、さらなる大発生を防ぐために、４１４ｎｍおよび４１５ｎｍが特に適切である。ざ瘡を治療するための光線療法の適用に対する研究により、異なる波長または波長の範囲の組合せがざ瘡を効率的に治療するのに特に適することが明らかになった。したがって、ざ瘡を治療するために赤色光と青色光の組合せが特に好ましい。前記赤色光は、好ましくは５９０ｎｍから７５０ｎｍの間の、特に好ましくは６００ｎｍから７２０ｎｍの間の、極めて特に好ましくは６２０ｎｍから７００ｎｍの間の範囲から選択される。ざ瘡の治療に好ましいさらなる２つの波長は６３３ｎｍおよび６６０ｎｍである。上記に記載した波長から青色光が選択されてよい。
【０３０２】
面皰の場合、前記ファイバーデバイスが５００ｎｍの波長を有する発光するのが好ましく、または５００ｎｍから７００ｎｍの間の範囲の光が特に好ましい。
【０３０３】
セルライトは、殆どの女性に生じると主張されている状態を記載するものであり、下肢、腹部、および骨盤領域がさざ波状になる。セルライトの原因はあまり理解されておらず、性別、特定の二形性の皮膚構造、結合組織構造の改変、血管の変化、および炎症プロセスなどの代謝および生理学における変化を伴い得る。セルライトを防止または治療するのに２、３の治療法が適用される。加熱および血流の増加が２つの一般的な技術である。したがって、光療法はセルライトに悩む個体に有益であると考えられる。前記機能物質およびそれを含むファイバーデバイスはセルライトの治療および／または予防に適する。ＰＤＴもセルライトの治療および／または予防に適する。
【０３０４】
機能物質を含む前記ファイバーデバイスによって放射される、セルライトの治療および／または予防のための波長は、４００ｎｍから１０００ｎｍの間の範囲、好ましくは４００ｎｍから９００ｎｍの間の範囲、特に好ましくは４５０ｎｍから９００ｎｍの間の、極めて特に好ましくは５００ｎｍから８５０ｎｍの間にある。
【０３０５】
より一般的な語である皮膚の加齢は、しわの生成および色素沈着過剰の両方を意味する。皮膚の内因性および外因性の要因に対する効果に起因するヒトの皮膚の加齢の徴候は、しわおよび細腺の出現によって、色素沈着のキズの外見とともに萎びた外見を発生させる皮膚の黄ばみによって、角質層および表皮の肥厚ならびに真皮の菲薄化を一般的にもたらす皮膚の厚さにおける変化によって、弾性の、軟質の、および堅さの喪失を引き起こすエラスチンおよびコラーゲン線維の組織崩壊によって、ならびに毛細血管拡張症の出現によって規定される。
【０３０６】
これらの徴候のいくつかは内因性または生理学的な加齢と、すなわち、年齢に付随する「正常の」加齢とより特別に関連しており、他者は外因性の加齢と、すなわち、一般に環境によって引き起こされる加齢により特異的であり、このような加齢は、日光への曝露による、より詳しくは光加齢である。皮膚の加齢を引き起こす他の要因には、大気汚染、創傷、感染症、外傷性全身障害、無酸素症、喫煙、ホルモン状態、神経ペプチド、電磁場、重力、生活様式（例えば、アルコールの過剰摂取）、反復性の表情、睡眠時の体勢、および心理学的ストレッサーがある。
【０３０７】
内因性の加齢のために生じる皮膚における変化は、外因性の要因を伴う遺伝的にプログラムされた配列の結果である。この内因性の加齢は、特に、皮膚細胞の再生の減速を引き起こすが、これは、皮下脂肪組織の低減、および細腺または小じわの出現などの臨床的な損傷の出現において、ならびに弾性線維の数および厚さにおける増大、弾性組織膜からの垂直方向の繊維の喪失、およびこの弾性組織の細胞における大型で不規則な線維芽細胞の存在などの組織病理学的変化において、本質的に反映される。
【０３０８】
これとは対照的に、外因性の加齢は、厚いしわ、およびたるんで日焼けした皮膚の形成などの臨床的な損傷をもたらし、ならびに真皮上層における弾性物質の過剰沈着、およびコラーゲン線維の分解などの組織病理学的変化をもたらす。
【０３０９】
皮膚の加齢の原因となる様々な生物学的メカニズムおよび分子メカニズムが存在し、そのプロセスは現在完全に理解されていない。しかし、皮膚の加齢の内因性および外因性両方の要因は、共通のメカニズムを共有していることが認められた［Ｐ．Ｕ．Ｇｉａｃｏｍｏｎｉら、Ｂｉｏｇｅｒｏｎｔｏｌｏｇｙ、２００４年、２巻、２１９〜２２９頁］。これらの要因は、皮膚の加齢をもたらす皮膚における損傷の蓄積を導くプロセスを誘発する、というのは細胞接着分子の発現は、コラゲナーゼ、ミエロペルオキシダーゼ、および活性酸素種を分泌することによって細胞外マトリックス（ＥＣＭ）を消化する循環する免疫細胞の動員および血管外漏出を誘発するからである。
【０３１０】
これら溶解性のプロセスの活性化はこれら常在細胞の無作為な損傷を誘発し、このため次にプロスタグランジンおよびロイコトリエンが分泌される。これらのシグナル伝達分子は、オータコイドであるヒスタミンおよびサイトカインＴＮＦαを放出する常在性の肥満細胞の脱顆粒を誘発し、ゆえに隣接する毛細血管の内壁のＰセレクチンを放出する内皮細胞、ならびにＥセレクチンおよびＩＣＡＭ−１などの細胞接着分子の合成を活性化する。これは自己保持されている微小炎症サイクルを閉じ、そのためＥＣＭ損傷の蓄積、すなわち皮膚の加齢がもたらされる。
【０３１１】
皮膚の加齢を治療または予防するための新規な戦略、材料、およびデバイスに対して、強力な美容上および治療上の必要性が存在する。とりわけ皮膚の加齢を防ぎ、または治療することが意図される様々な美容上および治療上の組成物（皮膚ケアを含めた）が知られている。レチノイン酸およびその誘導体は、特にＵＳ４６０３１４６において、皮膚ケア上の、美容上の、または皮膚科学上の組成物における抗加齢物質として記載されている。乳酸、グリコール酸、または代替としてクエン酸などのヒドロキシ酸もこの同じ適用で知られており、これらの酸は多くの特許および公開（例えば、ＥＰ−Ａ−４１３５２８）において記載されており、市場の多くの皮膚ケアの、美容上の、または皮膚科学上の組成物に紹介されている。サリチル酸などの芳香族オルトヒドロキシ酸も提唱されている（例えば、ＷＯ９３／１０７５６およびＷＯ９３／１０７５５）。
【０３１２】
これらの化合物は全て剥離によって、すなわち角質層の表面の死細胞の除去によって、皮膚の加齢に対抗して作用する。この剥離は角質溶解性の性質とも呼ばれる。しかし、これらの化合物にもひりひりおよび発赤からなる副作用があり、ユーザーは不快と感じる。したがって、既知の化合物として少なくとも同等に有効であるがこれらの欠点を示さない、抗加齢の戦略に対する必要性がある。皮膚の加齢を治療または防止する確立された戦略と異なり、微小炎症のカスケードに非常に初期の段階で介入するのは新規な概念であり、本発明にしたがって内因性および外因性の皮膚の加齢を治療および防止することは、他の戦略から知られる欠点のない戦略を代表するものである。
【０３１３】
光線療法は、皮膚の加齢を治療する新たな方法を提供する。したがって、本発明の別の一目的は、皮膚の加齢の治療および／または予防のための、前記機能物質およびそれを含むファイバーデバイスの使用である。これは、本発明は、とりわけ皮膚の若返りのための、およびしわの形成の低減または防止のための溶液を提供することを意味する。
【０３１４】
前記ファイバーデバイスによって放出される皮膚の加齢の治療のための波長は、４００ｎｍから９５０ｎｍの間の範囲にある。波長が５５０ｎｍから９００ｎｍの間の範囲にあるのが好ましく、５５０ｎｍから８６０ｎｍの間の範囲にあるのが特に好ましい。
【０３１５】
機能物質を含むファイバーデバイスは、本発明の他の態様にも適用する異なる波長または波長の範囲の光も放射することができる。
【０３１６】
本発明の別の好ましい１つの態様において、皮膚の加齢の治療に用いられる機能物質を含む前記ファイバーデバイスは、６００ｎｍから６５０ｎｍの範囲の、特に好ましくは６２０ｎｍから６５０ｎｍの間の範囲の発光する。
【０３１７】
皮膚の加齢の治療および／または防止に用いられる前記ファイバーデバイスは、好ましくは、３５０ｎｍから９５０ｎｍの間の、好ましくは３８０ｎｍから９００ｎｍの間の、特に好ましくは４００ｎｍから９００ｎｍの間の範囲の発光する少なくとも１つの有機エレクトロルミネセンス化合物を含んでいる。
【０３１８】
皮膚の加齢の治療および／または予防にさらに特に好ましい光は青色光である。好ましい青色光は、３９０、３９１、３９２、３９３、３９４、３９５、３９６、３９７、３９８、３９９、４００、４０１、４０２、４０３、４０４、４０５、４０６、４０７、４０８、４０９、４１０、４１１、４１２、４１３、４１４、４１５、４１６、４１７、４１８、４１９、４２０、４２１、４２２、４２３、４２４、４２５、４２６、４２７、４２８、４２９、および４３０ｎｍである皮膚の加齢の治療および／または予防のための波長を有する。例えば、４１５ｎｍが特に適切である。
【０３１９】
皮膚の加齢の治療および／または予防にさらに特に好ましい光は、４００ｎｍから９００ｎｍの間の波長を有する。
【０３２０】
皮膚の若返りも、８３０ｎｍまたはその値をわずかに下回りもしくは上回る波長の光で実現することができる。したがって、７００ｎｍから１０００ｎｍの間の、好ましくは７５０ｎｍから９００ｎｍの間の、特に好ましくは７５０ｎｍから８６０ｎｍの間の、極めて特に好ましくは８００ｎｍから８５０ｎｍの間の範囲の発光する本発明によるファイバーデバイスもまた、本発明の目的である。対象の皮膚の発赤も、本発明によるファイバーデバイスによって治療することができる。前記デバイスによって放射される、発赤の治療および／または予防のための波長は、４６０ｎｍから６００ｎｍの間の範囲である。波長が５００ｎｍから６２０ｎｍの間の範囲であるのが好ましく、５４０ｎｍから５８０ｎｍの間の範囲であるのが特に好ましい。この目的の特に好ましい一波長は５６０ｎｍである。
【０３２１】
対象の皮膚炎を前記ファイバーデバイスによって治療することができる。ファイバーデバイスによって放射される、皮膚炎の治療および／または予防のための波長は、４７０ｎｍから６７０ｎｍの間の範囲である。波長が４９０ｎｍから６５０ｎｍの間の範囲であるのが好ましく、５３０ｎｍから６１０ｎｍの間の範囲であるのが特に好ましい。この目的に特に好ましい２つの波長は５５０ｎｍおよび５９０ｎｍである。
【０３２２】
対象のアトピー性湿疹を本発明によるファイバーデバイスによって治療することができる。前記ファイバーデバイスによって放射される、アトピー性湿疹の治療および／または予防のための波長は、４７０ｎｍから６７０ｎｍの間の範囲である。波長が４９０ｎｍから６５０ｎｍの間の範囲であるのが好ましく、５３０ｎｍから６１０ｎｍの間の範囲であるのが特に好ましい。この目的に特に好ましい一波長は３２０ｎｍである。
【０３２３】
乾癬を本発明による前記デバイスによって治療することができる。前記デバイスによって放射される、乾癬の治療および／または予防のための波長は、２４０ｎｍから６００ｎｍの間の範囲である。波長が２９０ｎｍから５００ｎｍの間の範囲であるのが好ましく、３００ｎｍから４８０ｎｍの間の範囲であるのが特に好ましい。乾癬の治療に特に好ましい波長の例は、３１０、３１１、３２０、４００、４１０、および４２０ｎｍである。
【０３２４】
白斑を本発明によるファイバーデバイスによって治療することができる。前記ファイバーデバイスによって放射される、白斑の治療および／または予防のための波長は、２４０ｎｍから５００ｎｍの間の範囲である。波長が２９０ｎｍから４００ｎｍの間の範囲であるのが好ましく、３００ｎｍから３３０ｎｍの間の範囲であるのが特に好ましい。この目的に特に好ましい一波長は、３１１ｎｍである。
【０３２５】
標的化した光線療法により、健常な皮膚への曝露を最小にし、特定の皮膚疾患に対する紫外光の治療的投薬が可能になっている。特に、紫外Ｂ範囲内の３０８ｎｍの波長の光が、白斑、乾癬、ならびに瘢痕、白色線条、およびＣＯ２レーザー後の表面再建に付随する白斑を含めた多くの皮膚疾患に特に効果的であることが示されている。
【０３２６】
本発明によるファイバーデバイスは浮腫の治療にも用いることができる。浮腫は、以前は水症または水腫として知られており、皮膚の下の、または身体の１つもしくは複数の腔における体液の異常な蓄積である。一般的に、間質液の量は体液のホメオスタシスのバランスによって決定され、間質中への体液の分泌の増加、またはこの体液の除去の障害が浮腫を引き起こし得る。浮腫の形成には５つの要因が寄与し得：（１）血管内の静水圧の増大もしくは膠質浸透圧の減少によって、または（２）炎症における血管壁の透過性の増大によって、または（４）リンパ管による体液の排除の閉塞によって、または（５）組織自体の水保持性質における変化によって促進され得る。静水圧の増大は、腎臓による水およびナトリウムの貯留を反映することが多い。
【０３２７】
浮腫の治療に用いられる本発明によるファイバーデバイスは、７６０ｎｍから９４０ｎｍの間の、好ましくは７８０ｎｍから９２０ｎｍの間の、特に好ましくは８００ｎｍから９００ｎｍの間の、極めて特に好ましくは８２０ｎｍから８８０ｎｍの間の範囲の発光する少なくとも１つの有機エレクトロルミネセンス化合物（機能物質である）を含むのが好ましい。
【０３２８】
浮腫の治療にさらに特に好ましい一つの放射波長は８５０ｎｍである。
【０３２９】
本発明による機能物質およびそれを含む前記ファイバーデバイスを、感染症、ならびに炎症性、神経学的、および心理学的疾患および／または状態の、治療および／または予防および／または診断にも用いることができる。
【０３３０】
多くの炎症性疾患、障害、および状態を光線療法で治療することができる。したがって、少なくとも１つの有機発光デバイスを含む、炎症性疾患の治療および／または予防および／または診断のためのデバイスの製造のための前記機能物質の使用も、本発明の目的である。
【０３３１】
炎症性疾患および状態は広範囲の徴候を包含する。外見上炎症に無関係である多くの疾患または状態が、本発明による機能物質で治療することができる炎症性の構成要素を有する。ざ瘡、感染、アトピー性皮膚炎、湿疹など、本発明において言及する皮膚疾患および状態は全て炎症性の構成要素を有する。本発明による機能物質で治療することができるさらなる炎症性疾患および状態の非限定的な選択には、関節炎、炎症性腸疾患、歯肉炎症、粘膜の炎症、爪床の炎症、動脈硬化症、および血管系の炎症がある。
【０３３２】
炎症の治療および／または予防に好ましい波長は、３５０ｎｍから９００ｎｍの間の、特に好ましくは３８０ｎｍから９００ｎｍの間の、極めて特に好ましくは４００ｎｍから８６０ｎｍの間の範囲にある。炎症の治療および／または予防にさらに好ましい波長は、４０５ｎｍ、４２０ｎｍ、および８５０ｎｍである。
【０３３３】
前記機能物質およびそれを含む前記ファイバーデバイスを感染症の治療および／または予防に用いることができる。感染症は細菌およびウイルスによって引き起こされ得る。光は感染症に対していくつかのプラス効果を有する。光は、例えば、本発明内の他所で概略した通り、組織の刺激によって抗炎症効果を有する。
【０３３４】
前記機能物質およびそれを含む前記ファイバーデバイスでの光線療法は創傷を治療するための使用に有益である。創傷治癒は炎症に関連することが多い。したがって、炎症の治療および／または予防に概略したのと同じ波長および波長の範囲を適用することができる。光線療法による創傷の治療はまた、瘢痕の形成を防ぐ。創傷およびまたは瘢痕の治療および／または予防に特に好ましい波長は、６００ｎｍから９５０ｎｍの間の、極めて特に好ましくは６５０ｎｍから９００ｎｍの間の範囲にある。創傷および瘢痕の治療および／または予防にさらに好ましい波長は、６６０ｎｍ、７２０ｎｍ、および８８０ｎｍである。
【０３３５】
前記機能物質およびそれを含む前記ファイバーデバイスで効率的に治療することができるさらなる感染症は、細菌によって引き起こされるものである。
【０３３６】
前記機能物質およびそれを含む前記ファイバーデバイスで効率的に治療することができる他の感染症は、ウイルスによって引き起こされるものである。本発明の好ましい１つの態様は、特に、サイトメガロウイルス（ＣＭＶ）、脳心筋炎ウイルス（ＥＭＣＶ）、ポリオウイルス、インフルエンカ（ｉｎｆｌｕｅｎｃａ）ウイルス、パラインフルエンザ呼吸器インフルエンザウイルス、呼吸器合胞体ウイルス、日本脳炎ウイルス、デングウイルス、Ａ型肝炎ウイルス（ＨＡＶ）、Ｂ型肝炎ウイルス（ＨＢＶ）、Ｃ型肝炎ウイルス（ＨＣＶ）、Ｄ型肝炎ウイルス（ＨＤＶ）、Ｅ型肝炎ウイルス（ＨＥＶ）、Ｆ型肝炎ウイルス（ＨＦＶ）、Ｇ型肝炎ウイルス（ＨＧＶ）、エプスタインバーウイルス（ＥＢＶ）、ヒト免疫不全ウイルス１型（ＨＩＶ−１）、ヒト免疫不全ウイルス２型（ＨＩＶ−２）、帯状疱疹ウイルス、単純ヘルペスウイルス、特に単純ヘルペスウイルス１型（ＨＳＶ−１）、単純ヘルペスウイルス２型（ＨＳＶ−２）、またはヒトヘルペスウイルス１、２、３、４、７、または８、カポジ肉腫関連ヘルペスウイルス（ＫＳＨＶ）、ロタウイルス、パピローマウイルス、およびヒトパピローマウイルス（ＨＰＶ）、特に、１、２、３、４、５、８、９、１１、１２、１３、１４、１５、１６、１７、１８、１９〜２９、３１、３２、３４、３６〜３８、４６〜５０、５６、または５８型のＨＰＶによって引き起こされるウイルス感染症の治療および／または予防のための、前記機能物質およびそれを含む前記ファイバーデバイスの使用である。
【０３３７】
特に、陰部いぼ、パピローマウイルスによって引き起こされる皮膚および／または粘膜の良性腫瘍、特に足底疣贅、尋常性疣贅、青年性扁平疣贅（ｖｅｒｒｕｃａｅ  ｐｌａｎａｅ  ｊｕｖｅｎｉｌｅｓ）、疣贅状表皮発育異常症、尖圭コンジローマ、扁平コンジローマ（Ｃｏｎｄｙｌｏｍａｔａ  ｐｌａｎａ）、ボーエン様丘疹症、喉頭および口の粘膜上のパピローマ、局所性上皮肥厚、口唇ヘルペス、水痘、および帯状疱疹などのウイルス性皮膚疾患および／または腫瘍障害を、前記機能物質およびそれを含む前記ファイバーデバイスで治療することができる。
【０３３８】
本発明の特に好ましい１つの態様において、前記機能物質およびそれを含む前記ファイバーデバイスをいぼの治療および／または予防に用いることができる。前記機能物質およびそれを含む前記ファイバーデバイスでのパルス光療法は、いぼを治療する一方法であってよい。
【０３３９】
神経学的または心理学的疾患および／または状態の治療および／または予防のための前記機能物質およびそれを含む前記ファイバーデバイスも、本発明の目的である。
【０３４０】
本発明による好ましい神経学的疾患はパーキンソン病（ＭＢ）である。光があるレベルの強度に到達すると、メラトニンを阻害し、これは次にドーパミンの生成を制限する。メラトニンを制限することにより、脳においてドーパミンがより生成され、より用いられるようになると想定されている。高照度光療法を伴うＭＢ患者に対する光療法の最近の症例研究は肯定的な結果となっており、９０分間曝露しただけで殆どの患者における運動緩徐および硬直に顕著な改善があった。
【０３４１】
本発明によるさらに好ましい神経学的および心理学的疾患および／または状態は、気分および睡眠に関連するものである。光は、多くの状況において気分に対して有益であることがよく知られている。光線療法は、うつ病、季節的情動障害（ＳＡＤ）、非季節的うつ病、概日リズム睡眠障害（慢性概日リズム睡眠障害（ＣＲＳＤ）、状況的ＣＲＳＤ）を治療するためにも用いることができる。
【０３４２】
米国国立医学図書館（ＵＳ  Ｎａｔｉｏｎａｌ  Ｌｉｂｒａｒｙ  ｏｆ  Ｍｅｄｉｃｉｎｅ）は、季節の変わり目に重篤な気分の変化を経験する人がいると言及している。これらの人は、眠りすぎ、エネルギーがあまりなく、甘いものや澱粉の多い食べ物をむしょうに欲しがることがある。これらの人は落ち込みを感じることもある。症状は重篤であることがあるが、通常は治癒する。夏における状態は可逆性季節的情動障害としばしば呼ばれ、不安の高まりも含まれることがある。米国における成人の１．５％から９％がＳＡＤを経験していると推定されている。
【０３４３】
高照度での光療法、抗うつ薬薬物療法、認知行動療法、イオン化空気の適用、およびメラトニンホルモンの注意深く時間を定めた補充など、古典的な（冬ベースの）季節的情動障害に対して様々な治療が存在する。
【０３４４】
前記機能物質およびそれを含む前記ファイバーデバイスによって放射される、これら神経学的および精神学的疾患および／または状態の治療および／または予防のための波長は、３５０ｎｍから６００ｎｍの間の範囲にある。波長が４００ｎｍから５５０ｎｍの間の範囲にあるのが好ましく、４４０ｎｍから５００ｎｍの間の範囲にあるのが特に好ましい。この目的に特に好ましい２つの波長は４６０ｎｍおよび４８０ｎｍである。
【０３４５】
前記機能物質およびそれを含む前記ファイバーデバイスを、疼痛の治療および／または予防にも用いることができる。光線療法による疼痛の軽減はよく知られている。光線療法で上首尾に治療することができる疼痛は、以下の条件により作り出される：手根管症候群、慢性の創傷、上顆炎、頭痛、片頭痛、足底筋膜炎、腱炎（ｔｅｎｄｏｎｄｉｔｉｓ）および滑液包炎、頸部痛、背部痛、筋肉痛、三叉神経痛、およびむち打ち症に関連する傷害。
【０３４６】
筋肉痛を、赤色または赤外発光する前記機能物質およびそれを含む前記ファイバーデバイスで治療するのが好ましい。
【０３４７】
円形脱毛症は、身体のいくつかの領域または全ての領域、通常は頭皮から毛髪が失われる、ヒトが罹患する状態である。円形脱毛症では、特に最初の段階において、頭皮上に無毛のスポットが生じるので、円形はげ（ｓｐｏｔ  ｂａｌｄｎｅｓｓ）と呼ばれることがある。１％から２％の場合において、状態は頭皮全体（全頭脱毛症）または表皮全体（汎発性脱毛症）に広がり得る。円形脱毛症に類似する状態、および同様の原因を有する状態は他の種にも生じる。
【０３４８】
円形脱毛症（自己免疫性脱毛）は、前記機能物質およびそれを含む前記ファイバーデバイスで治療することができる。前記機能物質およびそれを含む前記ファイバーデバイスによって放射される、円形脱毛症の治療および／または予防のための波長は、２４０ｎｍから５００ｎｍの範囲にある。波長が２９０ｎｍから４００ｎｍの間の範囲にあるのが好ましく、３００ｎｍから３３０ｎｍの間の範囲にあるのが特に好ましい。この目的に特に好ましい一波長は３１１ｎｍである。
【０３４９】
本発明による機能物質およびそれを含む前記ファイバーデバイスを、飲料および栄養物の消毒にも用いることができる。
【０３５０】
消毒としての光の使用はよく知られている。前記機能物質およびそれを含む発光ファイバーデバイスを消毒に用いることができる。本明細書による任意の種類の消毒は、制限なく、創傷、栄養物、ならびに固体および液体の物体、例えば、化粧品、医療機器、外科手術および飲料に用いられるデバイスを意味し、これらを含む。
【０３５１】
前記機能物質およびそれを含む発光ファイバーデバイスを、飲料、好ましくは水、特に好ましくは飲用水の消毒に用いるのが好ましい。汚染された水は世界中で多くの感染症を引き起こし、しばしば個体の重症疾患または死をもたらす。前記機能物質およびそれを含む発光ファイバーデバイスにより、水を消毒する簡単な手段が提供される。商業上の業者の水ろ過システムは、イオン交換技術を利用するものである。しかし、フィルターは微生物汚染の傾向がしばしばあり、そのため今度は微生物で汚染された水がもたらされる。解決法の一つに銀塩を加えることがあるが、これは毒性学的観点から問題となる。前記機能物質およびそれを含む前記発光ファイバーデバイスにより、この問題に対する解決がもたらされる。微生物汚染の度合いが低い水を提供する安全で、効率的で低費用の方法を提供するために、これらを水ろ過システム中に組み入れることができる。光源は、ろ過の前もしくは後の水、またはフィルターカートリッジ自体の両方を照射することができる。機能物質を含む光源が、フィルターカートリッジおよびすでにろ過された水の両方を照射するのが好ましい。
【０３５２】
上記で概略した水を消毒する手順は基本的に、任意の他の液体、特にソフトドリンクおよび飲料に同様に適用することができる。
【０３５３】
したがって、前記機能物質およびそれを含む発光ファイバーデバイスを、ヒトおよび動物用の飲料および栄養物の消毒に用いることができる。
【０３５４】
本発明による消毒のための波長は、２００ｎｍから６００ｎｍの間の、好ましくは２５０ｎｍから５００ｎｍの間の、極めて特に好ましくは２８０ｎｍから４５０ｎｍの間の範囲である。
【０３５５】
本発明による機能物質およびそれを含む前記ファイバーデバイスを、光線力学的治療（ＰＤＴ）にも用いることができる。
【０３５６】
本発明によるＰＤＴに必要とされる波長は、３００ｎｍから７００nmの間の、好ましくは４００ｎｍから７００ｎｍの間の、極めて特に好ましくは５００ｎｍから７００ｎｍの間の範囲にある。さらに好ましい４つの波長は、５９５ｎｍ、６００ｎｍ、６３０ｎｍ、および６６０ｎｍである。
【０３５７】
ＰＤＴとして知られる任意の治療法を、前記機能物質およびそれを含む前記発光ファイバーデバイスを用いて行うことができる。正常な組織よりも腫瘍組織に大量蓄積する多環式炭化水素型の化学構造を有する色素の性質はよく知られている。色素には、アクリジン、キサンテン、ソラレン、およびポルフィリンが含まれる。後者の色素、特に、ヘマトポルフィリン（Ｈｐ）およびいくつかのその化学的誘導体（例えば、ＨｐＤがＨｐ誘導体の混合物である、ＨｐＤ）には、優れた腫瘍局在性の性質があり、この性質は薬物を全身投与した後の予め決定された時間に赤色光を照射する腫瘍の予防的治療の基本である。
【０３５８】
ＰＤＴに用いられる薬物が、アミノレブリン酸／アミノレブリン酸メチル、エファプロキシラル、ポルフィリン誘導体（ポルフィマーナトリウム、タラポルフィン、テモポルフィン、ベルテポルフィン）から選択されるのが好ましい。
【０３５９】
本発明による機能物質およびそれを含む前記ファイバーデバイスを、黄疸およびクリグナーナジャーの治療および／または予防にも用いることができる。
【０３６０】
黄疸は、黄疸（icterus）としても知られており、皮膚、強膜の上の結膜の膜（眼の白色部分）、および他の粘膜が黄色っぽく変色する。変色は高ビリルビン血症（血中ビリルビンレベルの増大）によって引き起こされる。この高ビリルビン血症は、引き続き細胞外液体におけるビリルビンレベルの増大を引き起こす。黄疸は、肝前性（溶血性）黄疸、肝性（肝細胞性）黄疸、および肝後性（閉塞性）黄疸の３群に分類される。
【０３６１】
肝前性黄疸は溶解速度の増大を引き起こす何か、すなわち赤血球の分解によって引き起こされる。熱帯の国々では、マラリアがこの方法で黄疸を引き起こし得る。鎌状赤血球性貧血、球状赤血球症、およびグルコース６リン酸デヒドロゲナーゼ欠乏などのある種の遺伝性疾患が、赤血球溶解の増大をもたらし、それゆえ溶血静黄疸をもたらし得る。一般的に、溶血性尿毒症症候群などの腎臓の疾患も呈色をもたらすことがある。ビリルビン代謝における欠陥も黄疸として現れる。黄疸は通常高レベルで訪れる。ラット熱（レプトスピラ症）も黄疸を引き起こし得る。
【０３６２】
肝性黄疸の原因には、急性肝炎、肝毒性およびアルコール性肝疾患が含まれ、この場合細胞の壊死により、ビリルビンを代謝および排泄する肝臓の能力が低下し、血液における集積がもたらされる。あまり一般的でない原因には、原発性胆汁性肝硬変、ジルベール症候群（軽度の黄疸をもたらし得、人口の約５％に見られるビリルビン代謝の遺伝的障害）、クリグラーナジャー症候群、転移性癌、およびニーマンピック病、Ｃ型が含まれる。新生児に見られる黄疸は新生児黄疸として知られており、一般的であり、およそ２週齢まではビリルビンのコンジュゲートおよび排泄のための肝臓の仕組みが完全に成熟していないため殆ど全ての新生児に生じる。
【０３６３】
肝後性黄疸は閉塞性黄疸とも呼ばれ、胆道系における胆汁の排液が妨害されることによって引き起こされる。最も一般的な原因は、総胆管における胆石、および膵臓の頭部における膵臓癌である。「肝吸虫」として知られている一群の寄生虫が胆管中に住み着き、閉塞性黄疸を引き起こすことがある。他の原因には、総胆管の狭窄、胆道閉鎖症、腺管癌、膵炎、および膵仮性嚢胞が含まれる。閉塞性黄疸のまれな原因にミリッツィー症候群がある。
【０３６４】
黄疸、特に新生児黄疸は、治療をしない場合または適切に治療をしない場合、重篤な医学的結果をもたらすことがある。ビリルビン濃度の増大は、重症な生涯続く能力障害をもたらす、核黄疸として知られている、脳に障害を与える状態をもたらし得、この状態は、新生児高ビリルビン血症の不十分な検出および治療のため、近年上昇しているという懸念がある。初期の治療は、乳児を、多少隔離されたインキュベーターにおいて集中的な光線療法に曝露することからなることが多い。治療法は、乳児および両親の両方にとって、感情的または心理学的に困難な状態を表すことが多い。前記機能物質および機能物質を含む前記発光ファイバーデバイスを、毛布などの軟質で、移動式のデバイスを提供するために用いることができる。したがって、乳児を、両親の腕の中に寝かせて治療することができる。伝統的な治療法はまた乳児の過熱を容易にもたらし、これは本発明による治療の取組みによって大幅に低減することもできる。
【０３６５】
本発明は、新生児黄疸の治療のための、前記機能物質および機能物質を含む前記発光ファイバーデバイスの使用に関する。
【０３６６】
黄疸の治療および／または予防のための波長は、３００ｎｍから７００ｎｍの間の範囲にある。波長が３５０ｎｍから６００ｎｍの間の範囲にあるのが好ましく、３７０ｎｍから５８０ｎｍの間の範囲にあるのが特に好ましい。さらに好ましい波長は４００ｎｍから５５０ｎｍの間の範囲にある。特に好ましい波長は４１０ｎｍから４７０ｎｍの間の範囲にある。この目的に特に好ましい２つの波長は４５０ｎｍおよび４６６ｎｍである。
【０３６７】
本発明による発光ファイバーデバイスは、少なくとも１つの前記機能物質を含む。治療的および／または美容上の適用に用いられるデバイスは、前記機能物質の組成物をしばしば含む。本発明は、デバイスが少なくとも１つの有機発光ファイバーを含むことを特徴とする、疾患および／または美容上の状態の治療および／または予防および／または診断のための、ホスト物質、発光物質（ＥＭ）、正孔注入物質（ＨＩＭ）、正孔輸送物質（ＨＴＭ）、正孔阻止物質（ＨＢＭ）、電子注入物質（ＥＩＭ）、電子輸送物質（ＥＴＭ）、電子阻止物質（ＥＢＭ）、励起子阻止物質（ＥｘＢＭ）、金属錯体、およびリン光物質、ならびにデバイスの製造のための少なくとも１つのさらなる化合物から選択される少なくとも１つの機能物質を含む組成物の使用にも関する。
【０３６８】
好ましくは、組成物は１つの、特に好ましくは２つの、極めて特に好ましくは３つの機能物質を含む。本発明内で概略する任意の機能物質を用いることができる。
【０３６９】
組成物は、溶媒、添加剤、湿潤剤、および界面活性剤などのさらなる物質も含むこともできる。
【０３７０】
本発明は、少なくとも１つの有機発光ファイバーを含むことを特徴とする、疾患の治療および／または予防および／または診断のためのデバイスにも関する。本発明は、少なくとも１つの有機発光ファイバーを含むことを特徴とする、美容上の状態の治療および／または予防および／または診断のためのデバイスにも関する。ファイバーがＯＬＥＤファイバーであるのが好ましい。
【０３７１】
デバイスが１つを超えるファイバーを含むのが好ましい。疾患および美容上の状態は、本発明内の他所で定義したものから選択される。デバイスの組立ても本発明内にやはり記載されている。
【０３７２】
本発明は、少なくとも１つの有機発光ファイバーを含むことを特徴とし、発光ファイバーが、ホスト物質、発光物質（ＥＭ）、正孔注入物質（ＨＩＭ）、正孔輸送物質（ＨＴＭ）、正孔阻止物質（ＨＢＭ）、電子注入物質（ＥＩＭ）、電子輸送物質（ＥＴＭ）、電子阻止物質（ＥＢＭ）、励起子阻止物質（ＥｘＢＭ）、金属錯体、およびリン光物質から選択される機能物質を含む、疾患および／または美容上の状態の治療および／または予防および／または診断のためのデバイスの製造のためのデバイスにも関する。
【０３７３】
機能物質は本発明内の他所に記載したものと同じである。
【０３７４】
ざ瘡、乾癬、湿疹、皮膚炎、アトピー性皮膚炎、浮腫、白斑、ボーエン病、腫瘍、前癌性腫瘍、悪性腫瘍、基底細胞癌、扁平上皮癌、二次転移、皮膚Ｔ細胞リンパ腫、日光角化症、ヒ素角化症、放射線皮膚炎、セルライト、皮膚の脱感作、感染症、炎症、神経学的および／または精神学的疾患および／または状態、光線力学的治療（ＰＤＴ）、黄疸、ならびにクリグラーナジャーから選択される皮膚疾患および／または美容上の皮膚状態の治療および／または予防および／または診断のための前記デバイスが特に好ましい。
【０３７５】
本発明は、疾患および／または状態の治療および／または予防および／または診断のための有機発光ファイバーの使用にも関する。
【０３７６】
有機発光ファイバー、ならびに疾患および／または状態の両方とも、本発明内の他所に記載したものと同じである。
【０３７７】
本発明は、美容上の状態の治療および／または予防および／または診断のための有機発光ファイバーの使用にも関する。
【０３７８】
有機発光ファイバー、ならびに美容上の状態の両方とも、本発明内の他所に記載したものと同じである。
【０３７９】
本発明の前述の態様に対して変形を行うことができ、依然として本発明の範囲内にあることが理解されよう。本明細書中に開示する各特徴は、別段の記載がなければ、同じ、同等の、または同様の目的に役立つ代替の特徴によって置き換えることができる。したがって、別段の記載がなければ、開示する各特徴は、一般的な一連の同等または同様の特徴の一例示にすぎない。本明細書に開示する特徴は全て、少なくともいくつかのこれらの特徴および／またはステップが相互に排他的である場合の組合せを除いて、任意の組合せにおいて組み合わせることができる。特に、本発明の好ましい特徴は、本発明の全ての態様に適用され、任意の組合せで用いられてよい。同様に、非必須の組合せで記載する特徴は、別々に用いてもよい（組み合わせずに）。
【０３８０】
上記に記載した特徴、特に好ましい態様の特徴の多くは、これら自体進歩性があり、単に本発明の１つの態様の一部ではないことが理解されよう。独立の保護が、本発明が請求する任意の発明の他に、または本発明が請求する任意の発明に代わるものとして、これらの特色に対して追求されてよい。
【０３８１】
本明細書に開示する教示は、抜粋することができ、開示する他の実施例と組み合わせることができる。
【０３８２】
本発明の他の特色は、以下の例示の態様および図面の記載の経過において明らかになるが、例示の態様および図面は本発明を説明するために提供するものであり、本発明を限定しようとするものではない。
【図面の簡単な説明】
【０３８３】
【図１】外側の第１の電極２０を有するファイバーコア１０と、発光層３０と、有機発光層３０上に配置された放射線透過性の第２の電極４０とを有するファイバーを示す図。ＯＬＥＦＣは最終的に、任意の放射線透過性の水分および／または空気バリア層５０、ならびに／あるいは任意の放射線透過性のカプセル化物質６０も含むことができる。
【図２】ｎ個の異なる波長λｉ（ｉ＝１からｎ）または波長の範囲を放射するセグメントに分割されたファイバーを示す図（ａ）。ｎ＝２であるのが好ましい（ｂ）。
【図３】ｎ個の異なる波長または波長の範囲を有する発光するデバイスにおける発光ファイバーの並行の配列を示す図。
【図４】２つの異なる波長または波長の範囲を有する発光するデバイスにおける発光ファイバーの並行の配列を示す図。
【図５】織られたファイバーを示す図。
【図６】２つの異なる波長または波長の範囲を放射する織られたファイバーを示す図。
【図７】付着用の側面１と、電源２と、反射物質３と、発光ファイバー４とを有するプラスターを示す図。
【図８】以下のステップを含むファイバーを製造するための一方法を示す図。ステップＩ：ファイバーコア１０上への陰極２０の沈着；ステップＩＩ：バッファー層３１の沈着；ステップＩＩＩ：放射層３２の沈着；ステップＩＶ：陽極４０の沈着；ステップＶ：遊離の陰極。
【図９】ＥＭＬ（放射層）としてＰＢ１を用いたファイバーＯＬＥＤのエレクトロルミネセンス（ＥＬ）スペクトルを示す図。
【図１０】ＰＲ１を用いたファイバーＯＬＥＤのＥＬスペクトルを示す図。
【図１１】ＰＥＮ基体３００と、ＯＬＥＤファイバー４００と、陽極４０と、陰極２０と、薄型伝導性ワイヤ３１０および３２０と、エポキシ樹脂カプセル化３３０とを有する本発明によるプラスターを示す図。
【図１２】浸漬コーティングを用いたファイバー生産ラインを示す図。２１０−ファイバーコア；１３０−第１の電極に対する沈着チャンバー；２００−第２の電極に対する沈着チャンバー；１４０−バッファー物質またはＨＩＭの溶液を含んでいる容器；１６０−ＨＴＭまたは中間層物質の溶液または製剤を含んでいる容器；１８０−放射組成物の溶液または製剤を含んでいる容器；１５０、１７０、および１９０は乾燥剤である。
【図１３】全ての溶液ベースである生成方法を示す図。２５０−第２の電極に対する導電物質を含むインクを含んでいる容器；２２０および２３０は乾燥剤である；２４０−第１の電極に対する導電物質を含むインクを含んでいる容器。
【実施例】
【０３８４】
［例１］
材料
鈴木カップリングを用いて以下のポリマーを合成する。反応は、当業者であればよく知っている合成方法にしたがって行うことができる。方法は、例えば、ＷＯ２００３／０４８２２５に記載されている。
【０３８５】
青色放射性ポリマーであるポリマーＰＢ１は、以下のモノマーの指摘するモル％を含む共重合体である。
【化２６】
2013524864.tif 000028
【０３８６】
ＰＢ１の分子量（ＭＷ）は２０００００ｇ／ｍｏｌから３０００００ｇ／ｍｏｌの間に分布している。
【０３８７】
赤色放射性ポリマーであるポリマーＰＲ１は、以下のモノマーを繰返し単位の指数によって指摘するモル％を含む共重合体である。
【化２７】
2013524864.tif 000029
【０３８８】
ＰＲ１の分子量（ＭＷ）は１２００００ｇ／ｍｏｌから７２００００ｇ／ｍｏｌの間に分布している。
【０３８９】
ＰＢ１もＰＲ１もトルエンによく溶ける。
【０３９０】
［例２］
ファイバーＯＬＥＤの製作
本発明において用いられるファイバーコア１０は、ハードポリマークラッドシリカ光ファイバー（Ｃｅｒａｍ  Ｏｐｔｅｃ  Ｉｎｄｕｓｔｒｉｅｓ，Ｉｎｃ．製）であり、直径４００μｍのシリカコアおよびジャケットとして２５μｍのポリイミドを有する。電極の沈着の前に、ファイバーを洗剤でこすり、脱イオン水中ですすぎ、トリクロロエチレン、アセトン、次いでイソプロピルアルコール中の超音波処理によって清浄にすることによって、連続的に清浄にする。
【０３９１】
製作ステップのＩからＶを図８に図示する。
【０３９２】
ステップＩ：陽極の沈着
陽極２０を、１０−７トルの真空熱蒸着を用いて、シャドーマスクによって等角的に沈着させる。蒸着の間、ファイバーを、６０ｒｐｍの速度で軸方向に回転させる。次いで５０ｎｍのＡｌを清浄にしたファイバーコア１０上に最初に蒸着し、次いで陽極として５ｎｍＮｉをＡｌ上に蒸着させる。次いで、Ｎｉを酸素プラズマに曝露し、次いでＵＶオゾンに５分間２０ｍＷ／ｃｍ２に曝露することによって酸化する。
【０３９３】
ステップＩＩ：バッファー層３１の沈着
ＰＥＤＯＴ（ＢａｙｔｒｏｎＰ  Ａｌ４０８３）を、厚さ８０ｎｍのバッファー層または正孔注入層（ＨＩＬ）としてファイバー上に浸漬コーティングによって沈着させ、次いで１８０℃で１０分間加熱し、浸漬コーティングの間、濃度および牽引速度によって厚さを制御することができる。次いで、ファイバーを１８０℃で１０分間加熱して残りの水を除去する。
【０３９４】
ステップＩＩＩ：放射層３２の沈着
次いで、放射層（ＥＭＬ）３２を、濃度０．１重量％から０．８重量％の放射ポリマーのトルエン溶液の浸漬コーティングによってコーティングし、青色ＰＢ１に対して６５ｎｍ、赤色ＰＲ１に対して８０ｎｍの厚さを有する層を得る。
【０３９５】
ファイバー上の薄膜の厚さを以下の通りに決定する。平らなガラス基体を同じ溶液中の浸漬コーティングによってコーティングし、ガラス基体上の薄膜の厚さを、次いで、Ｓｕｒｆａｃｅ  Ｐｒｏｆｉｌｅｒ（Ｄｅｋｔａｋ３ＳＴ）によって測定する。溶液の濃度および牽引速度を、望みの厚さを得るまで調節する。同じ条件、濃度、および牽引速度を適用して、ファイバー上に対応する薄膜をコーティングする。
【０３９６】
デバイスを１８０℃で１０分間加熱して残りの溶媒を除去する。
【０３９７】
ステップＩＶ：陰極４０の沈着
ステップＩにおける手順と同じく、１０−７トルの真空熱蒸着を用いて、陰極４０をシャドーマスクによって等角的に沈着させる。蒸着の間、ファイバーを、６０ｒｐｍの速度で軸方向に回転させる。Ｂａ／Ａｇ陰極を、厚さ３ｎｍ／１５ｎｍの放射層上への熱真空蒸着によって、シャドーマスクによって等角的に沈着させ、ファイバーに沿った陽極および陰極は両方とも、１セグメントにおいて４ｃｍである。これらを、放射面積に対応して、重複面積３ｃｍを有するように相互に置き換える。
【０３９８】
ステップＶ：遊離の陽極
ファイバーを、長さ５ｃｍのセグメントに切断する。接触することができる遊離の陽極を得るために、陰極が沈着していない場合は、切断したファイバーの一端を、最初にトルエンで、次いでエタノールで洗い流してポリマーおよびＰＥＤＯＴを除去する。
【０３９９】
プラスターを製造する前に、ファイバーＯＬＥＤをグローブボックス中で試験する。ＥＬスペクトルを、Ｏｃｅａｎ  Ｏｐｔｉｃｓ  ＵＳＢ２０００分光計によって記録する。ＥＭＬとしてＰＢ１を用いたファイバーＯＬＥＤのＥＬスペクトルを図９に示し、ＰＲ１を用いたファイバーＯＬＥＤのスペクトルを図１０に示す。ファイバーを、光学的観察によって放射および明るさの均一性に関して、プラスターの製造用に選択する。
【０４００】
［例３］
ＯＬＥＤファイバーを含むプラスターの製造
透明な軟質のポリ（エチレンナフタレート）（ＰＥＮ）箔を、プラスターを製造するための基体として用いる。
【０４０１】
本発明によるプラスターを図１１に図示する。ＰＥＮ基体３００は、約５．５ｃｍ×５．５ｃｍの面積を有する。例２において製造したファイバーＯＬＥＤ４００を、陰極４０を片側に、陽極２０をもう一方の側にして基体の中央に並行に配列する。
【０４０２】
ここではＰＢ１のファイバーＯＬＥＤもしくはＰＲ１のファイバーＯＬＥＤのいずれか、または両方のファイバーＯＬＥＤをＰＥＮ基体上に交互に配置し、それを用いる。
【０４０３】
次いで、薄型伝導性ワイヤ３１０および３２０を、伝導性銀接着剤の助けで、ファイバーＯＬＥＤの陰極端および陽極端の全てに接続する。放射領域は、図１１において点線で印す通り、基体の中央領域に規定される。
【０４０４】
次いで、デバイスを固定し、ＵＶ硬化したエポキシ樹脂を用いてカプセル化する。Ｎａｇａｓｅ＆Ｃｏ．，ＬＴＤによって作製されたＯＬＥＤ用の高度なＵＶ接着剤であるＵＶ  Ｒｅｓｉｎ  Ｔ−４７０Ｃ２を、図１１において３３０と記した領域に、基体上のファイバー全てを覆うくらい十分に厚く適用する。次いで、デバイスを、樹脂を硬化するために約６Ｊ／ｃｍ2の用量でＵＶランプに曝露する。硬化した樹脂はわずかに黄色である。より多くの光を得るのに他の透明な樹脂がよいこともある。反射箔をプラスター上に被せてプラスターの光の出力を増強してもよい。
【０４０５】
［４］
カラスの足跡の治療
発光の構成要素としてＰＲ１を含む例３のプラスターデバイスを、しわの治療および／または予防に用いることができる。プラスターは電源として印刷電池を有する。電池は、約５０分の照射時間の間エネルギーを供給する。
【０４０６】
年齢３０歳から４０歳の間の女性ヒト対象２４人での１６週の予備試験を、当業者にはよく知られている標準方法にしたがって行う。試験に組み入れるための主な選択基準の一つは、顔の両側上に殆ど等しく、すなわち、左右の目に近接して、カラスの足跡の徴候が生じていることである。各対象を、１６週間１日おきに、２５分間ＯＬＥＤファイバーを含むプラスターで右側上を処置する。左右の目に近接した皮膚を比較すると、処置した側上の皮膚に著しい改善が現れる。カラスの足跡は、短く、浅くなる。ＯＬＥＤデバイスによって放射される光で処置した皮膚は、非処置の皮膚に比べて滑らかに見える。
【０４０７】
［例５］
尋常性ざ瘡の治療
２つの異なる波長または波長の範囲を放射するＯＬＥＤファイバーを含むプラスターを、本明細書に概略した手順にしたがって製造する（例２および３、ならびに図１１を参照されたい）。さらに、プラスターにおいて２種類のファイバーＯＬＥＤ、すなわち、ＰＢ１およびＰＲ１は、処置間隔ならびに両方の波長のスイッチオンおよびオフの時間を別々にプログラミングすることができるステアリングユニットに対して別々に接続されてよい。異なる２種類のファイバーＯＬＥＤを含むプラスターは、このように、青色もしくは赤色の光、または青色光および赤色光のいずれかまたは青色光と赤色光の両方の光を、少なくとも部分的に、同時に放射することができる。ＯＬＥＤファイバーを含むプラスターは、約９ｃｍ２の放射面積を有する四角形であるが、任意の他の誂えられた形状が可能である。当業者にはよく知られている標準方法にしたがって、対象３０人の１０週の予備試験を行う。対象は、顔面に対照的に軽度から重度の尋常性ざ瘡を有する、Ｆｉｔｚｐａｔｒｉｃ皮膚タイプＩＩからＩＶを有する。前額部の右半分を、ファイバーＯＬＥＤを含むプラスターで処置する。全部で１０回の処置を行い、処置する領域を青色光および赤色光で同時に照射する。
【０４０８】
１回の処置あたりの処置時間は２０分である。１週間後、同じ皮膚を上記で概略した通りに再び処置する。処置１０週間後、処置した対象の前額部の左側と右側とを比較すると、非処置の皮膚に比べて処置した皮膚に著しい改善が現れる。皮膚の発赤は著しく低減する。さらに、病変数の平均値の低減も著しい。
【図１】
2013524864.tif 000030
【図２】
2013524864.tif 000031
【図３】
2013524864.tif 000032
【図４】
2013524864.tif 000033
【図５】
2013524864.tif 000034
【図６】
2013524864.tif 000035
【図７】
2013524864.tif 000036
【図８】
2013524864.tif 000037
【図９】
2013524864.tif 000038
【図１０】
2013524864.tif 000039
【図１１】
2013524864.tif 000040
【図１２】
2013524864.tif 000041
【図１３】
2013524864.tif 000042
【国際調査報告】
2013524864.tif 000043
2013524864.tif 000044
2013524864.tif 000045